(57)【要約】【課題】  現在の移動局装置と将来の移動局装置とが、１アンテナもしくは２アンテナもしくは４アンテナを備える基地局装置と８アンテナを備える基地局装置とを意識することなく、少なくともコントロール信号を送受信することが可能なダイバーシティ方式を用いる。【解決手段】基地局装置（１００ａ）には、外部から基地局装置毎に定められる参照信号と移動局装置毎に定められる参照信号とコントロール信号とデータ信号とが入力されている。  基地局装置（１００ａ）は、符号化部（１０a）と符号化部（１０ｂ）と、信号処理装置（１０ｃ）から（１７ｃ）までと、アンテナ（１０ｃ−４）から（１７ｃ−４）までとで構成されている。基地局装置（１００ａ）に入力された基地局装置毎に定められる参照信号と移動局装置毎に定められる参照信号とコントロール信号とデータ信号とが信号処理装置でリソースブロックに配置される。【選択図】  図５０
2010157837.tif 000002
【特許請求の範囲】
【請求項１】
基地局装置と移動局装置とを有する無線通信システムにおける、８アンテナを備えた前記基地局装置が備える信号配置部であって、リソースブロックに対する、前記基地局装置毎に定められる参照信号と、前記移動局装置毎に定められる参照信号と、コントロール信号と、データ信号と、の配置に関する情報からなる信号配置パターンに基づいて、前記リソースブロックに対して、前記基地局装置毎に定められる参照信号と、前記移動局装置毎に定められる参照信号と、コントロール信号と、データ信号と、を配置することを特徴とする信号配置部。
【請求項２】
前記リソースブロックに配置される基地局装置毎に定められる参照信号と移動局装置毎に定められる参照信号との数は、コントロール信号とデータ信号とがダイバーシティ方式で送信された場合に２４となり、コントロール信号がダイバーシティ方式で送信され、前記基地局装置が８アンテナを備え、前記移動局装置が８アンテナを備えた空間多重通信をおこなう場合に最大４０となる信号配置パターンを備えることを特徴とする請求項１に記載の信号配置部。
【請求項３】
前記基地局装置が、２サブキャリアと前記８アンテナのうちの第１アンテナと第２アンテナと第３アンテナと第４アンテナとを用いたダイバーシティ方式により、コントロール信号のみ、もしくはコントロール信号とデータ信号とを送信するための信号配置パターンを備えることを特徴とする請求項１に記載の信号配置部。
【請求項４】
前記基地局装置が、２サブキャリアと前記８アンテナのうちの第１アンテナと第２アンテナとを用いたダイバーシティ方式により、コントロール信号のみ、もしくはコントロール信号とデータ信号とを送信するための信号配置パターンを備えることを特徴とする請求項１に記載の信号配置部。
【請求項５】
請求項１から４までのいずれか１項に記載の信号配置部と、前記信号配置部で構成されたリソースブロックを前記移動局装置に送信する送信部と、から構成されることを特徴とする基地局装置。
【請求項６】
基地局装置と移動局装置とを有する無線通信システムにおける、８アンテナを備えた前記基地局装置における通信方法であって、リソースブロックに対する、前記基地局装置毎に定められる参照信号と、前記移動局装置毎に定められる参照信号と、コントロール信号と、データ信号と、の配置に関する情報からなる信号配置パターンに基づいて、リソースブロックに対して、前記基地局装置毎に定められる参照信号と、前記移動局装置毎に定められる参照信号と、コントロール信号と、データ信号と、を配置する第１のステップと、前記リソースブロックを前記基地局装置に送信する第２のステップと、を備えることを特徴とする通信方法。
【請求項７】
請求項６に記載の通信方法を、コンピュータに実行させるためのプログラム。
【発明の詳細な説明】
【技術分野】
【０００１】
本発明は、無線通信システム技術に関し、特に、新しい信号配置技術を用いた無線通信技術、移動体通信技術に関する。
【背景技術】
【０００２】
現在、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）方式を用いた移動体通信において、基地局装置は１アンテナ、２アンテナもしくは４アンテナを備えている。しかしながら、近年の技術革新および通信容量の改善要求などに伴い、今後、基地局装置および移動局装置は８アンテナを備え、８ｘ８のＭＩＭＯ（Ｍｕｌｔｉ  Ｉｎｐｕｔ  Ｍｕｌｔｉ  Ｏｕｔｐｕｔ）が実現されるようになると予測されている。
【０００３】
また、基地局装置が８アンテナを備えるようになると、ダイバーシティ効果についても従来のものより改善されるとも予測されている。
【０００４】
一方、現在の移動局装置が将来も継続して使用されるとすると、将来の基地局装置と現在の移動局装置との間でも通信が可能であるような基地局装置を提案する必要があると考えられる。
よって、今後、ダイバーシティ方式の違いを意識せずに、少なくともコントロール信号を復調することが可能であり、さらに、コントロール信号に対するダイバーシティ効果そのものも改善され得る提案が望まれる。
【０００５】
また、コントロール信号に対するダイバーシティ効果はそのままに、同一ダイバーシティ方式をデータ信号に適用し、セルエッジの移動局装置のダイバーシティ効果を改善すること、８ｘ８のＭＩＭＯ技術をデータ信号に適用し、基地局装置周辺の移動局装置のスループットを改善することも望まれる。
【０００６】
下記非特許文献１では、リソースブロックに対する基地局装置毎に定められる参照信号の配置が示されている。図１は、ＣＰ（Ｃｙｃｌｉｃ  Ｐｒｅｆｉｘ：サイクリック・プレフィックス）長が通常（Ｎｏｒｍａｌ  ＣＰ）の場合について示した図である。
【０００７】
図１に示すように、基地局装置が１アンテナを備える場合には（図１の上段の１つの図参照）、基地局装置毎に定められる参照信号（Ｒ）は、リソースブロックの、第１ＯＦＤＭシンボル（左から１番目）の第６サブキャリア（上から６番目）のアンテナ０と第１ＯＦＤＭシンボルの第１２サブキャリア（上から１２番目、以下同様である。）のアンテナ０と第５ＯＦＤＭシンボルの第３サブキャリアのアンテナ０と第５ＯＦＤＭシンボルの第９サブキャリアのアンテナ０と第８ＯＦＤＭシンボルの第６サブキャリアのアンテナ０と第８ＯＦＤＭシンボルの第１２サブキャリアのアンテナ０と第１２ＯＦＤＭシンボルの第３サブキャリアのアンテナ０と第１２ＯＦＤＭシンボルの第９サブキャリアのアンテナ０とに配置されている。
【０００８】
次に、基地局装置が２アンテナを備える場合には（図１の中段の２つの図参照）、基地局装置毎に定められる参照信号は、リソースブロックの、第１ＯＦＤＭシンボルの第３サブキャリアのアンテナ１と第１ＯＦＤＭシンボルの第６サブキャリアのアンテナ０と第１ＯＦＤＭシンボルの第９サブキャリアのアンテナ１と第１ＯＦＤＭシンボルの第１２サブキャリアのアンテナ０と第５ＯＦＤＭシンボルの第３サブキャリアのアンテナ０と第５ＯＦＤＭシンボルの第６サブキャリアのアンテナ１と第５ＯＦＤＭシンボルの第９サブキャリアのアンテナ０と第５ＯＦＤＭシンボルの第１２サブキャリアのアンテナ１と第８ＯＦＤＭシンボルの第３サブキャリアのアンテナ１と第８ＯＦＤＭシンボルの第６サブキャリアのアンテナ０と第８ＯＦＤＭシンボルの第９サブキャリアのアンテナ１と第８ＯＦＤＭシンボルの第１２サブキャリアのアンテナ０と第１２ＯＦＤＭシンボルの第３サブキャリアのアンテナ０と第１２ＯＦＤＭシンボルの第６サブキャリアのアンテナ１と第１２ＯＦＤＭシンボルの第９サブキャリアのアンテナ０と第１２ＯＦＤＭシンボルの第１２サブキャリアのアンテナ１とに配置されている。
【０００９】
次に、基地局装置が４アンテナを備える場合には（図１の下段の３つの図参照）、基地局装置毎に定められる参照信号は、リソースブロックの、第１ＯＦＤＭシンボルの第３サブキャリアのアンテナ１と第１ＯＦＤＭシンボルの第６サブキャリアのアンテナ０と第１ＯＦＤＭシンボルの第９サブキャリアのアンテナ１と第１ＯＦＤＭシンボルの第１２サブキャリアのアンテナ０と第２ＯＦＤＭシンボルの第３サブキャリアのアンテナ３と第２ＯＦＤＭシンボルの第６サブキャリアのアンテナ２と第２ＯＦＤＭシンボルの第９サブキャリアのアンテナ３と第２ＯＦＤＭシンボルの第１２サブキャリアのアンテナ２と第５ＯＦＤＭシンボルの第３サブキャリアのアンテナ０と第５ＯＦＤＭシンボルの第６サブキャリアのアンテナ１と第５ＯＦＤＭシンボルの第９サブキャリアのアンテナ０と第５ＯＦＤＭシンボルの第１２サブキャリアのアンテナ１と第８ＯＦＤＭシンボルの第３サブキャリアのアンテナ１と第８ＯＦＤＭシンボルの第６サブキャリアのアンテナ０と第８ＯＦＤＭシンボルの第９サブキャリアのアンテナ１と第８ＯＦＤＭシンボルの第１２サブキャリアのアンテナ０と第９ＯＦＤＭシンボルの第３サブキャリアのアンテナ２と第９ＯＦＤＭシンボルの第６サブキャリアのアンテナ３と第９ＯＦＤＭシンボルの第９サブキャリアのアンテナ２と第９ＯＦＤＭシンボルの第１２サブキャリアのアンテナ３と第１２ＯＦＤＭシンボルの第３サブキャリアのアンテナ０と第１２ＯＦＤＭシンボルの第６サブキャリアのアンテナ１と第１２ＯＦＤＭシンボルの第９サブキャリアのアンテナ０と第１２ＯＦＤＭシンボルの第１２サブキャリアのアンテナ１とに配置されている。
【００１０】
図２は、ＣＰ長が通常より長い（Ｅｘｔｅｎｄｅｄ  ＣＰ）場合について示した図である。
【００１１】
図２に示すように、基地局装置が１アンテナを備える場合（図２の上段の１つの図参照）、基地局装置毎に定められる参照信号は、リソースブロックの、第１ＯＦＤＭシンボルの第６サブキャリアのアンテナ０と第１ＯＦＤＭシンボルの第１２サブキャリアのアンテナ０と第４ＯＦＤＭシンボルの第３サブキャリアのアンテナ０と第４ＯＦＤＭシンボルの第９サブキャリアのアンテナ０と第７ＯＦＤＭシンボルの第６サブキャリアのアンテナ０と第７ＯＦＤＭシンボルの第１２サブキャリアのアンテナ０と第１０ＯＦＤＭシンボルの第３サブキャリアのアンテナ０と第１０ＯＦＤＭシンボルの第９サブキャリアのアンテナ０とに配置されている。
【００１２】
次に、基地局装置が２アンテナを備える場合（図２の中段の２つの図参照）、基地局装置毎に定められる参照信号は、リソースブロックの、第１ＯＦＤＭシンボルの第３サブキャリアのアンテナ１と第１ＯＦＤＭシンボルの第６サブキャリアのアンテナ０と第１ＯＦＤＭシンボルの第９サブキャリアのアンテナ１と第１ＯＦＤＭシンボルの第１２サブキャリアのアンテナ０と第４ＯＦＤＭシンボルの第３サブキャリアのアンテナ０と第４ＯＦＤＭシンボルの第６サブキャリアのアンテナ１と第４ＯＦＤＭシンボルの第９サブキャリアのアンテナ０と第４ＯＦＤＭシンボルの第１２サブキャリアのアンテナ１と第７ＯＦＤＭシンボルの第３サブキャリアのアンテナ１と第７ＯＦＤＭシンボルの第６サブキャリアのアンテナ０と第７ＯＦＤＭシンボルの第９サブキャリアのアンテナ１と第７ＯＦＤＭシンボルの第１２サブキャリアのアンテナ０と第１０ＯＦＤＭシンボルの第３サブキャリアのアンテナ０と第１０ＯＦＤＭシンボルの第６サブキャリアのアンテナ１と第１０ＯＦＤＭシンボルの第９サブキャリアのアンテナ０と第１０ＯＦＤＭシンボルの第１２サブキャリアのアンテナ１とに配置されている。
【００１３】
次に、基地局装置が４アンテナを備える場合（図２の下段の４つの図参照）、基地局装置毎に定められる参照信号は、リソースブロックの、第１ＯＦＤＭシンボルの第３サブキャリアのアンテナ１と第１ＯＦＤＭシンボルの第６サブキャリアのアンテナ０と第１ＯＦＤＭシンボルの第９サブキャリアのアンテナ１と第１ＯＦＤＭシンボルの第１２サブキャリアのアンテナ０と第２ＯＦＤＭシンボルの第３サブキャリアのアンテナ３と第２ＯＦＤＭシンボルの第６サブキャリアのアンテナ２と第２ＯＦＤＭシンボルの第９サブキャリアのアンテナ３と第２ＯＦＤＭシンボルの第１２サブキャリアのアンテナ２と第４ＯＦＤＭシンボルの第３サブキャリアのアンテナ０と第４ＯＦＤＭシンボルの第６サブキャリアのアンテナ１と第４ＯＦＤＭシンボルの第９サブキャリアのアンテナ０と第４ＯＦＤＭシンボルの第１２サブキャリアのアンテナ１と第７ＯＦＤＭシンボルの第３サブキャリアのアンテナ１と第７ＯＦＤＭシンボルの第６サブキャリアのアンテナ０と第７ＯＦＤＭシンボルの第９サブキャリアのアンテナ１と第７ＯＦＤＭシンボルの第１２サブキャリアのアンテナ０と第８ＯＦＤＭシンボルの第３サブキャリアのアンテナ２と第８ＯＦＤＭシンボルの第６サブキャリアのアンテナ３と第８ＯＦＤＭシンボルの第９サブキャリアのアンテナ２と第８ＯＦＤＭシンボルの第１２サブキャリアのアンテナ３と第１０ＯＦＤＭシンボルの第３サブキャリアのアンテナ０と第１０ＯＦＤＭシンボルの第６サブキャリアのアンテナ１と第１０ＯＦＤＭシンボルの第９サブキャリアのアンテナ０と第１０ＯＦＤＭシンボルの第１２サブキャリアのアンテナ１と、に配置されている。
【００１４】
また、非特許文献１には、コントロール信号とデータ信号とを送信する際の、ダイバーシティ方式についても示されている。非特許文献１では、基地局装置が４アンテナを備える場合、空間周波数ブロックコーディングと周波数スイッチ送信ダイバーシティとを併用し、基地局装置が２アンテナを備える場合、空間周波数ブロックコーディングを用いるとしている。
【００１５】
また、非特許文献１では、リソースブロックに対するコントロール信号とデータ信号とを配置する信号配置パターンに関しても示されている。
【００１６】
下記非特許文献２では、基地局装置の全周波数帯域が１０リソースブロック以下の場合、コントロール信号をリソースブロック内の最も過去のＯＦＤＭシンボルから、４ＯＦＤＭシンボルまでに配置する提案がなされている。
【００１７】
下記非特許文献３では、８アンテナを備える基地局装置において用いられる３種類のダイバーシティ方式と、リソースブロックに対するコントロール信号とデータ信号との配置に関する一例が提案されている。本提案との関連が深いダイバーシティ方式とリソースブロックへの配置について図３に示している。
【００１８】
下記非特許文献４では、８アンテナを備える基地局装置でも、下記非特許文献１の４アンテナを備える基地局装置と同様のダイバーシティ方式を用いることができるという提案がなされているが、具体的方式については開示されていない。
【００１９】
下記非特許文献５では、８アンテナを備える基地局装置において、リソースブロックに対する基地局装置毎に定められる参照信号の配置に関する提案がなされている。図４はこの信号配置パターンについて示した図である。
【００２０】
ここで、図４の左上の図は、４アンテナを備える基地局装置において、リソースブロックに対する基地局装置毎に定められる参照信号の配置を示したもので、下記非特許文献１に開示されているものである。
【００２１】
また、右上の図と左下の図と右下の図とが、８アンテナを備える基地局装置において、リソースブロックに対する基地局装置毎に定められる参照信号の配置を示したもので、非特許文献５にて提案されたものである。
【００２２】
【非特許文献１】３ＧＰＰ  ＴＳ．３６．２１１  ｖｅｒ．８．４．０
【非特許文献２】３ＧＰＰ  ＴＳＧ  ＲＡＮ１  ＃５４ｂｉｓ，Ｒ１−０８３５９９，“Ｄｒａｆｔ  ＣＲ  ｏｎ  ｄｅｄｉｃａｔｅｄ  ｒｅｆｅｒｅｎｃｅ  ｓｉｇｎａｌ  ｍａｐｐｉｎｇ  ｆｏｒ  ＰＤＣＣＨ  ｗｉｔｈ  ４  ｓｙｍｂｏｌｓ”
【非特許文献３】３ＧＰＰ  ＴＳＧ  ＲＡＮ１  ＃５４ｂｉｓ，Ｒ１−０８３６１０，“Ｃｏｎｓｉｄｅｒａｔｉｏｎ  ｏｎ  ＤＬ  ８−Ｔｘ  Ｔｒａｎｓｍｉｔ  Ｄｉｖｅｒｓｉｔｙ  ｉｎ  ＬＴＥ−Ａ”
【非特許文献４】３ＧＰＰ  ＴＳＧ  ＲＡＮ１  ＃５４，Ｒ１−０８２９４１，“Ｃｏｎｓｉｄｅｒａｔｉｏｎ  ｏｎ  ＤＬ−ＭＩＭＯ  ｉｎ  ＬＴＥ−Ａｄｖａｎｃｅｄ”
【非特許文献５】３ＧＰＰ  ＴＳＧ  ＲＡＮ１  ＃５４ｂｉｓ，Ｒ１−０８３８２７，“Ｃｏｍｍｏｎ  Ｒｅｆｅｒｅｎｃｅ  Ｓｙｍｂｏｌ  Ｍａｐｐｉｎｇ／Ｓｉｇｎａｌｉｎｇ  ｆｏｒ  ８  Ｔｒａｎｓｍｉｔ  Ａｎｔｅｎｎａｓ”
【発明の開示】
【発明が解決しようとする課題】
【００２３】
上記非特許文献１に示されるとおり、現状では、基地局装置は１アンテナ、２アンテナもしくは４アンテナを備えるに限定されているが、上記非特許文献３で示される通り、今後、基地局装置は８アンテナを備えるようになる。
よって、基地局装置が８アンテナを備える場合に、ダイバーシティ方式と、ダイバーシティ方式を意識した基地局装置毎に定められる参照信号と移動局装置毎に定められる参照信号と、リソースブロックに対する基地局装置毎に定められる参照信号と移動局装置毎に定められる参照信号とコントロール信号とデータ信号との配置とをどのようにするかが課題となる。
【００２４】
特に、将来の基地局装置と現在の移動局装置との間の通信が可能であることが要求され、このことを意識したコントロール信号のダイバーシティ方式の選択と、基地局装置毎に定められる参照信号の提案と、リソースブロックに対する基地局装置毎に定められる参照信号とコントロール信号との配置と、が求められる。
【００２５】
また、同一ダイバーシティ方式をデータ信号に適用し、データ信号のスループットを改善することも課題となる。
【００２６】
また、８ｘ８のＭＩＭＯを実現する場合に、上記非特許文献５に示されるように、基地局装置が備える各アンテナから、移動局装置が備える各アンテナまでのチャネルを推定する必要があり、この推定のための基地局装置毎に定められる参照信号と移動局装置毎に定められる参照信号との数の多さも問題となる。
【課題を解決するための手段】
【００２７】
上記課題を解決するための手段について以下に示す（参考のため、以下の手段に関する説明において図５０から図５３までを参照できる）。
【００２８】
本発明の一観点によれば、基地局装置と移動局装置とを有する無線通信システムにおける、８アンテナを備えた基地局装置が備える信号配置部であって、リソースブロックに対する基地局装置毎に定められる参照信号と移動局装置毎に定められる参照信号とコントロール信号とデータ信号との配置に関する情報からなる信号配置パターンに基づいて、前記リソースブロックに対して、基地局装置毎に定められる参照信号と前記移動局装置毎に定められる参照信号とコントロール信号とデータ信号とを配置することを特徴とする信号配置部が提供される。また、移動局装置においては、ダイバーシティ方式を意識せずに少なくともコントロール信号を復調することができる。さらに、移動局装置においては、基地局装置が備えるアンテナの数に比例して、スループットを改善することができる。信号配置パターンとしては以下のものが例示的に挙げられる。
【００２９】
本発明では、リソースブロックには第１種リソースブロックと第２種リソースブロックとの２種類があること、基地局装置と移動局装置とが８アンテナを備えること、と以下のａ）からｅ）までの考え方（アルゴリズム）とに基づいて、信号配置パターンを提案する。
【００３０】
ａ）第１種リソースブロックまたは第２種リソースブロックあたりの、基地局装置毎に定められる参照信号と移動局装置毎に定められる参照信号の数が多すぎない
ｂ）基地局装置毎に定められる参照信号と移動局装置毎に定められる参照信号とコントロール信号とデータ信号との電力調整に関する現在の仕様を適用しやすい
ｃ）移動局装置は少なくとも、現在の仕様に基づく信号配置パターンを備える基地局装置と、提案する信号配置パターンを備える将来の基地局装置とを意識することなく、コントロール信号を受信することができる
ｄ）チャネル推定精度が高い
ｅ）移動局装置は、現在の仕様に基づく信号配置パターンを備える基地局装置からのコントロール信号とデータ信号とを受信するよりも、提案する信号配置パターンを備える基地局装置からのコントロール信号とデータ信号とを受信する方がスループットを改善することができる。
【００３１】
また、本発明ではこれらの信号配置パターンを示すため、下記のａ）リソースブロックの構成とｂ）アンテナの構成とに関する定義を参照する。
【００３２】
ａ）リソースブロックには、１２サブキャリア、１４ＯＦＤＭシンボルからなる第１種リソースブロックと、１２サブキャリア、１２ＯＦＤＭシンボルからなる第２種リソースブロックとが存在する。
【００３３】
但し、第１種リソースブロック内の１２サブキャリアは各々、周波数が高い方から順に、第１サブキャリア、第２サブキャリア、第３サブキャリア、第４サブキャリア、第５サブキャリア、第６サブキャリア、第７サブキャリア、第８サブキャリア、第９サブキャリア、第１０サブキャリア、第１１サブキャリア、第１２サブキャリアと呼称され、
１４ＯＦＤＭシンボルは各々、過去のものから順に、第１ＯＦＤＭシンボル、第２ＯＦＤＭシンボル、第３ＯＦＤＭシンボル、第４ＯＦＤＭシンボル、第５ＯＦＤＭシンボル、第６ＯＦＤＭシンボル、第７ＯＦＤＭシンボル、第８ＯＦＤＭシンボル、第９ＯＦＤＭシンボル、第１０ＯＦＤＭシンボル、第１１ＯＦＤＭシンボル、第１２ＯＦＤＭシンボル、第１３ＯＦＤＭシンボル、第１４ＯＦＤＭシンボルと呼称される。
【００３４】
また、第２種リソースブロック内の１２サブキャリアは各々、周波数が高い方から順に、第１サブキャリア、第２サブキャリア、第３サブキャリア、第４サブキャリア、第５サブキャリア、第６サブキャリア、第７サブキャリア、第８サブキャリア、第９サブキャリア、第１０サブキャリア、第１１サブキャリア、第１２サブキャリアと呼称され、
１２ＯＦＤＭシンボルは各々、過去のものから順に、第１ＯＦＤＭシンボル、第２ＯＦＤＭシンボル、第３ＯＦＤＭシンボル、第４ＯＦＤＭシンボル、第５ＯＦＤＭシンボル、第６ＯＦＤＭシンボル、第７ＯＦＤＭシンボル、第８ＯＦＤＭシンボル、第９ＯＦＤＭシンボル、第１０ＯＦＤＭシンボル、第１１ＯＦＤＭシンボル、第１２ＯＦＤＭシンボルと呼称される。
【００３５】
ｂ）基地局装置は８アンテナを備え、アンテナは各々、アンテナ０とアンテナ１とアンテナ２とアンテナ３とアンテナ４とアンテナ５とアンテナ６とアンテナ７と呼称される。これらのアンテナは、物理的に直線上に配置されており、アンテナ０とアンテナ１との距離と、アンテナ１とアンテナ２との距離と、アンテナ２とアンテナ３との距離と、アンテナ３とアンテナ４との距離と、アンテナ４とアンテナ５との距離と、アンテナ５とアンテナ６との距離と、アンテナ６とアンテナ７との距離との総和が、アンテナ７とアンテナ０との距離に等しいとする。
【００３６】
次に、上述の考え方に基づいた信号配置パターン(信号配置パターン１から信号配置パターン５４まで)を順に示す。
【００３７】
（信号配置パターン１）
第１種リソースブロックに対する基地局装置毎に定められる参照信号の配置の一例を図５に示す。図５では、第１種リソースブロックに対して、第１ＯＦＤＭシンボルの第３サブキャリアのアンテナ２に、基地局装置毎に定められる参照信号が配置され、第１ＯＦＤＭシンボルの第６サブキャリアのアンテナ０に、基地局装置毎に定められる参照信号が配置され、第１ＯＦＤＭシンボルの第９サブキャリアのアンテナ２に、基地局装置毎に定められる参照信号が配置され、第１ＯＦＤＭシンボルの第１２サブキャリアのアンテナ０に、基地局装置毎に定められる参照信号が配置され、第２ＯＦＤＭシンボルの第３サブキャリアのアンテナ７に、基地局装置毎に定められる参照信号が配置され、第２ＯＦＤＭシンボルの第６サブキャリアのアンテナ５に、基地局装置毎に定められる参照信号が配置され、第２ＯＦＤＭシンボルの第９サブキャリアのアンテナ７に、基地局装置毎に定められる参照信号が配置され、第２ＯＦＤＭシンボルの第１２サブキャリアのアンテナ５に、基地局装置毎に定められる参照信号が配置され、第５ＯＦＤＭシンボルの第３サブキャリアのアンテナ０に、基地局装置毎に定められる参照信号が配置され、第５ＯＦＤＭシンボルの第６サブキャリアのアンテナ２に、基地局装置毎に定められる参照信号が配置され、第５ＯＦＤＭシンボルの第９サブキャリアのアンテナ０に、基地局装置毎に定められる参照信号が配置され、第５ＯＦＤＭシンボルの第１２サブキャリアのアンテナ２に、基地局装置毎に定められる参照信号が配置され、第８ＯＦＤＭシンボルの第３サブキャリアのアンテナ２に、基地局装置毎に定められる参照信号が配置され、第８ＯＦＤＭシンボルの第６サブキャリアのアンテナ０に、基地局装置毎に定められる参照信号が配置され、第８ＯＦＤＭシンボルの第９サブキャリアのアンテナ２に、基地局装置毎に定められる参照信号が配置され、第８ＯＦＤＭシンボルの第１２サブキャリアのアンテナ０に、基地局装置毎に定められる参照信号が配置され、第９ＯＦＤＭシンボルの第３サブキャリアのアンテナ５に、基地局装置毎に定められる参照信号が配置され、第９ＯＦＤＭシンボルの第６サブキャリアのアンテナ７に、基地局装置毎に定められる参照信号が配置され、第９ＯＦＤＭシンボルの第９サブキャリアのアンテナ５に、基地局装置毎に定められる参照信号が配置され、第９ＯＦＤＭシンボルの第１２サブキャリアのアンテナ７に、基地局装置毎に定められる参照信号が配置され、第１２ＯＦＤＭシンボルの第３サブキャリアのアンテナ０に、基地局装置毎に定められる参照信号が配置され、第１２ＯＦＤＭシンボルの第６サブキャリアのアンテナ２に、基地局装置毎に定められる参照信号が配置され、第１２ＯＦＤＭシンボルの第９サブキャリアのアンテナ０に、基地局装置毎に定められる参照信号が配置され、第１２ＯＦＤＭシンボルの第１２サブキャリアのアンテナ２に、基地局装置毎に定められる参照信号が配置されている。
【００３８】
（信号配置パターン２）
第１種リソースブロックに対する基地局装置毎に定められる参照信号の配置の一例を図６に示す。図６では、第１種リソースブロックに対して、第１ＯＦＤＭシンボルの第３サブキャリアのアンテナ２に、基地局装置毎に定められる参照信号が配置され、第１ＯＦＤＭシンボルの第６サブキャリアのアンテナ０に、基地局装置毎に定められる参照信号が配置され、第１ＯＦＤＭシンボルの第９サブキャリアのアンテナ２に、基地局装置毎に定められる参照信号が配置され、第１ＯＦＤＭシンボルの第１２サブキャリアのアンテナ０に、基地局装置毎に定められる参照信号が配置され、第２ＯＦＤＭシンボルの第３サブキャリアのアンテナ６に、基地局装置毎に定められる参照信号が配置され、第２ＯＦＤＭシンボルの第６サブキャリアのアンテナ４に、基地局装置毎に定められる参照信号が配置され、第２ＯＦＤＭシンボルの第９サブキャリアのアンテナ６に、基地局装置毎に定められる参照信号が配置され、第２ＯＦＤＭシンボルの第１２サブキャリアのアンテナ４に、基地局装置毎に定められる参照信号が配置され、第５ＯＦＤＭシンボルの第３サブキャリアのアンテナ０に、基地局装置毎に定められる参照信号が配置され、第５ＯＦＤＭシンボルの第６サブキャリアのアンテナ２に、基地局装置毎に定められる参照信号が配置され、第５ＯＦＤＭシンボルの第９サブキャリアのアンテナ０に、基地局装置毎に定められる参照信号が配置され、第５ＯＦＤＭシンボルの第１２サブキャリアのアンテナ２に、基地局装置毎に定められる参照信号が配置され、第８ＯＦＤＭシンボルの第３サブキャリアのアンテナ２に、基地局装置毎に定められる参照信号が配置され、第８ＯＦＤＭシンボルの第６サブキャリアのアンテナ０に、基地局装置毎に定められる参照信号が配置され、第８ＯＦＤＭシンボルの第９サブキャリアのアンテナ２に、基地局装置毎に定められる参照信号が配置され、第８ＯＦＤＭシンボルの第１２サブキャリアのアンテナ０に、基地局装置毎に定められる参照信号が配置され、第９ＯＦＤＭシンボルの第３サブキャリアのアンテナ４に、基地局装置毎に定められる参照信号が配置され、第９ＯＦＤＭシンボルの第６サブキャリアのアンテナ６に、基地局装置毎に定められる参照信号が配置され、第９ＯＦＤＭシンボルの第９サブキャリアのアンテナ４に、基地局装置毎に定められる参照信号が配置され、第９ＯＦＤＭシンボルの第１２サブキャリアのアンテナ６に、基地局装置毎に定められる参照信号が配置され、第１２ＯＦＤＭシンボルの第３サブキャリアのアンテナ０に、基地局装置毎に定められる参照信号が配置され、第１２ＯＦＤＭシンボルの第６サブキャリアのアンテナ２に、基地局装置毎に定められる参照信号が配置され、第１２ＯＦＤＭシンボルの第９サブキャリアのアンテナ０に、基地局装置毎に定められる参照信号が配置され、第１２ＯＦＤＭシンボルの第１２サブキャリアのアンテナ２に、基地局装置毎に定められる参照信号が配置されている。
【００３９】
（信号配置パターン３）
第２種リソースブロックに対する基地局装置毎に定められる参照信号の配置の一例を図７に示す。図７では、第２種リソースブロックに対して、第１ＯＦＤＭシンボルの第３サブキャリアのアンテナ２に、基地局装置毎に定められる参照信号が配置され、第１ＯＦＤＭシンボルの第６サブキャリアのアンテナ０に、基地局装置毎に定められる参照信号が配置され、第１ＯＦＤＭシンボルの第９サブキャリアのアンテナ２に、基地局装置毎に定められる参照信号が配置され、第１ＯＦＤＭシンボルの第１２サブキャリアのアンテナ０に、基地局装置毎に定められる参照信号が配置され、第２ＯＦＤＭシンボルの第３サブキャリアのアンテナ７に、基地局装置毎に定められる参照信号が配置され、第２ＯＦＤＭシンボルの第６サブキャリアのアンテナ５に、基地局装置毎に定められる参照信号が配置され、第２ＯＦＤＭシンボルの第９サブキャリアのアンテナ７に、基地局装置毎に定められる参照信号が配置され、第２ＯＦＤＭシンボルの第１２サブキャリアのアンテナ５に、基地局装置毎に定められる参照信号が配置され、第４ＯＦＤＭシンボルの第３サブキャリアのアンテナ０に、基地局装置毎に定められる参照信号が配置され、第４ＯＦＤＭシンボルの第６サブキャリアのアンテナ２に、基地局装置毎に定められる参照信号が配置され、第４ＯＦＤＭシンボルの第９サブキャリアのアンテナ０に、基地局装置毎に定められる参照信号が配置され、第４ＯＦＤＭシンボルの第１２サブキャリアのアンテナ２に、基地局装置毎に定められる参照信号が配置され、第７ＯＦＤＭシンボルの第３サブキャリアのアンテナ２に、基地局装置毎に定められる参照信号が配置され、第７ＯＦＤＭシンボルの第６サブキャリアのアンテナ０に、基地局装置毎に定められる参照信号が配置され、第７ＯＦＤＭシンボルの第９サブキャリアのアンテナ２に、基地局装置毎に定められる参照信号が配置され、第７ＯＦＤＭシンボルの第１２サブキャリアのアンテナ０に、基地局装置毎に定められる参照信号が配置され、第８ＯＦＤＭシンボルの第３サブキャリアのアンテナ５に、基地局装置毎に定められる参照信号が配置され、第８ＯＦＤＭシンボルの第６サブキャリアのアンテナ７に、基地局装置毎に定められる参照信号が配置され、第８ＯＦＤＭシンボルの第９サブキャリアのアンテナ５に、基地局装置毎に定められる参照信号が配置され、第８ＯＦＤＭシンボルの第１２サブキャリアのアンテナ７に、基地局装置毎に定められる参照信号が配置され、第１０ＯＦＤＭシンボルの第３サブキャリアのアンテナ０に、基地局装置毎に定められる参照信号が配置され、第１０ＯＦＤＭシンボルの第６サブキャリアのアンテナ２に、基地局装置毎に定められる参照信号が配置され、第１０ＯＦＤＭシンボルの第９サブキャリアのアンテナ０に、基地局装置毎に定められる参照信号が配置され、第１０ＯＦＤＭシンボルの第１２サブキャリアのアンテナ２に、基地局装置毎に定められる参照信号が配置されている。
【００４０】
（信号配置パターン４）
第２種リソースブロックに対する基地局装置毎に定められる参照信号の配置の一例を図８に示す。図８では、第２種リソースブロックに対して、第１ＯＦＤＭシンボルの第３サブキャリアのアンテナ２に、基地局装置毎に定められる参照信号が配置され、第１ＯＦＤＭシンボルの第６サブキャリアのアンテナ０に、基地局装置毎に定められる参照信号が配置され、第１ＯＦＤＭシンボルの第９サブキャリアのアンテナ２に、基地局装置毎に定められる参照信号が配置され、第１ＯＦＤＭシンボルの第１２サブキャリアのアンテナ０に、基地局装置毎に定められる参照信号が配置され、第２ＯＦＤＭシンボルの第３サブキャリアのアンテナ６に、基地局装置毎に定められる参照信号が配置され、第２ＯＦＤＭシンボルの第６サブキャリアのアンテナ４に、基地局装置毎に定められる参照信号が配置され、第２ＯＦＤＭシンボルの第９サブキャリアのアンテナ６に、基地局装置毎に定められる参照信号が配置され、第２ＯＦＤＭシンボルの第１２サブキャリアのアンテナ４に、基地局装置毎に定められる参照信号が配置され、第４ＯＦＤＭシンボルの第３サブキャリアのアンテナ０に、基地局装置毎に定められる参照信号が配置され、第４ＯＦＤＭシンボルの第６サブキャリアのアンテナ２に、基地局装置毎に定められる参照信号が配置され、第４ＯＦＤＭシンボルの第９サブキャリアのアンテナ０に、基地局装置毎に定められる参照信号が配置され、第４ＯＦＤＭシンボルの第１２サブキャリアのアンテナ２に、基地局装置毎に定められる参照信号が配置され、第７ＯＦＤＭシンボルの第３サブキャリアのアンテナ２に、基地局装置毎に定められる参照信号が配置され、第７ＯＦＤＭシンボルの第６サブキャリアのアンテナ０に、基地局装置毎に定められる参照信号が配置され、第７ＯＦＤＭシンボルの第９サブキャリアのアンテナ２に、基地局装置毎に定められる参照信号が配置され、第７ＯＦＤＭシンボルの第１２サブキャリアのアンテナ０に、基地局装置毎に定められる参照信号が配置され、第８ＯＦＤＭシンボルの第３サブキャリアのアンテナ４に、基地局装置毎に定められる参照信号が配置され、第８ＯＦＤＭシンボルの第６サブキャリアのアンテナ６に、基地局装置毎に定められる参照信号が配置され、第８ＯＦＤＭシンボルの第９サブキャリアのアンテナ４に、基地局装置毎に定められる参照信号が配置され、第８ＯＦＤＭシンボルの第１２サブキャリアのアンテナ６に、基地局装置毎に定められる参照信号が配置され、第１０ＯＦＤＭシンボルの第３サブキャリアのアンテナ０に、基地局装置毎に定められる参照信号が配置され、第１０ＯＦＤＭシンボルの第６サブキャリアのアンテナ２に、基地局装置毎に定められる参照信号が配置され、第１０ＯＦＤＭシンボルの第９サブキャリアのアンテナ０に、基地局装置毎に定められる参照信号が配置され、第１０ＯＦＤＭシンボルの第１２サブキャリアのアンテナ２に、基地局装置毎に定められる参照信号が配置されている。
【００４１】
（信号配置パターン５）
第１種リソースブロックに対する基地局装置毎に定められる参照信号の配置の一例を図９に示す。図９では、第１種リソースブロックに対して、第１ＯＦＤＭシンボルの第３サブキャリアのアンテナ１に、基地局装置毎に定められる参照信号が配置され、第１ＯＦＤＭシンボルの第３サブキャリアのアンテナ３に、第１ＯＦＤＭシンボルの第３サブキャリアのアンテナ１に配置される基地局装置毎に定められる参照信号を位相回転したものが配置され、第１ＯＦＤＭシンボルの第６サブキャリアのアンテナ０に、基地局装置毎に定められる参照信号が配置され、第１ＯＦＤＭシンボルの第６サブキャリアのアンテナ２に、第１ＯＦＤＭシンボルの第６サブキャリアのアンテナ０に配置される基地局装置毎に定められる参照信号を位相回転したものが配置され、第１ＯＦＤＭシンボルの第９サブキャリアのアンテナ１に、基地局装置毎に定められる参照信号が配置され、第１ＯＦＤＭシンボルの第９サブキャリアのアンテナ３に、第１ＯＦＤＭシンボルの第９サブキャリアのアンテナ１に配置される基地局装置毎に定められる参照信号を位相回転したものが配置され、第１ＯＦＤＭシンボルの第１２サブキャリアのアンテナ０に、基地局装置毎に定められる参照信号が配置され、第１ＯＦＤＭシンボルの第１２サブキャリアのアンテナ２に、第１ＯＦＤＭシンボルの第１２サブキャリアのアンテナ０に配置される基地局装置毎に定められる参照信号を位相回転したものが配置され、第２ＯＦＤＭシンボルの第３サブキャリアのアンテナ５に、基地局装置毎に定められる参照信号が配置され、第２ＯＦＤＭシンボルの第３サブキャリアのアンテナ７に、第２ＯＦＤＭシンボルの第３サブキャリアのアンテナ５に配置される基地局装置毎に定められる参照信号を位相回転したものが配置され、第２ＯＦＤＭシンボルの第６サブキャリアのアンテナ４に、基地局装置毎に定められる参照信号が配置され、第２ＯＦＤＭシンボルの第６サブキャリアのアンテナ６に、第２ＯＦＤＭシンボルの第６サブキャリアのアンテナ４に配置される基地局装置毎に定められる参照信号を位相回転したものが配置され、第２ＯＦＤＭシンボルの第９サブキャリアのアンテナ５に、基地局装置毎に定められる参照信号が配置され、第２ＯＦＤＭシンボルの第９サブキャリアのアンテナ７に、第２ＯＦＤＭシンボルの第９サブキャリアのアンテナ５に配置される基地局装置毎に定められる参照信号を位相回転したものが配置され、第２ＯＦＤＭシンボルの第１２サブキャリアのアンテナ４に、基地局装置毎に定められる参照信号が配置され、第２ＯＦＤＭシンボルの第１２サブキャリアのアンテナ６に、第２ＯＦＤＭシンボルの第１２サブキャリアのアンテナ４に配置される基地局装置毎に定められる参照信号を位相回転したものが配置され、第５ＯＦＤＭシンボルの第３サブキャリアのアンテナ０に、基地局装置毎に定められる参照信号が配置され、第５ＯＦＤＭシンボルの第３サブキャリアのアンテナ２に、第５ＯＦＤＭシンボルの第３サブキャリアのアンテナ０に配置される基地局装置毎に定められる参照信号を位相回転したものが配置され、第５ＯＦＤＭシンボルの第６サブキャリアのアンテナ１に、基地局装置毎に定められる参照信号が配置され、第５ＯＦＤＭシンボルの第６サブキャリアのアンテナ３に、第５ＯＦＤＭシンボルの第６サブキャリアのアンテナ１に配置される基地局装置毎に定められる参照信号を位相回転したものが配置され、第５ＯＦＤＭシンボルの第９サブキャリアのアンテナ０に、基地局装置毎に定められる参照信号が配置され、第５ＯＦＤＭシンボルの第９サブキャリアのアンテナ２に、第５ＯＦＤＭシンボルの第９サブキャリアのアンテナ０に配置される基地局装置毎に定められる参照信号を位相回転したものが配置され、第５ＯＦＤＭシンボルの第１２サブキャリアのアンテナ１に、基地局装置毎に定められる参照信号が配置され、第５ＯＦＤＭシンボルの第１２サブキャリアのアンテナ３に、第５ＯＦＤＭシンボルの第１２サブキャリアのアンテナ１に配置される基地局装置毎に定められる参照信号を位相回転したものが配置され、第８ＯＦＤＭシンボルの第３サブキャリアのアンテナ１に、基地局装置毎に定められる参照信号が配置され、第８ＯＦＤＭシンボルの第３サブキャリアのアンテナ３に、第８ＯＦＤＭシンボルの第３サブキャリアのアンテナ１に配置される基地局装置毎に定められる参照信号を位相回転したものが配置され、第８ＯＦＤＭシンボルの第６サブキャリアのアンテナ０に、基地局装置毎に定められる参照信号が配置され、第８ＯＦＤＭシンボルの第６サブキャリアのアンテナ２に、第８ＯＦＤＭシンボルの第６サブキャリアのアンテナ０に配置される基地局装置毎に定められる参照信号を位相回転したものが配置され、第８ＯＦＤＭシンボルの第９サブキャリアのアンテナ１に、基地局装置毎に定められる参照信号が配置され、第８ＯＦＤＭシンボルの第９サブキャリアのアンテナ３に、第８ＯＦＤＭシンボルの第９サブキャリアのアンテナ１に配置される基地局装置毎に定められる参照信号を位相回転したものが配置され、第８ＯＦＤＭシンボルの第１２サブキャリアのアンテナ０に、基地局装置毎に定められる参照信号が配置され、第８ＯＦＤＭシンボルの第１２サブキャリアのアンテナ２に、第８ＯＦＤＭシンボルの第１２サブキャリアのアンテナ０に配置される基地局装置毎に定められる参照信号を位相回転したものが配置され、第９ＯＦＤＭシンボルの第３サブキャリアのアンテナ４に、基地局装置毎に定められる参照信号が配置され、第９ＯＦＤＭシンボルの第３サブキャリアのアンテナ６に、第９ＯＦＤＭシンボルの第３サブキャリアのアンテナ４に配置される基地局装置毎に定められる参照信号を位相回転したものが配置され、第９ＯＦＤＭシンボルの第６サブキャリアのアンテナ５に、基地局装置毎に定められる参照信号が配置され、第９ＯＦＤＭシンボルの第６サブキャリアのアンテナ７に、第９ＯＦＤＭシンボルの第６サブキャリアのアンテナ５に配置される基地局装置毎に定められる参照信号を位相回転したものが配置され、第９ＯＦＤＭシンボルの第９サブキャリアのアンテナ４に、基地局装置毎に定められる参照信号が配置され、第９ＯＦＤＭシンボルの第９サブキャリアのアンテナ６に、第９ＯＦＤＭシンボルの第９サブキャリアのアンテナ４に配置される基地局装置毎に定められる参照信号を位相回転したものが配置され、第９ＯＦＤＭシンボルの第１２サブキャリアのアンテナ５に、基地局装置毎に定められる参照信号が配置され、第９ＯＦＤＭシンボルの第１２サブキャリアのアンテナ７に、第９ＯＦＤＭシンボルの第１２サブキャリアのアンテナ５に配置される基地局装置毎に定められる参照信号を位相回転したものが配置され、第１２ＯＦＤＭシンボルの第３サブキャリアのアンテナ０に、基地局装置毎に定められる参照信号が配置され、第１２ＯＦＤＭシンボルの第３サブキャリアのアンテナ２に、第１２ＯＦＤＭシンボルの第３サブキャリアのアンテナ０に配置される基地局装置毎に定められる参照信号を位相回転したものが配置され、第１２ＯＦＤＭシンボルの第６サブキャリアのアンテナ１に、基地局装置毎に定められる参照信号が配置され、第１２ＯＦＤＭシンボルの第６サブキャリアのアンテナ３に、第１２ＯＦＤＭシンボルの第６サブキャリアのアンテナ１に配置される基地局装置毎に定められる参照信号を位相回転したものが配置され、第１２ＯＦＤＭシンボルの第９サブキャリアのアンテナ０に、基地局装置毎に定められる参照信号が配置され、第１２ＯＦＤＭシンボルの第９サブキャリアのアンテナ２に、第１２ＯＦＤＭシンボルの第９サブキャリアのアンテナ０に配置される基地局装置毎に定められる参照信号を位相回転したものが配置され、第１２ＯＦＤＭシンボルの第１２サブキャリアのアンテナ１に、基地局装置毎に定められる参照信号が配置され、第１２ＯＦＤＭシンボルの第１２サブキャリアのアンテナ３に、第１２ＯＦＤＭシンボルの第１２サブキャリアのアンテナ１に配置される基地局装置毎に定められる参照信号を位相回転したものが配置されている。
【００４２】
（信号配置パターン６）
第１種リソースブロックに対する基地局装置毎に定められる参照信号の配置の一例を図１０に示す。図１０では、第１種リソースブロックに対して、第１ＯＦＤＭシンボルの第３サブキャリアのアンテナ１に、基地局装置毎に定められる参照信号が配置され、第１ＯＦＤＭシンボルの第３サブキャリアのアンテナ５に、第１ＯＦＤＭシンボルの第３サブキャリアのアンテナ１に配置される基地局装置毎に定められる参照信号を位相回転したものが配置され、第１ＯＦＤＭシンボルの第６サブキャリアのアンテナ０に、基地局装置毎に定められる参照信号が配置され、第１ＯＦＤＭシンボルの第６サブキャリアのアンテナ４に、第１ＯＦＤＭシンボルの第６サブキャリアのアンテナ０に配置される基地局装置毎に定められる参照信号を位相回転したものが配置され、第１ＯＦＤＭシンボルの第９サブキャリアのアンテナ１に、基地局装置毎に定められる参照信号が配置され、第１ＯＦＤＭシンボルの第９サブキャリアのアンテナ５に、第１ＯＦＤＭシンボルの第９サブキャリアのアンテナ１に配置される基地局装置毎に定められる参照信号を位相回転したものが配置され、第１ＯＦＤＭシンボルの第１２サブキャリアのアンテナ０に、基地局装置毎に定められる参照信号が配置され、第１ＯＦＤＭシンボルの第１２サブキャリアのアンテナ４に、第１ＯＦＤＭシンボルの第１２サブキャリアのアンテナ０に配置される基地局装置毎に定められる参照信号を位相回転したものが配置され、第２ＯＦＤＭシンボルの第３サブキャリアのアンテナ３に、基地局装置毎に定められる参照信号が配置され、第２ＯＦＤＭシンボルの第３サブキャリアのアンテナ７に、第２ＯＦＤＭシンボルの第３サブキャリアのアンテナ３に配置される基地局装置毎に定められる参照信号を位相回転したものが配置され、第２ＯＦＤＭシンボルの第６サブキャリアのアンテナ２に、基地局装置毎に定められる参照信号が配置され、第２ＯＦＤＭシンボルの第６サブキャリアのアンテナ６に、第２ＯＦＤＭシンボルの第６サブキャリアのアンテナ２に配置される基地局装置毎に定められる参照信号を位相回転したものが配置され、第２ＯＦＤＭシンボルの第９サブキャリアのアンテナ３に、基地局装置毎に定められる参照信号が配置され、第２ＯＦＤＭシンボルの第９サブキャリアのアンテナ７に、第２ＯＦＤＭシンボルの第９サブキャリアのアンテナ３に配置される基地局装置毎に定められる参照信号を位相回転したものが配置され、第２ＯＦＤＭシンボルの第１２サブキャリアのアンテナ２に、基地局装置毎に定められる参照信号が配置され、第２ＯＦＤＭシンボルの第１２サブキャリアのアンテナ６に、第２ＯＦＤＭシンボルの第１２サブキャリアのアンテナ２に配置される基地局装置毎に定められる参照信号を位相回転したものが配置され、第５ＯＦＤＭシンボルの第３サブキャリアのアンテナ０に、基地局装置毎に定められる参照信号が配置され、第５ＯＦＤＭシンボルの第３サブキャリアのアンテナ４に、第５ＯＦＤＭシンボルの第３サブキャリアのアンテナ０に配置される基地局装置毎に定められる参照信号を位相回転したものが配置され、第５ＯＦＤＭシンボルの第６サブキャリアのアンテナ１に、基地局装置毎に定められる参照信号が配置され、第５ＯＦＤＭシンボルの第６サブキャリアのアンテナ５に、第５ＯＦＤＭシンボルの第６サブキャリアのアンテナ１に配置される基地局装置毎に定められる参照信号を位相回転したものが配置され、第５ＯＦＤＭシンボルの第９サブキャリアのアンテナ０に、基地局装置毎に定められる参照信号が配置され、第５ＯＦＤＭシンボルの第９サブキャリアのアンテナ４に、第５ＯＦＤＭシンボルの第９サブキャリアのアンテナ０に配置される基地局装置毎に定められる参照信号を位相回転したものが配置され、第５ＯＦＤＭシンボルの第１２サブキャリアのアンテナ１に、基地局装置毎に定められる参照信号が配置され、第５ＯＦＤＭシンボルの第１２サブキャリアのアンテナ５に、第５ＯＦＤＭシンボルの第１２サブキャリアのアンテナ１に配置される基地局装置毎に定められる参照信号を位相回転したものが配置され、第８ＯＦＤＭシンボルの第３サブキャリアのアンテナ１に、基地局装置毎に定められる参照信号が配置され、第８ＯＦＤＭシンボルの第３サブキャリアのアンテナ５に、第８ＯＦＤＭシンボルの第３サブキャリアのアンテナ１に配置される基地局装置毎に定められる参照信号を位相回転したものが配置され、第８ＯＦＤＭシンボルの第６サブキャリアのアンテナ０に、基地局装置毎に定められる参照信号が配置され、第８ＯＦＤＭシンボルの第６サブキャリアのアンテナ４に、第８ＯＦＤＭシンボルの第６サブキャリアのアンテナ０に配置される基地局装置毎に定められる参照信号を位相回転したものが配置され、第８ＯＦＤＭシンボルの第９サブキャリアのアンテナ１に、基地局装置毎に定められる参照信号が配置され、第８ＯＦＤＭシンボルの第９サブキャリアのアンテナ５に、第８ＯＦＤＭシンボルの第９サブキャリアのアンテナ１に配置される基地局装置毎に定められる参照信号を位相回転したものが配置され、第８ＯＦＤＭシンボルの第１２サブキャリアのアンテナ０に、基地局装置毎に定められる参照信号が配置され、第８ＯＦＤＭシンボルの第１２サブキャリアのアンテナ４に、第８ＯＦＤＭシンボルの第１２サブキャリアのアンテナ０に配置される基地局装置毎に定められる参照信号を位相回転したものが配置され、第９ＯＦＤＭシンボルの第３サブキャリアのアンテナ２に、基地局装置毎に定められる参照信号が配置され、第９ＯＦＤＭシンボルの第３サブキャリアのアンテナ６に、第９ＯＦＤＭシンボルの第３サブキャリアのアンテナ２に配置される基地局装置毎に定められる参照信号を位相回転したものが配置され、第９ＯＦＤＭシンボルの第６サブキャリアのアンテナ３に、基地局装置毎に定められる参照信号が配置され、第９ＯＦＤＭシンボルの第６サブキャリアのアンテナ７に、第９ＯＦＤＭシンボルの第６サブキャリアのアンテナ３に配置される基地局装置毎に定められる参照信号を位相回転したものが配置され、第９ＯＦＤＭシンボルの第９サブキャリアのアンテナ２に、基地局装置毎に定められる参照信号が配置され、第９ＯＦＤＭシンボルの第９サブキャリアのアンテナ６に、第９ＯＦＤＭシンボルの第９サブキャリアのアンテナ２に配置される基地局装置毎に定められる参照信号を位相回転したものが配置され、第９ＯＦＤＭシンボルの第１２サブキャリアのアンテナ３に、基地局装置毎に定められる参照信号が配置され、第９ＯＦＤＭシンボルの第１２サブキャリアのアンテナ７に、第９ＯＦＤＭシンボルの第１２サブキャリアのアンテナ３に配置される基地局装置毎に定められる参照信号を位相回転したものが配置され、第１２ＯＦＤＭシンボルの第３サブキャリアのアンテナ０に、基地局装置毎に定められる参照信号が配置され、第１２ＯＦＤＭシンボルの第３サブキャリアのアンテナ４に、第１２ＯＦＤＭシンボルの第３サブキャリアのアンテナ０に配置される基地局装置毎に定められる参照信号を位相回転したものが配置され、第１２ＯＦＤＭシンボルの第６サブキャリアのアンテナ１に、基地局装置毎に定められる参照信号が配置され、第１２ＯＦＤＭシンボルの第６サブキャリアのアンテナ５に、第１２ＯＦＤＭシンボルの第６サブキャリアのアンテナ１に配置される基地局装置毎に定められる参照信号を位相回転したものが配置され、第１２ＯＦＤＭシンボルの第９サブキャリアのアンテナ０に、基地局装置毎に定められる参照信号が配置され、第１２ＯＦＤＭシンボルの第９サブキャリアのアンテナ４に、第１２ＯＦＤＭシンボルの第９サブキャリアのアンテナ０に配置される基地局装置毎に定められる参照信号を位相回転したものが配置され、第１２ＯＦＤＭシンボルの第１２サブキャリアのアンテナ１に、基地局装置毎に定められる参照信号が配置され、第１２ＯＦＤＭシンボルの第１２サブキャリアのアンテナ５に、第１２ＯＦＤＭシンボルの第１２サブキャリアのアンテナ１に配置される基地局装置毎に定められる参照信号を位相回転したものが配置されている。
【００４３】
（信号配置パターン７）
第１種リソースブロックに対する基地局装置毎に定められる参照信号の配置の一例を図１１に示す。図１１では、第１種リソースブロックに対して、第１ＯＦＤＭシンボルの第３サブキャリアのアンテナ２に、基地局装置毎に定められる参照信号が配置され、第１ＯＦＤＭシンボルの第３サブキャリアのアンテナ３に、第１ＯＦＤＭシンボルの第３サブキャリアのアンテナ２に配置される基地局装置毎に定められる参照信号を位相回転したものが配置され、第１ＯＦＤＭシンボルの第６サブキャリアのアンテナ０に、基地局装置毎に定められる参照信号が配置され、第１ＯＦＤＭシンボルの第６サブキャリアのアンテナ１に、第１ＯＦＤＭシンボルの第６サブキャリアのアンテナ０に配置される基地局装置毎に定められる参照信号を位相回転したものが配置され、第１ＯＦＤＭシンボルの第９サブキャリアのアンテナ２に、基地局装置毎に定められる参照信号が配置され、第１ＯＦＤＭシンボルの第９サブキャリアのアンテナ３に、第１ＯＦＤＭシンボルの第９サブキャリアのアンテナ２に配置される基地局装置毎に定められる参照信号を位相回転したものが配置され、第１ＯＦＤＭシンボルの第１２サブキャリアのアンテナ０に、基地局装置毎に定められる参照信号が配置され、第１ＯＦＤＭシンボルの第１２サブキャリアのアンテナ１に、第１ＯＦＤＭシンボルの第１２サブキャリアのアンテナ０に配置される基地局装置毎に定められる参照信号を位相回転したものが配置され、第２ＯＦＤＭシンボルの第３サブキャリアのアンテナ６に、基地局装置毎に定められる参照信号が配置され、第２ＯＦＤＭシンボルの第３サブキャリアのアンテナ７に、第２ＯＦＤＭシンボルの第３サブキャリアのアンテナ６に配置される基地局装置毎に定められる参照信号を位相回転したものが配置され、第２ＯＦＤＭシンボルの第６サブキャリアのアンテナ４に、基地局装置毎に定められる参照信号が配置され、第２ＯＦＤＭシンボルの第６サブキャリアのアンテナ５に、第２ＯＦＤＭシンボルの第６サブキャリアのアンテナ４に配置される基地局装置毎に定められる参照信号を位相回転したものが配置され、第２ＯＦＤＭシンボルの第９サブキャリアのアンテナ６に、基地局装置毎に定められる参照信号が配置され、第２ＯＦＤＭシンボルの第９サブキャリアのアンテナ７に、第２ＯＦＤＭシンボルの第９サブキャリアのアンテナ６に配置される基地局装置毎に定められる参照信号を位相回転したものが配置され、第２ＯＦＤＭシンボルの第１２サブキャリアのアンテナ４に、基地局装置毎に定められる参照信号が配置され、第２ＯＦＤＭシンボルの第１２サブキャリアのアンテナ５に、第２ＯＦＤＭシンボルの第１２サブキャリアのアンテナ４に配置される基地局装置毎に定められる参照信号を位相回転したものが配置され、第５ＯＦＤＭシンボルの第３サブキャリアのアンテナ０に、基地局装置毎に定められる参照信号が配置され、第５ＯＦＤＭシンボルの第３サブキャリアのアンテナ１に、第５ＯＦＤＭシンボルの第３サブキャリアのアンテナ０に配置される基地局装置毎に定められる参照信号を位相回転したものが配置され、第５ＯＦＤＭシンボルの第６サブキャリアのアンテナ２に、基地局装置毎に定められる参照信号が配置され、第５ＯＦＤＭシンボルの第６サブキャリアのアンテナ３に、第５ＯＦＤＭシンボルの第６サブキャリアのアンテナ２に配置される基地局装置毎に定められる参照信号を位相回転したものが配置され、第５ＯＦＤＭシンボルの第９サブキャリアのアンテナ０に、基地局装置毎に定められる参照信号が配置され、第５ＯＦＤＭシンボルの第９サブキャリアのアンテナ１に、第５ＯＦＤＭシンボルの第９サブキャリアのアンテナ０に配置される基地局装置毎に定められる参照信号を位相回転したものが配置され、第５ＯＦＤＭシンボルの第１２サブキャリアのアンテナ２に、基地局装置毎に定められる参照信号が配置され、第５ＯＦＤＭシンボルの第１２サブキャリアのアンテナ３に、第５ＯＦＤＭシンボルの第１２サブキャリアのアンテナ２に配置される基地局装置毎に定められる参照信号を位相回転したものが配置され、第８ＯＦＤＭシンボルの第３サブキャリアのアンテナ２に、基地局装置毎に定められる参照信号が配置され、第８ＯＦＤＭシンボルの第３サブキャリアのアンテナ３に、第８ＯＦＤＭシンボルの第３サブキャリアのアンテナ２に配置される基地局装置毎に定められる参照信号を位相回転したものが配置され、第８ＯＦＤＭシンボルの第６サブキャリアのアンテナ０に、基地局装置毎に定められる参照信号が配置され、第８ＯＦＤＭシンボルの第６サブキャリアのアンテナ１に、第８ＯＦＤＭシンボルの第６サブキャリアのアンテナ０に配置される基地局装置毎に定められる参照信号を位相回転したものが配置され、第８ＯＦＤＭシンボルの第９サブキャリアのアンテナ２に、基地局装置毎に定められる参照信号が配置され、第８ＯＦＤＭシンボルの第９サブキャリアのアンテナ３に、第８ＯＦＤＭシンボルの第９サブキャリアのアンテナ２に配置される基地局装置毎に定められる参照信号を位相回転したものが配置され、第８ＯＦＤＭシンボルの第１２サブキャリアのアンテナ０に、基地局装置毎に定められる参照信号が配置され、第８ＯＦＤＭシンボルの第１２サブキャリアのアンテナ１に、第８ＯＦＤＭシンボルの第１２サブキャリアのアンテナ０に配置される基地局装置毎に定められる参照信号を位相回転したものが配置され、第９ＯＦＤＭシンボルの第３サブキャリアのアンテナ４に、基地局装置毎に定められる参照信号が配置され、第９ＯＦＤＭシンボルの第３サブキャリアのアンテナ５に、第９ＯＦＤＭシンボルの第３サブキャリアのアンテナ４に配置される基地局装置毎に定められる参照信号を位相回転したものが配置され、第９ＯＦＤＭシンボルの第６サブキャリアのアンテナ６に、基地局装置毎に定められる参照信号が配置され、第９ＯＦＤＭシンボルの第６サブキャリアのアンテナ７に、第９ＯＦＤＭシンボルの第６サブキャリアのアンテナ６に配置される基地局装置毎に定められる参照信号を位相回転したものが配置され、第９ＯＦＤＭシンボルの第９サブキャリアのアンテナ４に、基地局装置毎に定められる参照信号が配置され、第９ＯＦＤＭシンボルの第９サブキャリアのアンテナ５に、第９ＯＦＤＭシンボルの第９サブキャリアのアンテナ４に配置される基地局装置毎に定められる参照信号を位相回転したものが配置され、第９ＯＦＤＭシンボルの第１２サブキャリアのアンテナ６に、基地局装置毎に定められる参照信号が配置され、第９ＯＦＤＭシンボルの第１２サブキャリアのアンテナ７に、第９ＯＦＤＭシンボルの第１２サブキャリアのアンテナ６に配置される基地局装置毎に定められる参照信号を位相回転したものが配置され、第１２ＯＦＤＭシンボルの第３サブキャリアのアンテナ０に、基地局装置毎に定められる参照信号が配置され、第１２ＯＦＤＭシンボルの第３サブキャリアのアンテナ１に、第１２ＯＦＤＭシンボルの第３サブキャリアのアンテナ０に配置される基地局装置毎に定められる参照信号を位相回転したものが配置され、第１２ＯＦＤＭシンボルの第６サブキャリアのアンテナ２に、基地局装置毎に定められる参照信号が配置され、第１２ＯＦＤＭシンボルの第６サブキャリアのアンテナ３に、第１２ＯＦＤＭシンボルの第６サブキャリアのアンテナ２に配置される基地局装置毎に定められる参照信号を位相回転したものが配置され、第１２ＯＦＤＭシンボルの第９サブキャリアのアンテナ０に、基地局装置毎に定められる参照信号が配置され、第１２ＯＦＤＭシンボルの第９サブキャリアのアンテナ１に、第１２ＯＦＤＭシンボルの第９サブキャリアのアンテナ０に配置される基地局装置毎に定められる参照信号を位相回転したものが配置され、第１２ＯＦＤＭシンボルの第１２サブキャリアのアンテナ２に、基地局装置毎に定められる参照信号が配置され、第１２ＯＦＤＭシンボルの第１２サブキャリアのアンテナ３に、第１２ＯＦＤＭシンボルの第１２サブキャリアのアンテナ２に配置される基地局装置毎に定められる参照信号を位相回転したものが配置されている。
【００４４】
（信号配置パターン８）
第２種リソースブロックに対する基地局装置毎に定められる参照信号の配置の一例を図１２に示す。図１２では、第２種リソースブロックに対して、第１ＯＦＤＭシンボルの第３サブキャリアのアンテナ１に、基地局装置毎に定められる参照信号が配置され、第１ＯＦＤＭシンボルの第３サブキャリアのアンテナ３に、第１ＯＦＤＭシンボルの第３サブキャリアのアンテナ１に配置される基地局装置毎に定められる参照信号を位相回転したものが配置され、第１ＯＦＤＭシンボルの第６サブキャリアのアンテナ０に、基地局装置毎に定められる参照信号が配置され、第１ＯＦＤＭシンボルの第６サブキャリアのアンテナ２に、第１ＯＦＤＭシンボルの第６サブキャリアのアンテナ０に配置される基地局装置毎に定められる参照信号を位相回転したものが配置され、第１ＯＦＤＭシンボルの第９サブキャリアのアンテナ１に、基地局装置毎に定められる参照信号が配置され、第１ＯＦＤＭシンボルの第９サブキャリアのアンテナ３に、第１ＯＦＤＭシンボルの第９サブキャリアのアンテナ１に配置される基地局装置毎に定められる参照信号を位相回転したものが配置され、第１ＯＦＤＭシンボルの第１２サブキャリアのアンテナ０に、基地局装置毎に定められる参照信号が配置され、第１ＯＦＤＭシンボルの第１２サブキャリアのアンテナ２に、第１ＯＦＤＭシンボルの第１２サブキャリアのアンテナ０に配置される基地局装置毎に定められる参照信号を位相回転したものが配置され、第２ＯＦＤＭシンボルの第３サブキャリアのアンテナ５に、基地局装置毎に定められる参照信号が配置され、第２ＯＦＤＭシンボルの第３サブキャリアのアンテナ７に、第２ＯＦＤＭシンボルの第３サブキャリアのアンテナ５に配置される基地局装置毎に定められる参照信号を位相回転したものが配置され、第２ＯＦＤＭシンボルの第６サブキャリアのアンテナ４に、基地局装置毎に定められる参照信号が配置され、第２ＯＦＤＭシンボルの第６サブキャリアのアンテナ６に、第２ＯＦＤＭシンボルの第６サブキャリアのアンテナ４に配置される基地局装置毎に定められる参照信号を位相回転したものが配置され、第２ＯＦＤＭシンボルの第９サブキャリアのアンテナ５に、基地局装置毎に定められる参照信号が配置され、第２ＯＦＤＭシンボルの第９サブキャリアのアンテナ７に、第２ＯＦＤＭシンボルの第９サブキャリアのアンテナ５に配置される基地局装置毎に定められる参照信号を位相回転したものが配置され、第２ＯＦＤＭシンボルの第１２サブキャリアのアンテナ４に、基地局装置毎に定められる参照信号が配置され、第２ＯＦＤＭシンボルの第１２サブキャリアのアンテナ６に、第２ＯＦＤＭシンボルの第１２サブキャリアのアンテナ４に配置される基地局装置毎に定められる参照信号を位相回転したものが配置され、第４ＯＦＤＭシンボルの第３サブキャリアのアンテナ０に、基地局装置毎に定められる参照信号が配置され、第４ＯＦＤＭシンボルの第３サブキャリアのアンテナ２に、第４ＯＦＤＭシンボルの第３サブキャリアのアンテナ０に配置される基地局装置毎に定められる参照信号を位相回転したものが配置され、第４ＯＦＤＭシンボルの第６サブキャリアのアンテナ１に、基地局装置毎に定められる参照信号が配置され、第４ＯＦＤＭシンボルの第６サブキャリアのアンテナ３に、第４ＯＦＤＭシンボルの第６サブキャリアのアンテナ１に配置される基地局装置毎に定められる参照信号を位相回転したものが配置され、第４ＯＦＤＭシンボルの第９サブキャリアのアンテナ０に、基地局装置毎に定められる参照信号が配置され、第４ＯＦＤＭシンボルの第９サブキャリアのアンテナ２に、第４ＯＦＤＭシンボルの第９サブキャリアのアンテナ０に配置される基地局装置毎に定められる参照信号を位相回転したものが配置され、第４ＯＦＤＭシンボルの第１２サブキャリアのアンテナ１に、基地局装置毎に定められる参照信号が配置され、第４ＯＦＤＭシンボルの第１２サブキャリアのアンテナ３に、第４ＯＦＤＭシンボルの第１２サブキャリアのアンテナ１に配置される基地局装置毎に定められる参照信号を位相回転したものが配置され、第７ＯＦＤＭシンボルの第３サブキャリアのアンテナ１に、基地局装置毎に定められる参照信号が配置され、第７ＯＦＤＭシンボルの第３サブキャリアのアンテナ３に、第７ＯＦＤＭシンボルの第３サブキャリアのアンテナ１に配置される基地局装置毎に定められる参照信号を位相回転したものが配置され、第７ＯＦＤＭシンボルの第６サブキャリアのアンテナ０に、基地局装置毎に定められる参照信号が配置され、第７ＯＦＤＭシンボルの第６サブキャリアのアンテナ２に、第７ＯＦＤＭシンボルの第６サブキャリアのアンテナ０に配置される基地局装置毎に定められる参照信号を位相回転したものが配置され、第７ＯＦＤＭシンボルの第９サブキャリアのアンテナ１に、基地局装置毎に定められる参照信号が配置され、第７ＯＦＤＭシンボルの第９サブキャリアのアンテナ３に、第７ＯＦＤＭシンボルの第９サブキャリアのアンテナ１に配置される基地局装置毎に定められる参照信号を位相回転したものが配置され、第７ＯＦＤＭシンボルの第１２サブキャリアのアンテナ０に、基地局装置毎に定められる参照信号が配置され、第７ＯＦＤＭシンボルの第１２サブキャリアのアンテナ２に、第７ＯＦＤＭシンボルの第１２サブキャリアのアンテナ０に配置される基地局装置毎に定められる参照信号を位相回転したものが配置され、第８ＯＦＤＭシンボルの第３サブキャリアのアンテナ４に、基地局装置毎に定められる参照信号が配置され、第８ＯＦＤＭシンボルの第３サブキャリアのアンテナ６に、第８ＯＦＤＭシンボルの第３サブキャリアのアンテナ４に配置される基地局装置毎に定められる参照信号を位相回転したものが配置され、第８ＯＦＤＭシンボルの第６サブキャリアのアンテナ５に、基地局装置毎に定められる参照信号が配置され、第８ＯＦＤＭシンボルの第６サブキャリアのアンテナ７に、第８ＯＦＤＭシンボルの第６サブキャリアのアンテナ５に配置される基地局装置毎に定められる参照信号を位相回転したものが配置され、第８ＯＦＤＭシンボルの第９サブキャリアのアンテナ４に、基地局装置毎に定められる参照信号が配置され、第８ＯＦＤＭシンボルの第９サブキャリアのアンテナ６に、第８ＯＦＤＭシンボルの第９サブキャリアのアンテナ４に配置される基地局装置毎に定められる参照信号を位相回転したものが配置され、第８ＯＦＤＭシンボルの第１２サブキャリアのアンテナ５に、基地局装置毎に定められる参照信号が配置され、第８ＯＦＤＭシンボルの第１２サブキャリアのアンテナ７に、第８ＯＦＤＭシンボルの第１２サブキャリアのアンテナ５に配置される基地局装置毎に定められる参照信号を位相回転したものが配置され、第１０ＯＦＤＭシンボルの第３サブキャリアのアンテナ０に、基地局装置毎に定められる参照信号が配置され、第１０ＯＦＤＭシンボルの第３サブキャリアのアンテナ２に、第１０ＯＦＤＭシンボルの第３サブキャリアのアンテナ０に配置される基地局装置毎に定められる参照信号を位相回転したものが配置され、第１０ＯＦＤＭシンボルの第６サブキャリアのアンテナ１に、基地局装置毎に定められる参照信号が配置され、第１０ＯＦＤＭシンボルの第６サブキャリアのアンテナ３に、第１０ＯＦＤＭシンボルの第６サブキャリアのアンテナ１に配置される基地局装置毎に定められる参照信号を位相回転したものが配置され、第１０ＯＦＤＭシンボルの第９サブキャリアのアンテナ０に、基地局装置毎に定められる参照信号が配置され、第１０ＯＦＤＭシンボルの第９サブキャリアのアンテナ２に、第１０ＯＦＤＭシンボルの第９サブキャリアのアンテナ０に配置される基地局装置毎に定められる参照信号を位相回転したものが配置され、第１０ＯＦＤＭシンボルの第１２サブキャリアのアンテナ１に、基地局装置毎に定められる参照信号が配置され、第１０ＯＦＤＭシンボルの第１２サブキャリアのアンテナ３に、第１０ＯＦＤＭシンボルの第１２サブキャリアのアンテナ１に配置される基地局装置毎に定められる参照信号を位相回転したものが配置されている。
【００４５】
（信号配置パターン９）
第２種リソースブロックに対する基地局装置毎に定められる参照信号の配置の一例を図１３に示す。図１３では、第２種リソースブロックに対して、第１ＯＦＤＭシンボルの第３サブキャリアのアンテナ１に、基地局装置毎に定められる参照信号が配置され、第１ＯＦＤＭシンボルの第３サブキャリアのアンテナ５に、第１ＯＦＤＭシンボルの第３サブキャリアのアンテナ１に配置される基地局装置毎に定められる参照信号を位相回転したものが配置され、第１ＯＦＤＭシンボルの第６サブキャリアのアンテナ０に、基地局装置毎に定められる参照信号が配置され、第１ＯＦＤＭシンボルの第６サブキャリアのアンテナ４に、第１ＯＦＤＭシンボルの第６サブキャリアのアンテナ０に配置される基地局装置毎に定められる参照信号を位相回転したものが配置され、第１ＯＦＤＭシンボルの第９サブキャリアのアンテナ１に、基地局装置毎に定められる参照信号が配置され、第１ＯＦＤＭシンボルの第９サブキャリアのアンテナ５に、第１ＯＦＤＭシンボルの第９サブキャリアのアンテナ１に配置される基地局装置毎に定められる参照信号を位相回転したものが配置され、第１ＯＦＤＭシンボルの第１２サブキャリアのアンテナ０に、基地局装置毎に定められる参照信号が配置され、第１ＯＦＤＭシンボルの第１２サブキャリアのアンテナ４に、第１ＯＦＤＭシンボルの第１２サブキャリアのアンテナ０に配置される基地局装置毎に定められる参照信号を位相回転したものが配置され、第２ＯＦＤＭシンボルの第３サブキャリアのアンテナ３に、基地局装置毎に定められる参照信号が配置され、第２ＯＦＤＭシンボルの第３サブキャリアのアンテナ７に、第２ＯＦＤＭシンボルの第３サブキャリアのアンテナ３に配置される基地局装置毎に定められる参照信号を位相回転したものが配置され、第２ＯＦＤＭシンボルの第６サブキャリアのアンテナ２に、基地局装置毎に定められる参照信号が配置され、第２ＯＦＤＭシンボルの第６サブキャリアのアンテナ６に、第２ＯＦＤＭシンボルの第６サブキャリアのアンテナ２に配置される基地局装置毎に定められる参照信号を位相回転したものが配置され、第２ＯＦＤＭシンボルの第９サブキャリアのアンテナ３に、基地局装置毎に定められる参照信号が配置され、第２ＯＦＤＭシンボルの第９サブキャリアのアンテナ７に、第２ＯＦＤＭシンボルの第９サブキャリアのアンテナ３に配置される基地局装置毎に定められる参照信号を位相回転したものが配置され、第２ＯＦＤＭシンボルの第１２サブキャリアのアンテナ２に、基地局装置毎に定められる参照信号が配置され、第２ＯＦＤＭシンボルの第１２サブキャリアのアンテナ６に、第２ＯＦＤＭシンボルの第１２サブキャリアのアンテナ２に配置される基地局装置毎に定められる参照信号を位相回転したものが配置され、第４ＯＦＤＭシンボルの第３サブキャリアのアンテナ０に、基地局装置毎に定められる参照信号が配置され、第４ＯＦＤＭシンボルの第３サブキャリアのアンテナ４に、第４ＯＦＤＭシンボルの第３サブキャリアのアンテナ０に配置される基地局装置毎に定められる参照信号を位相回転したものが配置され、第４ＯＦＤＭシンボルの第６サブキャリアのアンテナ１に、基地局装置毎に定められる参照信号が配置され、第４ＯＦＤＭシンボルの第６サブキャリアのアンテナ５に、第４ＯＦＤＭシンボルの第６サブキャリアのアンテナ１に配置される基地局装置毎に定められる参照信号を位相回転したものが配置され、第４ＯＦＤＭシンボルの第９サブキャリアのアンテナ０に、基地局装置毎に定められる参照信号が配置され、第４ＯＦＤＭシンボルの第９サブキャリアのアンテナ４に、第４ＯＦＤＭシンボルの第９サブキャリアのアンテナ０に配置される基地局装置毎に定められる参照信号を位相回転したものが配置され、第４ＯＦＤＭシンボルの第１２サブキャリアのアンテナ１に、基地局装置毎に定められる参照信号が配置され、第４ＯＦＤＭシンボルの第１２サブキャリアのアンテナ５に、第４ＯＦＤＭシンボルの第１２サブキャリアのアンテナ１に配置される基地局装置毎に定められる参照信号を位相回転したものが配置され、第７ＯＦＤＭシンボルの第３サブキャリアのアンテナ１に、基地局装置毎に定められる参照信号が配置され、第７ＯＦＤＭシンボルの第３サブキャリアのアンテナ５に、第７ＯＦＤＭシンボルの第３サブキャリアのアンテナ１に配置される基地局装置毎に定められる参照信号を位相回転したものが配置され、第７ＯＦＤＭシンボルの第６サブキャリアのアンテナ０に、基地局装置毎に定められる参照信号が配置され、第７ＯＦＤＭシンボルの第６サブキャリアのアンテナ４に、第７ＯＦＤＭシンボルの第６サブキャリアのアンテナ０に配置される基地局装置毎に定められる参照信号を位相回転したものが配置され、第７ＯＦＤＭシンボルの第９サブキャリアのアンテナ１に、基地局装置毎に定められる参照信号が配置され、第７ＯＦＤＭシンボルの第９サブキャリアのアンテナ５に、第７ＯＦＤＭシンボルの第９サブキャリアのアンテナ１に配置される基地局装置毎に定められる参照信号を位相回転したものが配置され、第７ＯＦＤＭシンボルの第１２サブキャリアのアンテナ０に、基地局装置毎に定められる参照信号が配置され、第７ＯＦＤＭシンボルの第１２サブキャリアのアンテナ４に、第７ＯＦＤＭシンボルの第１２サブキャリアのアンテナ０に配置される基地局装置毎に定められる参照信号を位相回転したものが配置され、第８ＯＦＤＭシンボルの第３サブキャリアのアンテナ２に、基地局装置毎に定められる参照信号が配置され、第８ＯＦＤＭシンボルの第３サブキャリアのアンテナ６に、第８ＯＦＤＭシンボルの第３サブキャリアのアンテナ２に配置される基地局装置毎に定められる参照信号を位相回転したものが配置され、第８ＯＦＤＭシンボルの第６サブキャリアのアンテナ３に、基地局装置毎に定められる参照信号が配置され、第８ＯＦＤＭシンボルの第６サブキャリアのアンテナ７に、第８ＯＦＤＭシンボルの第６サブキャリアのアンテナ３に配置される基地局装置毎に定められる参照信号を位相回転したものが配置され、第８ＯＦＤＭシンボルの第９サブキャリアのアンテナ２に、基地局装置毎に定められる参照信号が配置され、第８ＯＦＤＭシンボルの第９サブキャリアのアンテナ６に、第８ＯＦＤＭシンボルの第９サブキャリアのアンテナ２に配置される基地局装置毎に定められる参照信号を位相回転したものが配置され、第８ＯＦＤＭシンボルの第１２サブキャリアのアンテナ３に、基地局装置毎に定められる参照信号が配置され、第８ＯＦＤＭシンボルの第１２サブキャリアのアンテナ７に、第８ＯＦＤＭシンボルの第１２サブキャリアのアンテナ３に配置される基地局装置毎に定められる参照信号を位相回転したものが配置され、第１０ＯＦＤＭシンボルの第３サブキャリアのアンテナ０に、基地局装置毎に定められる参照信号が配置され、第１０ＯＦＤＭシンボルの第３サブキャリアのアンテナ４に、第１０ＯＦＤＭシンボルの第３サブキャリアのアンテナ０に配置される基地局装置毎に定められる参照信号を位相回転したものが配置され、第１０ＯＦＤＭシンボルの第６サブキャリアのアンテナ１に、基地局装置毎に定められる参照信号が配置され、第１０ＯＦＤＭシンボルの第６サブキャリアのアンテナ５に、第１０ＯＦＤＭシンボルの第６サブキャリアのアンテナ１に配置される基地局装置毎に定められる参照信号を位相回転したものが配置され、第１０ＯＦＤＭシンボルの第９サブキャリアのアンテナ０に、基地局装置毎に定められる参照信号が配置され、第１０ＯＦＤＭシンボルの第９サブキャリアのアンテナ４に、第１０ＯＦＤＭシンボルの第９サブキャリアのアンテナ０に配置される基地局装置毎に定められる参照信号を位相回転したものが配置され、第１０ＯＦＤＭシンボルの第１２サブキャリアのアンテナ１に、基地局装置毎に定められる参照信号が配置され、第１０ＯＦＤＭシンボルの第１２サブキャリアのアンテナ５に、第１０ＯＦＤＭシンボルの第１２サブキャリアのアンテナ１に配置される基地局装置毎に定められる参照信号を位相回転したものが配置されている。
【００４６】
（信号配置パターン１０）
第２種リソースブロックに対する基地局装置毎に定められる参照信号の配置の一例を図１４に示す。図１４では、第２種リソースブロックに対して、第１ＯＦＤＭシンボルの第３サブキャリアのアンテナ２に、基地局装置毎に定められる参照信号が配置され、第１ＯＦＤＭシンボルの第３サブキャリアのアンテナ３に、第１ＯＦＤＭシンボルの第３サブキャリアのアンテナ２に配置される基地局装置毎に定められる参照信号を位相回転したものが配置され、第１ＯＦＤＭシンボルの第６サブキャリアのアンテナ０に、基地局装置毎に定められる参照信号が配置され、第１ＯＦＤＭシンボルの第６サブキャリアのアンテナ１に、第１ＯＦＤＭシンボルの第６サブキャリアのアンテナ０に配置される基地局装置毎に定められる参照信号を位相回転したものが配置され、第１ＯＦＤＭシンボルの第９サブキャリアのアンテナ２に、基地局装置毎に定められる参照信号が配置され、第１ＯＦＤＭシンボルの第９サブキャリアのアンテナ３に、第１ＯＦＤＭシンボルの第９サブキャリアのアンテナ２に配置される基地局装置毎に定められる参照信号を位相回転したものが配置され、第１ＯＦＤＭシンボルの第１２サブキャリアのアンテナ０に、基地局装置毎に定められる参照信号が配置され、第１ＯＦＤＭシンボルの第１２サブキャリアのアンテナ１に、第１ＯＦＤＭシンボルの第１２サブキャリアのアンテナ０に配置される基地局装置毎に定められる参照信号を位相回転したものが配置され、第２ＯＦＤＭシンボルの第３サブキャリアのアンテナ６に、基地局装置毎に定められる参照信号が配置され、第２ＯＦＤＭシンボルの第３サブキャリアのアンテナ７に、第２ＯＦＤＭシンボルの第３サブキャリアのアンテナ６に配置される基地局装置毎に定められる参照信号を位相回転したものが配置され、第２ＯＦＤＭシンボルの第６サブキャリアのアンテナ４に、基地局装置毎に定められる参照信号が配置され、第２ＯＦＤＭシンボルの第６サブキャリアのアンテナ５に、第２ＯＦＤＭシンボルの第６サブキャリアのアンテナ４に配置される基地局装置毎に定められる参照信号を位相回転したものが配置され、第２ＯＦＤＭシンボルの第９サブキャリアのアンテナ６に、基地局装置毎に定められる参照信号が配置され、第２ＯＦＤＭシンボルの第９サブキャリアのアンテナ７に、第２ＯＦＤＭシンボルの第９サブキャリアのアンテナ６に配置される基地局装置毎に定められる参照信号を位相回転したものが配置され、第２ＯＦＤＭシンボルの第１２サブキャリアのアンテナ４に、基地局装置毎に定められる参照信号が配置され、第２ＯＦＤＭシンボルの第１２サブキャリアのアンテナ５に、第２ＯＦＤＭシンボルの第１２サブキャリアのアンテナ４に配置される基地局装置毎に定められる参照信号を位相回転したものが配置され、第４ＯＦＤＭシンボルの第３サブキャリアのアンテナ０に、基地局装置毎に定められる参照信号が配置され、第４ＯＦＤＭシンボルの第３サブキャリアのアンテナ１に、第４ＯＦＤＭシンボルの第３サブキャリアのアンテナ０に配置される基地局装置毎に定められる参照信号を位相回転したものが配置され、第４ＯＦＤＭシンボルの第６サブキャリアのアンテナ２に、基地局装置毎に定められる参照信号が配置され、第４ＯＦＤＭシンボルの第６サブキャリアのアンテナ３に、第４ＯＦＤＭシンボルの第６サブキャリアのアンテナ２に配置される基地局装置毎に定められる参照信号を位相回転したものが配置され、第４ＯＦＤＭシンボルの第９サブキャリアのアンテナ０に、基地局装置毎に定められる参照信号が配置され、第４ＯＦＤＭシンボルの第９サブキャリアのアンテナ１に、第４ＯＦＤＭシンボルの第９サブキャリアのアンテナ０に配置される基地局装置毎に定められる参照信号を位相回転したものが配置され、第４ＯＦＤＭシンボルの第１２サブキャリアのアンテナ２に、基地局装置毎に定められる参照信号が配置され、第４ＯＦＤＭシンボルの第１２サブキャリアのアンテナ３に、第４ＯＦＤＭシンボルの第１２サブキャリアのアンテナ２に配置される基地局装置毎に定められる参照信号を位相回転したものが配置され、第７ＯＦＤＭシンボルの第３サブキャリアのアンテナ２に、基地局装置毎に定められる参照信号が配置され、第７ＯＦＤＭシンボルの第３サブキャリアのアンテナ３に、第７ＯＦＤＭシンボルの第３サブキャリアのアンテナ２に配置される基地局装置毎に定められる参照信号を位相回転したものが配置され、第７ＯＦＤＭシンボルの第６サブキャリアのアンテナ０に、基地局装置毎に定められる参照信号が配置され、第７ＯＦＤＭシンボルの第６サブキャリアのアンテナ１に、第７ＯＦＤＭシンボルの第６サブキャリアのアンテナ０に配置される基地局装置毎に定められる参照信号を位相回転したものが配置され、第７ＯＦＤＭシンボルの第９サブキャリアのアンテナ２に、基地局装置毎に定められる参照信号が配置され、第７ＯＦＤＭシンボルの第９サブキャリアのアンテナ３に、第７ＯＦＤＭシンボルの第９サブキャリアのアンテナ２に配置される基地局装置毎に定められる参照信号を位相回転したものが配置され、第７ＯＦＤＭシンボルの第１２サブキャリアのアンテナ０に、基地局装置毎に定められる参照信号が配置され、第７ＯＦＤＭシンボルの第１２サブキャリアのアンテナ１に、第７ＯＦＤＭシンボルの第１２サブキャリアのアンテナ０に配置される基地局装置毎に定められる参照信号を位相回転したものが配置され、第８ＯＦＤＭシンボルの第３サブキャリアのアンテナ４に、基地局装置毎に定められる参照信号が配置され、第８ＯＦＤＭシンボルの第３サブキャリアのアンテナ５に、第８ＯＦＤＭシンボルの第３サブキャリアのアンテナ４に配置される基地局装置毎に定められる参照信号を位相回転したものが配置され、第８ＯＦＤＭシンボルの第６サブキャリアのアンテナ６に、基地局装置毎に定められる参照信号が配置され、第８ＯＦＤＭシンボルの第６サブキャリアのアンテナ７に、第８ＯＦＤＭシンボルの第６サブキャリアのアンテナ６に配置される基地局装置毎に定められる参照信号を位相回転したものが配置され、第８ＯＦＤＭシンボルの第９サブキャリアのアンテナ４に、基地局装置毎に定められる参照信号が配置され、第８ＯＦＤＭシンボルの第９サブキャリアのアンテナ５に、第８ＯＦＤＭシンボルの第９サブキャリアのアンテナ４に配置される基地局装置毎に定められる参照信号を位相回転したものが配置され、第８ＯＦＤＭシンボルの第１２サブキャリアのアンテナ６に、基地局装置毎に定められる参照信号が配置され、第８ＯＦＤＭシンボルの第１２サブキャリアのアンテナ７に、第８ＯＦＤＭシンボルの第１２サブキャリアのアンテナ６に配置される基地局装置毎に定められる参照信号を位相回転したものが配置され、第１０ＯＦＤＭシンボルの第３サブキャリアのアンテナ０に、基地局装置毎に定められる参照信号が配置され、第１０ＯＦＤＭシンボルの第３サブキャリアのアンテナ１に、第１０ＯＦＤＭシンボルの第３サブキャリアのアンテナ０に配置される基地局装置毎に定められる参照信号を位相回転したものが配置され、第１０ＯＦＤＭシンボルの第６サブキャリアのアンテナ２に、基地局装置毎に定められる参照信号が配置され、第１０ＯＦＤＭシンボルの第６サブキャリアのアンテナ３に、第１０ＯＦＤＭシンボルの第６サブキャリアのアンテナ２に配置される基地局装置毎に定められる参照信号を位相回転したものが配置され、第１０ＯＦＤＭシンボルの第９サブキャリアのアンテナ０に、基地局装置毎に定められる参照信号が配置され、第１０ＯＦＤＭシンボルの第９サブキャリアのアンテナ１に、第１０ＯＦＤＭシンボルの第９サブキャリアのアンテナ０に配置される基地局装置毎に定められる参照信号を位相回転したものが配置され、第１０ＯＦＤＭシンボルの第１２サブキャリアのアンテナ２に、基地局装置毎に定められる参照信号が配置され、第１０ＯＦＤＭシンボルの第１２サブキャリアのアンテナ３に、第１０ＯＦＤＭシンボルの第１２サブキャリアのアンテナ２に配置される基地局装置毎に定められる参照信号を位相回転したものが配置されている。
【００４７】
（信号配置パターン１１）
第１種リソースブロックに対する移動局装置毎に定められる参照信号の配置の一例を図１５に示す。図１５では、第１種リソースブロックに対して、第３ＯＦＤＭシンボルの第３サブキャリアのアンテナ３に、移動局装置毎に定められる参照信号が配置され、第３ＯＦＤＭシンボルの第６サブキャリアのアンテナ１に、移動局装置毎に定められる参照信号が配置され、第３ＯＦＤＭシンボルの第９サブキャリアのアンテナ３に、移動局装置毎に定められる参照信号が配置され、第３ＯＦＤＭシンボルの第１２サブキャリアのアンテナ１に、移動局装置毎に定められる参照信号が配置され、第４ＯＦＤＭシンボルの第３サブキャリアのアンテナ６に、移動局装置毎に定められる参照信号が配置され、第４ＯＦＤＭシンボルの第６サブキャリアのアンテナ４に、移動局装置毎に定められる参照信号が配置され、第４ＯＦＤＭシンボルの第９サブキャリアのアンテナ６に、移動局装置毎に定められる参照信号が配置され、第４ＯＦＤＭシンボルの第１２サブキャリアのアンテナ４に、移動局装置毎に定められる参照信号が配置され、第１０ＯＦＤＭシンボルの第３サブキャリアのアンテナ１に、移動局装置毎に定められる参照信号が配置され、第１０ＯＦＤＭシンボルの第６サブキャリアのアンテナ３に、移動局装置毎に定められる参照信号が配置され、第１０ＯＦＤＭシンボルの第９サブキャリアのアンテナ１に、移動局装置毎に定められる参照信号が配置され、第１０ＯＦＤＭシンボルの第１２サブキャリアのアンテナ３に、移動局装置毎に定められる参照信号が配置され、第１１ＯＦＤＭシンボルの第３サブキャリアのアンテナ４に、移動局装置毎に定められる参照信号が配置され、第１１ＯＦＤＭシンボルの第６サブキャリアのアンテナ６に、移動局装置毎に定められる参照信号が配置され、第１１ＯＦＤＭシンボルの第９サブキャリアのアンテナ４に、移動局装置毎に定められる参照信号が配置され、第１１ＯＦＤＭシンボルの第１２サブキャリアのアンテナ６に、基地局装置毎に定められる参照信号が配置されている。
【００４８】
（信号配置パターン１２）
第１種リソースブロックに対する移動局装置毎に定められる参照信号の配置の一例を図１６に示す。図１６では、第１種リソースブロックに対して、第４ＯＦＤＭシンボルの第３サブキャリアのアンテナ３に、移動局装置毎に定められる参照信号が配置され、第４ＯＦＤＭシンボルの第６サブキャリアのアンテナ１に、移動局装置毎に定められる参照信号が配置され、第４ＯＦＤＭシンボルの第９サブキャリアのアンテナ３に、移動局装置毎に定められる参照信号が配置され、第４ＯＦＤＭシンボルの第１２サブキャリアのアンテナ１に、移動局装置毎に定められる参照信号が配置され、第６ＯＦＤＭシンボルの第３サブキャリアのアンテナ６に、移動局装置毎に定められる参照信号が配置され、第６ＯＦＤＭシンボルの第６サブキャリアのアンテナ４に、移動局装置毎に定められる参照信号が配置され、第６ＯＦＤＭシンボルの第９サブキャリアのアンテナ６に、移動局装置毎に定められる参照信号が配置され、第６ＯＦＤＭシンボルの第１２サブキャリアのアンテナ４に、移動局装置毎に定められる参照信号が配置され、第１１ＯＦＤＭシンボルの第３サブキャリアのアンテナ１に、移動局装置毎に定められる参照信号が配置され、第１１ＯＦＤＭシンボルの第６サブキャリアのアンテナ３に、移動局装置毎に定められる参照信号が配置され、第１１ＯＦＤＭシンボルの第９サブキャリアのアンテナ１に、移動局装置毎に定められる参照信号が配置され、第１１ＯＦＤＭシンボルの第１２サブキャリアのアンテナ３に、移動局装置毎に定められる参照信号が配置され、第１３ＯＦＤＭシンボルの第３サブキャリアのアンテナ４に、移動局装置毎に定められる参照信号が配置され、第１３ＯＦＤＭシンボルの第６サブキャリアのアンテナ６に、移動局装置毎に定められる参照信号が配置され、第１３ＯＦＤＭシンボルの第９サブキャリアのアンテナ４に、移動局装置毎に定められる参照信号が配置され、第１３ＯＦＤＭシンボルの第１２サブキャリアのアンテナ６に、移動局装置毎に定められる参照信号が配置されている。
【００４９】
（信号配置パターン１３）
第１種リソースブロックに対する移動局装置毎に定められる参照信号の配置の一例を図１７に示す。図１７では、第１種リソースブロックに対して、第６ＯＦＤＭシンボルの第３サブキャリアのアンテナ３に、移動局装置毎に定められる参照信号が配置され、第６ＯＦＤＭシンボルの第６サブキャリアのアンテナ１に、移動局装置毎に定められる参照信号が配置され、第６ＯＦＤＭシンボルの第９サブキャリアのアンテナ３に、移動局装置毎に定められる参照信号が配置され、第６ＯＦＤＭシンボルの第１２サブキャリアのアンテナ１に、移動局装置毎に定められる参照信号が配置され、第７ＯＦＤＭシンボルの第３サブキャリアのアンテナ６に、移動局装置毎に定められる参照信号が配置され、第７ＯＦＤＭシンボルの第６サブキャリアのアンテナ４に、移動局装置毎に定められる参照信号が配置され、第７ＯＦＤＭシンボルの第９サブキャリアのアンテナ６に、移動局装置毎に定められる参照信号が配置され、第７ＯＦＤＭシンボルの第１２サブキャリアのアンテナ４に、移動局装置毎に定められる参照信号が配置され、第１３ＯＦＤＭシンボルの第３サブキャリアのアンテナ１に、移動局装置毎に定められる参照信号が配置され、第１３ＯＦＤＭシンボルの第６サブキャリアのアンテナ３に、移動局装置毎に定められる参照信号が配置され、第１３ＯＦＤＭシンボルの第９サブキャリアのアンテナ１に、移動局装置毎に定められる参照信号が配置され、第１３ＯＦＤＭシンボルの第１２サブキャリアのアンテナ３に、移動局装置毎に定められる参照信号が配置され、第１４ＯＦＤＭシンボルの第３サブキャリアのアンテナ４に、移動局装置毎に定められる参照信号が配置され、第１４ＯＦＤＭシンボルの第６サブキャリアのアンテナ６に、移動局装置毎に定められる参照信号が配置され、第１４ＯＦＤＭシンボルの第９サブキャリアのアンテナ４に、移動局装置毎に定められる参照信号が配置され、第１４ＯＦＤＭシンボルの第１２サブキャリアのアンテナ６に、移動局装置毎に定められる参照信号が配置されている。
【００５０】
（信号配置パターン１４）
第１種リソースブロックに対する移動局装置毎に定められる参照信号の配置の一例を図１８に示す。図１８では、第１種リソースブロックに対して、第３ＯＦＤＭシンボルの第３サブキャリアのアンテナ３に、移動局装置毎に定められる参照信号が配置され、第３ＯＦＤＭシンボルの第６サブキャリアのアンテナ１に、移動局装置毎に定められる参照信号が配置され、第３ＯＦＤＭシンボルの第９サブキャリアのアンテナ３に、移動局装置毎に定められる参照信号が配置され、第３ＯＦＤＭシンボルの第１２サブキャリアのアンテナ１に、移動局装置毎に定められる参照信号が配置され、第４ＯＦＤＭシンボルの第３サブキャリアのアンテナ７に、移動局装置毎に定められる参照信号が配置され、第４ＯＦＤＭシンボルの第６サブキャリアのアンテナ５に、移動局装置毎に定められる参照信号が配置され、第４ＯＦＤＭシンボルの第９サブキャリアのアンテナ７に、移動局装置毎に定められる参照信号が配置され、第４ＯＦＤＭシンボルの第１２サブキャリアのアンテナ５に、移動局装置毎に定められる参照信号が配置され、第１０ＯＦＤＭシンボルの第３サブキャリアのアンテナ１に、移動局装置毎に定められる参照信号が配置され、第１０ＯＦＤＭシンボルの第６サブキャリアのアンテナ３に、移動局装置毎に定められる参照信号が配置され、第１０ＯＦＤＭシンボルの第９サブキャリアのアンテナ１に、移動局装置毎に定められる参照信号が配置され、第１０ＯＦＤＭシンボルの第１２サブキャリアのアンテナ３に、移動局装置毎に定められる参照信号が配置され、第１１ＯＦＤＭシンボルの第３サブキャリアのアンテナ５に、移動局装置毎に定められる参照信号が配置され、第１１ＯＦＤＭシンボルの第６サブキャリアのアンテナ７に、移動局装置毎に定められる参照信号が配置され、第１１ＯＦＤＭシンボルの第９サブキャリアのアンテナ５に、移動局装置毎に定められる参照信号が配置され、第１１ＯＦＤＭシンボルの第１２サブキャリアのアンテナ７に、移動局装置毎に定められる参照信号が配置されている。
【００５１】
（信号配置パターン１５）
第１種リソースブロックに対する移動局装置毎に定められる参照信号の配置の一例を図１９に示す。図１９では、第１種リソースブロックに対して、第４ＯＦＤＭシンボルの第３サブキャリアのアンテナ３に、移動局装置毎に定められる参照信号が配置され、第４ＯＦＤＭシンボルの第６サブキャリアのアンテナ１に、移動局装置毎に定められる参照信号が配置され、第４ＯＦＤＭシンボルの第９サブキャリアのアンテナ３に、移動局装置毎に定められる参照信号が配置され、第４ＯＦＤＭシンボルの第１２サブキャリアのアンテナ１に、移動局装置毎に定められる参照信号が配置され、第６ＯＦＤＭシンボルの第３サブキャリアのアンテナ７に、移動局装置毎に定められる参照信号が配置され、第６ＯＦＤＭシンボルの第６サブキャリアのアンテナ５に、移動局装置毎に定められる参照信号が配置され、第６ＯＦＤＭシンボルの第９サブキャリアのアンテナ７に、移動局装置毎に定められる参照信号が配置され、第６ＯＦＤＭシンボルの第１２サブキャリアのアンテナ５に、移動局装置毎に定められる参照信号が配置され、第１１ＯＦＤＭシンボルの第３サブキャリアのアンテナ１に、移動局装置毎に定められる参照信号が配置され、第１１ＯＦＤＭシンボルの第６サブキャリアのアンテナ３に、移動局装置毎に定められる参照信号が配置され、第１１ＯＦＤＭシンボルの第９サブキャリアのアンテナ１に、移動局装置毎に定められる参照信号が配置され、第１１ＯＦＤＭシンボルの第１２サブキャリアのアンテナ３に、移動局装置毎に定められる参照信号が配置され、第１３ＯＦＤＭシンボルの第３サブキャリアのアンテナ５に、移動局装置毎に定められる参照信号が配置され、第１３ＯＦＤＭシンボルの第６サブキャリアのアンテナ７に、移動局装置毎に定められる参照信号が配置され、第１３ＯＦＤＭシンボルの第９サブキャリアのアンテナ５に、移動局装置毎に定められる参照信号が配置され、第１３ＯＦＤＭシンボルの第１２サブキャリアのアンテナ７に、移動局装置毎に定められる参照信号が配置されている。
【００５２】
（信号配置パターン１６）
第１種リソースブロックに対する移動局装置毎に定められる参照信号の配置の一例を図２０に示す。図２０では、第１種リソースブロックに対して、第６ＯＦＤＭシンボルの第３サブキャリアのアンテナ３に、移動局装置毎に定められる参照信号が配置され、第６ＯＦＤＭシンボルの第６サブキャリアのアンテナ１に、移動局装置毎に定められる参照信号が配置され、第６ＯＦＤＭシンボルの第９サブキャリアのアンテナ３に、移動局装置毎に定められる参照信号が配置され、第６ＯＦＤＭシンボルの第１２サブキャリアのアンテナ１に、移動局装置毎に定められる参照信号が配置され、第７ＯＦＤＭシンボルの第３サブキャリアのアンテナ７に、移動局装置毎に定められる参照信号が配置され、第７ＯＦＤＭシンボルの第６サブキャリアのアンテナ５に、移動局装置毎に定められる参照信号が配置され、第７ＯＦＤＭシンボルの第９サブキャリアのアンテナ７に、移動局装置毎に定められる参照信号が配置され、第７ＯＦＤＭシンボルの第１２サブキャリアのアンテナ５に、移動局装置毎に定められる参照信号が配置され、第１３ＯＦＤＭシンボルの第３サブキャリアのアンテナ１に、移動局装置毎に定められる参照信号が配置され、第１３ＯＦＤＭシンボルの第６サブキャリアのアンテナ３に、移動局装置毎に定められる参照信号が配置され、第１３ＯＦＤＭシンボルの第９サブキャリアのアンテナ１に、移動局装置毎に定められる参照信号が配置され、第１３ＯＦＤＭシンボルの第１２サブキャリアのアンテナ３に、移動局装置毎に定められる参照信号が配置され、第１４ＯＦＤＭシンボルの第３サブキャリアのアンテナ５に、移動局装置毎に定められる参照信号が配置され、第１４ＯＦＤＭシンボルの第６サブキャリアのアンテナ７に、移動局装置毎に定められる参照信号が配置され、第１４ＯＦＤＭシンボルの第９サブキャリアのアンテナ５に、移動局装置毎に定められる参照信号が配置され、第１４ＯＦＤＭシンボルの第１２サブキャリアのアンテナ７に、移動局装置毎に定められる参照信号が配置されている。
【００５３】
（信号配置パターン１７）
第２種リソースブロックに対する移動局装置毎に定められる参照信号の配置の一例を図２１に示す。図２１では、第２種リソースブロックに対して、第３ＯＦＤＭシンボルの第３サブキャリアのアンテナ３に、移動局装置毎に定められる参照信号が配置され、第３ＯＦＤＭシンボルの第６サブキャリアのアンテナ１に、移動局装置毎に定められる参照信号が配置され、第３ＯＦＤＭシンボルの第９サブキャリアのアンテナ３に、移動局装置毎に定められる参照信号が配置され、第３ＯＦＤＭシンボルの第１２サブキャリアのアンテナ１に、移動局装置毎に定められる参照信号が配置され、第５ＯＦＤＭシンボルの第３サブキャリアのアンテナ６に、移動局装置毎に定められる参照信号が配置され、第５ＯＦＤＭシンボルの第６サブキャリアのアンテナ４に、移動局装置毎に定められる参照信号が配置され、第５ＯＦＤＭシンボルの第９サブキャリアのアンテナ６に、移動局装置毎に定められる参照信号が配置され、第５ＯＦＤＭシンボルの第１２サブキャリアのアンテナ４に、移動局装置毎に定められる参照信号が配置され、第９ＯＦＤＭシンボルの第３サブキャリアのアンテナ１に、移動局装置毎に定められる参照信号が配置され、第９ＯＦＤＭシンボルの第６サブキャリアのアンテナ３に、移動局装置毎に定められる参照信号が配置され、第９ＯＦＤＭシンボルの第９サブキャリアのアンテナ１に、移動局装置毎に定められる参照信号が配置され、第９ＯＦＤＭシンボルの第１２サブキャリアのアンテナ３に、移動局装置毎に定められる参照信号が配置され、第１１ＯＦＤＭシンボルの第３サブキャリアのアンテナ４に、移動局装置毎に定められる参照信号が配置され、第１１ＯＦＤＭシンボルの第６サブキャリアのアンテナ６に、移動局装置毎に定められる参照信号が配置され、第１１ＯＦＤＭシンボルの第９サブキャリアのアンテナ４に、移動局装置毎に定められる参照信号が配置され、第１１ＯＦＤＭシンボルの第１２サブキャリアのアンテナ６に、基地局装置毎に定められる参照信号が配置されている。
【００５４】
（信号配置パターン１８）
第２種リソースブロックに対する移動局装置毎に定められる参照信号の配置の一例を図２２に示す。図２２では、第２種リソースブロックに対して、第５ＯＦＤＭシンボルの第３サブキャリアのアンテナ３に、移動局装置毎に定められる参照信号が配置され、第５ＯＦＤＭシンボルの第６サブキャリアのアンテナ１に、移動局装置毎に定められる参照信号が配置され、第５ＯＦＤＭシンボルの第９サブキャリアのアンテナ３に、移動局装置毎に定められる参照信号が配置され、第５ＯＦＤＭシンボルの第１２サブキャリアのアンテナ１に、移動局装置毎に定められる参照信号が配置され、第６ＯＦＤＭシンボルの第３サブキャリアのアンテナ６に、移動局装置毎に定められる参照信号が配置され、第６ＯＦＤＭシンボルの第６サブキャリアのアンテナ４に、移動局装置毎に定められる参照信号が配置され、第６ＯＦＤＭシンボルの第９サブキャリアのアンテナ６に、移動局装置毎に定められる参照信号が配置され、第６ＯＦＤＭシンボルの第１２サブキャリアのアンテナ４に、移動局装置毎に定められる参照信号が配置され、第１１ＯＦＤＭシンボルの第３サブキャリアのアンテナ１に、移動局装置毎に定められる参照信号が配置され、第１１ＯＦＤＭシンボルの第６サブキャリアのアンテナ３に、移動局装置毎に定められる参照信号が配置され、第１１ＯＦＤＭシンボルの第９サブキャリアのアンテナ１に、移動局装置毎に定められる参照信号が配置され、第１１ＯＦＤＭシンボルの第１２サブキャリアのアンテナ３に、移動局装置毎に定められる参照信号が配置され、第１２ＯＦＤＭシンボルの第３サブキャリアのアンテナ４に、移動局装置毎に定められる参照信号が配置され、第１２ＯＦＤＭシンボルの第６サブキャリアのアンテナ６に、移動局装置毎に定められる参照信号が配置され、第１２ＯＦＤＭシンボルの第９サブキャリアのアンテナ４に、移動局装置毎に定められる参照信号が配置され、第１２ＯＦＤＭシンボルの第１２サブキャリアのアンテナ６に、移動局装置毎に定められる参照信号が配置されている。
【００５５】
（信号配置パターン１９）
第２種リソースブロックに対する移動局装置毎に定められる参照信号の配置の一例を図２３に示す。図２３では、第２種リソースブロックに対して、第３ＯＦＤＭシンボルの第３サブキャリアのアンテナ３に、移動局装置毎に定められる参照信号が配置され、第３ＯＦＤＭシンボルの第６サブキャリアのアンテナ１に、移動局装置毎に定められる参照信号が配置され、第３ＯＦＤＭシンボルの第９サブキャリアのアンテナ３に、移動局装置毎に定められる参照信号が配置され、第３ＯＦＤＭシンボルの第１２サブキャリアのアンテナ１に、移動局装置毎に定められる参照信号が配置され、第５ＯＦＤＭシンボルの第３サブキャリアのアンテナ７に、移動局装置毎に定められる参照信号が配置され、第５ＯＦＤＭシンボルの第６サブキャリアのアンテナ５に、移動局装置毎に定められる参照信号が配置され、第５ＯＦＤＭシンボルの第９サブキャリアのアンテナ７に、移動局装置毎に定められる参照信号が配置され、第５ＯＦＤＭシンボルの第１２サブキャリアのアンテナ５に、移動局装置毎に定められる参照信号が配置され、第９ＯＦＤＭシンボルの第３サブキャリアのアンテナ１に、移動局装置毎に定められる参照信号が配置され、第９ＯＦＤＭシンボルの第６サブキャリアのアンテナ３に、移動局装置毎に定められる参照信号が配置され、第９ＯＦＤＭシンボルの第９サブキャリアのアンテナ１に、移動局装置毎に定められる参照信号が配置され、第９ＯＦＤＭシンボルの第１２サブキャリアのアンテナ３に、移動局装置毎に定められる参照信号が配置され、第１１ＯＦＤＭシンボルの第３サブキャリアのアンテナ５に、移動局装置毎に定められる参照信号が配置され、第１１ＯＦＤＭシンボルの第６サブキャリアのアンテナ７に、移動局装置毎に定められる参照信号が配置され、第１１ＯＦＤＭシンボルの第９サブキャリアのアンテナ５に、移動局装置毎に定められる参照信号が配置され、第１１ＯＦＤＭシンボルの第１２サブキャリアのアンテナ７に、移動局装置毎に定められる参照信号が配置されている。
【００５６】
（信号配置パターン２０）
第２種リソースブロックに対する移動局装置毎に定められる参照信号の配置の一例を図２４に示す。図２４では、第２種リソースブロックに対して、第５ＯＦＤＭシンボルの第３サブキャリアのアンテナ３に、移動局装置毎に定められる参照信号が配置され、第５ＯＦＤＭシンボルの第６サブキャリアのアンテナ１に、移動局装置毎に定められる参照信号が配置され、第５ＯＦＤＭシンボルの第９サブキャリアのアンテナ３に、移動局装置毎に定められる参照信号が配置され、第５ＯＦＤＭシンボルの第１２サブキャリアのアンテナ１に、移動局装置毎に定められる参照信号が配置され、第６ＯＦＤＭシンボルの第３サブキャリアのアンテナ７に、移動局装置毎に定められる参照信号が配置され、第６ＯＦＤＭシンボルの第６サブキャリアのアンテナ５に、移動局装置毎に定められる参照信号が配置され、第６ＯＦＤＭシンボルの第９サブキャリアのアンテナ７に、移動局装置毎に定められる参照信号が配置され、第６ＯＦＤＭシンボルの第１２サブキャリアのアンテナ５に、移動局装置毎に定められる参照信号が配置され、第１１ＯＦＤＭシンボルの第３サブキャリアのアンテナ１に、移動局装置毎に定められる参照信号が配置され、第１１ＯＦＤＭシンボルの第６サブキャリアのアンテナ３に、移動局装置毎に定められる参照信号が配置され、第１１ＯＦＤＭシンボルの第９サブキャリアのアンテナ１に、移動局装置毎に定められる参照信号が配置され、第１１ＯＦＤＭシンボルの第１２サブキャリアのアンテナ３に、移動局装置毎に定められる参照信号が配置され、第１２ＯＦＤＭシンボルの第３サブキャリアのアンテナ５に、移動局装置毎に定められる参照信号が配置され、第１２ＯＦＤＭシンボルの第６サブキャリアのアンテナ７に、移動局装置毎に定められる参照信号が配置され、第１２ＯＦＤＭシンボルの第９サブキャリアのアンテナ５に、移動局装置毎に定められる参照信号が配置され、第１２ＯＦＤＭシンボルの第１２サブキャリアのアンテナ７に、移動局装置毎に定められる参照信号が配置されている。
【００５７】
（信号配置パターン２１）
第１種リソースブロックに対する移動局装置毎に定められる参照信号の配置の一例を図２５に示す。図２５では、第１種リソースブロックに対して、第３ＯＦＤＭシンボルの第３サブキャリアのアンテナ３に、移動局装置毎に定められる参照信号を位相回転したものが配置され、第３ＯＦＤＭシンボルの第６サブキャリアのアンテナ２に、移動局装置毎に定められる参照信号を位相回転したものが配置され、第３ＯＦＤＭシンボルの第９サブキャリアのアンテナ３に、移動局装置毎に定められる参照信号を位相回転したものが配置され、第３ＯＦＤＭシンボルの第１２サブキャリアのアンテナ２に、移動局装置毎に定められる参照信号を位相回転したものが配置され、第４ＯＦＤＭシンボルの第３サブキャリアのアンテナ７に、移動局装置毎に定められる参照信号を位相回転したものが配置され、第４ＯＦＤＭシンボルの第６サブキャリアのアンテナ６に、移動局装置毎に定められる参照信号を位相回転したものが配置され、第４ＯＦＤＭシンボルの第９サブキャリアのアンテナ７に、移動局装置毎に定められる参照信号を位相回転したものが配置され、第４ＯＦＤＭシンボルの第１２サブキャリアのアンテナ６に、移動局装置毎に定められる参照信号を位相回転したものが配置され、第１０ＯＦＤＭシンボルの第３サブキャリアのアンテナ２に、移動局装置毎に定められる参照信号を位相回転したものが配置され、第１０ＯＦＤＭシンボルの第６サブキャリアのアンテナ３に、移動局装置毎に定められる参照信号を位相回転したものが配置され、第１０ＯＦＤＭシンボルの第９サブキャリアのアンテナ２に、移動局装置毎に定められる参照信号を位相回転したものが配置され、第１０ＯＦＤＭシンボルの第１２サブキャリアのアンテナ３に、移動局装置毎に定められる参照信号を位相回転したものが配置され、第１１ＯＦＤＭシンボルの第３サブキャリアのアンテナ６に、移動局装置毎に定められる参照信号を位相回転したものが配置され、第１１ＯＦＤＭシンボルの第６サブキャリアのアンテナ７に、移動局装置毎に定められる参照信号を位相回転したものが配置され、第１１ＯＦＤＭシンボルの第９サブキャリアのアンテナ６に、移動局装置毎に定められる参照信号を位相回転したものが配置され、第１１ＯＦＤＭシンボルの第１２サブキャリアのアンテナ７に、移動局装置毎に定められる参照信号を位相回転したものが配置されている。
【００５８】
（信号配置パターン２２）
第１種リソースブロックに対する移動局装置毎に定められる参照信号の配置の一例を図２６に示す。図２６では、第１種リソースブロックに対して、第４ＯＦＤＭシンボルの第３サブキャリアのアンテナ３に、移動局装置毎に定められる参照信号を位相回転したものが配置され、第４ＯＦＤＭシンボルの第６サブキャリアのアンテナ２に、移動局装置毎に定められる参照信号を位相回転したものが配置され、第４ＯＦＤＭシンボルの第９サブキャリアのアンテナ３に、移動局装置毎に定められる参照信号を位相回転したものが配置され、第４ＯＦＤＭシンボルの第１２サブキャリアのアンテナ２に、移動局装置毎に定められる参照信号を位相回転したものが配置され、第６ＯＦＤＭシンボルの第３サブキャリアのアンテナ７に、移動局装置毎に定められる参照信号を位相回転したものが配置され、第６ＯＦＤＭシンボルの第６サブキャリアのアンテナ６に、移動局装置毎に定められる参照信号を位相回転したものが配置され、第６ＯＦＤＭシンボルの第９サブキャリアのアンテナ７に、移動局装置毎に定められる参照信号を位相回転したものが配置され、第６ＯＦＤＭシンボルの第１２サブキャリアのアンテナ６に、移動局装置毎に定められる参照信号を位相回転したものが配置され、第１１ＯＦＤＭシンボルの第３サブキャリアのアンテナ２に、移動局装置毎に定められる参照信号を位相回転したものが配置され、第１１ＯＦＤＭシンボルの第６サブキャリアのアンテナ３に、移動局装置毎に定められる参照信号を位相回転したものが配置され、第１１ＯＦＤＭシンボルの第９サブキャリアのアンテナ２に、移動局装置毎に定められる参照信号を位相回転したものが配置され、第１１ＯＦＤＭシンボルの第１２サブキャリアのアンテナ３に、移動局装置毎に定められる参照信号を位相回転したものが配置され、第１３ＯＦＤＭシンボルの第３サブキャリアのアンテナ６に、移動局装置毎に定められる参照信号を位相回転したものが配置され、第１３ＯＦＤＭシンボルの第６サブキャリアのアンテナ７に、移動局装置毎に定められる参照信号を位相回転したものが配置され、第１３ＯＦＤＭシンボルの第９サブキャリアのアンテナ６に、移動局装置毎に定められる参照信号を位相回転したものが配置され、第１３ＯＦＤＭシンボルの第１２サブキャリアのアンテナ７に、移動局装置毎に定められる参照信号を位相回転したものが配置されている。
【００５９】
（信号配置パターン２３）
第１種リソースブロックに対する移動局装置毎に定められる参照信号の配置の一例を図２７に示す。図２７では、第１種リソースブロックに対して、第６ＯＦＤＭシンボルの第３サブキャリアのアンテナ３に、移動局装置毎に定められる参照信号を位相回転したものが配置され、第６ＯＦＤＭシンボルの第６サブキャリアのアンテナ２に、移動局装置毎に定められる参照信号を位相回転したものが配置され、第６ＯＦＤＭシンボルの第９サブキャリアのアンテナ３に、移動局装置毎に定められる参照信号を位相回転したものが配置され、第６ＯＦＤＭシンボルの第１２サブキャリアのアンテナ２に、移動局装置毎に定められる参照信号を位相回転したものが配置され、第７ＯＦＤＭシンボルの第３サブキャリアのアンテナ７に、移動局装置毎に定められる参照信号を位相回転したものが配置され、第７ＯＦＤＭシンボルの第６サブキャリアのアンテナ６に、移動局装置毎に定められる参照信号を位相回転したものが配置され、第７ＯＦＤＭシンボルの第９サブキャリアのアンテナ７に、移動局装置毎に定められる参照信号を位相回転したものが配置され、第７ＯＦＤＭシンボルの第１２サブキャリアのアンテナ６に、移動局装置毎に定められる参照信号を位相回転したものが配置され、第１３ＯＦＤＭシンボルの第３サブキャリアのアンテナ２に、移動局装置毎に定められる参照信号を位相回転したものが配置され、第１３ＯＦＤＭシンボルの第６サブキャリアのアンテナ３に、移動局装置毎に定められる参照信号を位相回転したものが配置され、第１３ＯＦＤＭシンボルの第９サブキャリアのアンテナ２に、移動局装置毎に定められる参照信号を位相回転したものが配置され、第１３ＯＦＤＭシンボルの第１２サブキャリアのアンテナ３に、移動局装置毎に定められる参照信号を位相回転したものが配置され、第１４ＯＦＤＭシンボルの第３サブキャリアのアンテナ６に、移動局装置毎に定められる参照信号を位相回転したものが配置され、第１４ＯＦＤＭシンボルの第６サブキャリアのアンテナ７に、移動局装置毎に定められる参照信号を位相回転したものが配置され、第１４ＯＦＤＭシンボルの第９サブキャリアのアンテナ６に、移動局装置毎に定められる参照信号を位相回転したものが配置され、第１４ＯＦＤＭシンボルの第１２サブキャリアのアンテナ７に、移動局装置毎に定められる参照信号を位相回転したものが配置されている。
【００６０】
（信号配置パターン２４）
第１種リソースブロックに対する移動局装置毎に定められる参照信号の配置の一例を図２８に示す。図２８では、第１種リソースブロックに対して、第３ＯＦＤＭシンボルの第３サブキャリアのアンテナ５に、移動局装置毎に定められる参照信号を位相回転したものが配置され、第３ＯＦＤＭシンボルの第６サブキャリアのアンテナ４に、移動局装置毎に定められる参照信号を位相回転したものが配置され、第３ＯＦＤＭシンボルの第９サブキャリアのアンテナ５に、移動局装置毎に定められる参照信号を位相回転したものが配置され、第３ＯＦＤＭシンボルの第１２サブキャリアのアンテナ４に、移動局装置毎に定められる参照信号を位相回転したものが配置され、第４ＯＦＤＭシンボルの第３サブキャリアのアンテナ７に、移動局装置毎に定められる参照信号を位相回転したものが配置され、第４ＯＦＤＭシンボルの第６サブキャリアのアンテナ６に、移動局装置毎に定められる参照信号を位相回転したものが配置され、第４ＯＦＤＭシンボルの第９サブキャリアのアンテナ７に、移動局装置毎に定められる参照信号を位相回転したものが配置され、第４ＯＦＤＭシンボルの第１２サブキャリアのアンテナ６に、移動局装置毎に定められる参照信号を位相回転したものが配置され、第１０ＯＦＤＭシンボルの第３サブキャリアのアンテナ４に、移動局装置毎に定められる参照信号を位相回転したものが配置され、第１０ＯＦＤＭシンボルの第６サブキャリアのアンテナ５に、移動局装置毎に定められる参照信号を位相回転したものが配置され、第１０ＯＦＤＭシンボルの第９サブキャリアのアンテナ４に、移動局装置毎に定められる参照信号を位相回転したものが配置され、第１０ＯＦＤＭシンボルの第１２サブキャリアのアンテナ５に、移動局装置毎に定められる参照信号を位相回転したものが配置され、第１１ＯＦＤＭシンボルの第３サブキャリアのアンテナ６に、移動局装置毎に定められる参照信号を位相回転したものが配置され、第１１ＯＦＤＭシンボルの第６サブキャリアのアンテナ７に、移動局装置毎に定められる参照信号を位相回転したものが配置され、第１１ＯＦＤＭシンボルの第９サブキャリアのアンテナ６に、移動局装置毎に定められる参照信号を位相回転したものが配置され、第１１ＯＦＤＭシンボルの第１２サブキャリアのアンテナ７に、移動局装置毎に定められる参照信号を位相回転したものが配置されている。
【００６１】
（信号配置パターン２５）
第１種リソースブロックに対する移動局装置毎に定められる参照信号の配置の一例を図２９に示す。図２９では、第１種リソースブロックに対して、第４ＯＦＤＭシンボルの第３サブキャリアのアンテナ５に、移動局装置毎に定められる参照信号を位相回転したものが配置され、第４ＯＦＤＭシンボルの第６サブキャリアのアンテナ４に、移動局装置毎に定められる参照信号を位相回転したものが配置され、第４ＯＦＤＭシンボルの第９サブキャリアのアンテナ５に、移動局装置毎に定められる参照信号を位相回転したものが配置され、第４ＯＦＤＭシンボルの第１２サブキャリアのアンテナ４に、移動局装置毎に定められる参照信号を位相回転したものが配置され、第６ＯＦＤＭシンボルの第３サブキャリアのアンテナ７に、移動局装置毎に定められる参照信号を位相回転したものが配置され、第６ＯＦＤＭシンボルの第６サブキャリアのアンテナ６に、移動局装置毎に定められる参照信号を位相回転したものが配置され、第６ＯＦＤＭシンボルの第９サブキャリアのアンテナ７に、移動局装置毎に定められる参照信号を位相回転したものが配置され、第６ＯＦＤＭシンボルの第１２サブキャリアのアンテナ６に、移動局装置毎に定められる参照信号を位相回転したものが配置され、第１１ＯＦＤＭシンボルの第３サブキャリアのアンテナ４に、移動局装置毎に定められる参照信号を位相回転したものが配置され、第１１ＯＦＤＭシンボルの第６サブキャリアのアンテナ５に、移動局装置毎に定められる参照信号を位相回転したものが配置され、第１１ＯＦＤＭシンボルの第９サブキャリアのアンテナ４に、移動局装置毎に定められる参照信号を位相回転したものが配置され、第１１ＯＦＤＭシンボルの第１２サブキャリアのアンテナ５に、移動局装置毎に定められる参照信号を位相回転したものが配置され、第１３ＯＦＤＭシンボルの第３サブキャリアのアンテナ６に、移動局装置毎に定められる参照信号を位相回転したものが配置され、第１３ＯＦＤＭシンボルの第６サブキャリアのアンテナ７に、移動局装置毎に定められる参照信号を位相回転したものが配置され、第１３ＯＦＤＭシンボルの第９サブキャリアのアンテナ６に、移動局装置毎に定められる参照信号を位相回転したものが配置され、第１３ＯＦＤＭシンボルの第１２サブキャリアのアンテナ７に、移動局装置毎に定められる参照信号を位相回転したものが配置されている。
【００６２】
（信号配置パターン２６）
第１種リソースブロックに対する移動局装置毎に定められる参照信号の配置の一例を図３０に示す。図３０では、第１種リソースブロックに対して、第６ＯＦＤＭシンボルの第３サブキャリアのアンテナ５に、移動局装置毎に定められる参照信号を位相回転したものが配置され、第６ＯＦＤＭシンボルの第６サブキャリアのアンテナ４に、移動局装置毎に定められる参照信号を位相回転したものが配置され、第６ＯＦＤＭシンボルの第９サブキャリアのアンテナ５に、移動局装置毎に定められる参照信号を位相回転したものが配置され、第６ＯＦＤＭシンボルの第１２サブキャリアのアンテナ４に、移動局装置毎に定められる参照信号を位相回転したものが配置され、第７ＯＦＤＭシンボルの第３サブキャリアのアンテナ７に、移動局装置毎に定められる参照信号を位相回転したものが配置され、第７ＯＦＤＭシンボルの第６サブキャリアのアンテナ６に、移動局装置毎に定められる参照信号を位相回転したものが配置され、第７ＯＦＤＭシンボルの第９サブキャリアのアンテナ７に、移動局装置毎に定められる参照信号を位相回転したものが配置され、第７ＯＦＤＭシンボルの第１２サブキャリアのアンテナ６に、移動局装置毎に定められる参照信号を位相回転したものが配置され、第１３ＯＦＤＭシンボルの第３サブキャリアのアンテナ４に、移動局装置毎に定められる参照信号を位相回転したものが配置され、第１３ＯＦＤＭシンボルの第６サブキャリアのアンテナ５に、移動局装置毎に定められる参照信号を位相回転したものが配置され、第１３ＯＦＤＭシンボルの第９サブキャリアのアンテナ４に、移動局装置毎に定められる参照信号を位相回転したものが配置され、第１３ＯＦＤＭシンボルの第１２サブキャリアのアンテナ５に、移動局装置毎に定められる参照信号を位相回転したものが配置され、第１４ＯＦＤＭシンボルの第３サブキャリアのアンテナ６に、移動局装置毎に定められる参照信号を位相回転したものが配置され、第１４ＯＦＤＭシンボルの第６サブキャリアのアンテナ７に、移動局装置毎に定められる参照信号を位相回転したものが配置され、第１４ＯＦＤＭシンボルの第９サブキャリアのアンテナ６に、移動局装置毎に定められる参照信号を位相回転したものが配置され、第１４ＯＦＤＭシンボルの第１２サブキャリアのアンテナ７に、移動局装置毎に定められる参照信号を位相回転したものが配置されている。
【００６３】
（信号配置パターン２７）
第１種リソースブロックに対する移動局装置毎に定められる参照信号の配置の一例を図３１に示す。図３１では、第１種リソースブロックに対して、第３ＯＦＤＭシンボルの第３サブキャリアのアンテナ３に、移動局装置毎に定められる参照信号を位相回転したものが配置され、第３ＯＦＤＭシンボルの第６サブキャリアのアンテナ１に、移動局装置毎に定められる参照信号を位相回転したものが配置され、第３ＯＦＤＭシンボルの第９サブキャリアのアンテナ３に、移動局装置毎に定められる参照信号を位相回転したものが配置され、第３ＯＦＤＭシンボルの第１２サブキャリアのアンテナ１に、移動局装置毎に定められる参照信号を位相回転したものが配置され、第４ＯＦＤＭシンボルの第３サブキャリアのアンテナ７に、移動局装置毎に定められる参照信号を位相回転したものが配置され、第４ＯＦＤＭシンボルの第６サブキャリアのアンテナ５に、移動局装置毎に定められる参照信号を位相回転したものが配置され、第４ＯＦＤＭシンボルの第９サブキャリアのアンテナ７に、移動局装置毎に定められる参照信号を位相回転したものが配置され、第４ＯＦＤＭシンボルの第１２サブキャリアのアンテナ５に、移動局装置毎に定められる参照信号を位相回転したものが配置され、第１０ＯＦＤＭシンボルの第３サブキャリアのアンテナ１に、移動局装置毎に定められる参照信号を位相回転したものが配置され、第１０ＯＦＤＭシンボルの第６サブキャリアのアンテナ３に、移動局装置毎に定められる参照信号を位相回転したものが配置され、第１０ＯＦＤＭシンボルの第９サブキャリアのアンテナ１に、移動局装置毎に定められる参照信号を位相回転したものが配置され、第１０ＯＦＤＭシンボルの第１２サブキャリアのアンテナ３に、移動局装置毎に定められる参照信号を位相回転したものが配置され、第１１ＯＦＤＭシンボルの第３サブキャリアのアンテナ５に、移動局装置毎に定められる参照信号を位相回転したものが配置され、第１１ＯＦＤＭシンボルの第６サブキャリアのアンテナ７に、移動局装置毎に定められる参照信号を位相回転したものが配置され、第１１ＯＦＤＭシンボルの第９サブキャリアのアンテナ５に、移動局装置毎に定められる参照信号を位相回転したものが配置され、第１１ＯＦＤＭシンボルの第１２サブキャリアのアンテナ７に、移動局装置毎に定められる参照信号を位相回転したものが配置されている。
【００６４】
（信号配置パターン２８）
第１種リソースブロックに対する移動局装置毎に定められる参照信号の配置の一例を図３２に示す。図３２では、第１種リソースブロックに対して、第４ＯＦＤＭシンボルの第３サブキャリアのアンテナ３に、移動局装置毎に定められる参照信号を位相回転したものが配置され、第４ＯＦＤＭシンボルの第６サブキャリアのアンテナ１に、移動局装置毎に定められる参照信号を位相回転したものが配置され、第４ＯＦＤＭシンボルの第９サブキャリアのアンテナ３に、移動局装置毎に定められる参照信号を位相回転したものが配置され、第４ＯＦＤＭシンボルの第１２サブキャリアのアンテナ１に、移動局装置毎に定められる参照信号を位相回転したものが配置され、第６ＯＦＤＭシンボルの第３サブキャリアのアンテナ７に、移動局装置毎に定められる参照信号を位相回転したものが配置され、第６ＯＦＤＭシンボルの第６サブキャリアのアンテナ５に、移動局装置毎に定められる参照信号を位相回転したものが配置され、第６ＯＦＤＭシンボルの第９サブキャリアのアンテナ７に、移動局装置毎に定められる参照信号を位相回転したものが配置され、第６ＯＦＤＭシンボルの第１２サブキャリアのアンテナ５に、移動局装置毎に定められる参照信号を位相回転したものが配置され、第１１ＯＦＤＭシンボルの第３サブキャリアのアンテナ１に、移動局装置毎に定められる参照信号を位相回転したものが配置され、第１１ＯＦＤＭシンボルの第６サブキャリアのアンテナ３に、移動局装置毎に定められる参照信号を位相回転したものが配置され、第１１ＯＦＤＭシンボルの第９サブキャリアのアンテナ１に、移動局装置毎に定められる参照信号を位相回転したものが配置され、第１１ＯＦＤＭシンボルの第１２サブキャリアのアンテナ３に、移動局装置毎に定められる参照信号を位相回転したものが配置され、第１３ＯＦＤＭシンボルの第３サブキャリアのアンテナ５に、移動局装置毎に定められる参照信号を位相回転したものが配置され、第１３ＯＦＤＭシンボルの第６サブキャリアのアンテナ７に、移動局装置毎に定められる参照信号を位相回転したものが配置され、第１３ＯＦＤＭシンボルの第９サブキャリアのアンテナ５に、移動局装置毎に定められる参照信号を位相回転したものが配置され、第１３ＯＦＤＭシンボルの第１２サブキャリアのアンテナ７に、移動局装置毎に定められる参照信号を位相回転したものが配置されている。
【００６５】
（信号配置パターン２９）
第１種リソースブロックに対する移動局装置毎に定められる参照信号の配置の一例を図３３に示す。図３３では、第１種リソースブロックに対して、第６ＯＦＤＭシンボルの第３サブキャリアのアンテナ３に、移動局装置毎に定められる参照信号を位相回転したものが配置され、第６ＯＦＤＭシンボルの第６サブキャリアのアンテナ１に、移動局装置毎に定められる参照信号を位相回転したものが配置され、第６ＯＦＤＭシンボルの第９サブキャリアのアンテナ３に、移動局装置毎に定められる参照信号を位相回転したものが配置され、第６ＯＦＤＭシンボルの第１２サブキャリアのアンテナ１に、移動局装置毎に定められる参照信号を位相回転したものが配置され、第７ＯＦＤＭシンボルの第３サブキャリアのアンテナ７に、移動局装置毎に定められる参照信号を位相回転したものが配置され、第７ＯＦＤＭシンボルの第６サブキャリアのアンテナ５に、移動局装置毎に定められる参照信号を位相回転したものが配置され、第７ＯＦＤＭシンボルの第９サブキャリアのアンテナ７に、移動局装置毎に定められる参照信号を位相回転したものが配置され、第７ＯＦＤＭシンボルの第１２サブキャリアのアンテナ５に、移動局装置毎に定められる参照信号を位相回転したものが配置され、第１３ＯＦＤＭシンボルの第３サブキャリアのアンテナ１に、移動局装置毎に定められる参照信号を位相回転したものが配置され、第１３ＯＦＤＭシンボルの第６サブキャリアのアンテナ３に、移動局装置毎に定められる参照信号を位相回転したものが配置され、第１３ＯＦＤＭシンボルの第９サブキャリアのアンテナ１に、移動局装置毎に定められる参照信号を位相回転したものが配置され、第１３ＯＦＤＭシンボルの第１２サブキャリアのアンテナ３に、移動局装置毎に定められる参照信号を位相回転したものが配置され、第１４ＯＦＤＭシンボルの第３サブキャリアのアンテナ５に、移動局装置毎に定められる参照信号を位相回転したものが配置され、第１４ＯＦＤＭシンボルの第６サブキャリアのアンテナ７に、移動局装置毎に定められる参照信号を位相回転したものが配置され、第１４ＯＦＤＭシンボルの第９サブキャリアのアンテナ５に、移動局装置毎に定められる参照信号を位相回転したものが配置され、第１４ＯＦＤＭシンボルの第１２サブキャリアのアンテナ７に、移動局装置毎に定められる参照信号を位相回転したものが配置されている。
【００６６】
（信号配置パターン３０）
第２種リソースブロックに対する移動局装置毎に定められる参照信号の配置の一例を図３４に示す。図３４では、第２種リソースブロックに対して、第３ＯＦＤＭシンボルの第３サブキャリアのアンテナ３に、移動局装置毎に定められる参照信号を位相回転したものが配置され、第３ＯＦＤＭシンボルの第６サブキャリアのアンテナ２に、移動局装置毎に定められる参照信号を位相回転したものが配置され、第３ＯＦＤＭシンボルの第９サブキャリアのアンテナ３に、移動局装置毎に定められる参照信号を位相回転したものが配置され、第３ＯＦＤＭシンボルの第１２サブキャリアのアンテナ２に、移動局装置毎に定められる参照信号を位相回転したものが配置され、第５ＯＦＤＭシンボルの第３サブキャリアのアンテナ７に、移動局装置毎に定められる参照信号を位相回転したものが配置され、第５ＯＦＤＭシンボルの第６サブキャリアのアンテナ６に、移動局装置毎に定められる参照信号を位相回転したものが配置され、第５ＯＦＤＭシンボルの第９サブキャリアのアンテナ７に、移動局装置毎に定められる参照信号を位相回転したものが配置され、第５ＯＦＤＭシンボルの第１２サブキャリアのアンテナ６に、移動局装置毎に定められる参照信号を位相回転したものが配置され、第９ＯＦＤＭシンボルの第３サブキャリアのアンテナ２に、移動局装置毎に定められる参照信号を位相回転したものが配置され、第９ＯＦＤＭシンボルの第６サブキャリアのアンテナ３に、移動局装置毎に定められる参照信号を位相回転したものが配置され、第９ＯＦＤＭシンボルの第９サブキャリアのアンテナ２に、移動局装置毎に定められる参照信号を位相回転したものが配置され、第９ＯＦＤＭシンボルの第１２サブキャリアのアンテナ３に、移動局装置毎に定められる参照信号を位相回転したものが配置され、第１１ＯＦＤＭシンボルの第３サブキャリアのアンテナ６に、移動局装置毎に定められる参照信号を位相回転したものが配置され、第１１ＯＦＤＭシンボルの第６サブキャリアのアンテナ７に、移動局装置毎に定められる参照信号を位相回転したものが配置され、第１１ＯＦＤＭシンボルの第９サブキャリアのアンテナ６に、移動局装置毎に定められる参照信号を位相回転したものが配置され、第１１ＯＦＤＭシンボルの第１２サブキャリアのアンテナ７に、移動局装置毎に定められる参照信号を位相回転したものが配置されている。
【００６７】
（信号配置パターン３１）
第２種リソースブロックに対する移動局装置毎に定められる参照信号の配置の一例を図３５に示す。図３５では、第２種リソースブロックに対して、第５ＯＦＤＭシンボルの第３サブキャリアのアンテナ３に、移動局装置毎に定められる参照信号を位相回転したものが配置され、第５ＯＦＤＭシンボルの第６サブキャリアのアンテナ２に、移動局装置毎に定められる参照信号を位相回転したものが配置され、第５ＯＦＤＭシンボルの第９サブキャリアのアンテナ３に、移動局装置毎に定められる参照信号を位相回転したものが配置され、第５ＯＦＤＭシンボルの第１２サブキャリアのアンテナ２に、移動局装置毎に定められる参照信号を位相回転したものが配置され、第６ＯＦＤＭシンボルの第３サブキャリアのアンテナ７に、移動局装置毎に定められる参照信号を位相回転したものが配置され、第６ＯＦＤＭシンボルの第６サブキャリアのアンテナ６に、移動局装置毎に定められる参照信号を位相回転したものが配置され、第６ＯＦＤＭシンボルの第９サブキャリアのアンテナ７に、移動局装置毎に定められる参照信号を位相回転したものが配置され、第６ＯＦＤＭシンボルの第１２サブキャリアのアンテナ６に、移動局装置毎に定められる参照信号を位相回転したものが配置され、第１１ＯＦＤＭシンボルの第３サブキャリアのアンテナ２に、移動局装置毎に定められる参照信号を位相回転したものが配置され、第１１ＯＦＤＭシンボルの第６サブキャリアのアンテナ３に、移動局装置毎に定められる参照信号を位相回転したものが配置され、第１１ＯＦＤＭシンボルの第９サブキャリアのアンテナ２に、移動局装置毎に定められる参照信号を位相回転したものが配置され、第１１ＯＦＤＭシンボルの第１２サブキャリアのアンテナ３に、移動局装置毎に定められる参照信号を位相回転したものが配置され、第１２ＯＦＤＭシンボルの第３サブキャリアのアンテナ６に、移動局装置毎に定められる参照信号を位相回転したものが配置され、第１２ＯＦＤＭシンボルの第６サブキャリアのアンテナ７に、移動局装置毎に定められる参照信号を位相回転したものが配置され、第１２ＯＦＤＭシンボルの第９サブキャリアのアンテナ６に、移動局装置毎に定められる参照信号を位相回転したものが配置され、第１２ＯＦＤＭシンボルの第１２サブキャリアのアンテナ７に、移動局装置毎に定められる参照信号を位相回転したものが配置されている。
【００６８】
（信号配置パターン３２）
第２種リソースブロックに対する移動局装置毎に定められる参照信号の配置の一例を図３６に示す。図３６では、第２種リソースブロックに対して、第３ＯＦＤＭシンボルの第３サブキャリアのアンテナ５に、移動局装置毎に定められる参照信号を位相回転したものが配置され、第３ＯＦＤＭシンボルの第６サブキャリアのアンテナ４に、移動局装置毎に定められる参照信号を位相回転したものが配置され、第３ＯＦＤＭシンボルの第９サブキャリアのアンテナ５に、移動局装置毎に定められる参照信号を位相回転したものが配置され、第３ＯＦＤＭシンボルの第１２サブキャリアのアンテナ４に、移動局装置毎に定められる参照信号を位相回転したものが配置され、第５ＯＦＤＭシンボルの第３サブキャリアのアンテナ７に、移動局装置毎に定められる参照信号を位相回転したものが配置され、第５ＯＦＤＭシンボルの第６サブキャリアのアンテナ６に、移動局装置毎に定められる参照信号を位相回転したものが配置され、第５ＯＦＤＭシンボルの第９サブキャリアのアンテナ７に、移動局装置毎に定められる参照信号を位相回転したものが配置され、第５ＯＦＤＭシンボルの第１２サブキャリアのアンテナ６に、移動局装置毎に定められる参照信号を位相回転したものが配置され、第９ＯＦＤＭシンボルの第３サブキャリアのアンテナ４に、移動局装置毎に定められる参照信号を位相回転したものが配置され、第９ＯＦＤＭシンボルの第６サブキャリアのアンテナ５に、移動局装置毎に定められる参照信号を位相回転したものが配置され、第９ＯＦＤＭシンボルの第９サブキャリアのアンテナ４に、移動局装置毎に定められる参照信号を位相回転したものが配置され、第９ＯＦＤＭシンボルの第１２サブキャリアのアンテナ５に、移動局装置毎に定められる参照信号を位相回転したものが配置され、第１１ＯＦＤＭシンボルの第３サブキャリアのアンテナ６に、移動局装置毎に定められる参照信号を位相回転したものが配置され、第１１ＯＦＤＭシンボルの第６サブキャリアのアンテナ７に、移動局装置毎に定められる参照信号を位相回転したものが配置され、第１１ＯＦＤＭシンボルの第９サブキャリアのアンテナ６に、移動局装置毎に定められる参照信号を位相回転したものが配置され、第１１ＯＦＤＭシンボルの第１２サブキャリアのアンテナ７に、移動局装置毎に定められる参照信号を位相回転したものが配置されている。
【００６９】
（信号配置パターン３３）
第１種リソースブロックに対する移動局装置毎に定められる参照信号の配置の一例を図３７に示す。図３７では、第１種リソースブロックに対して、第５ＯＦＤＭシンボルの第３サブキャリアのアンテナ５に、移動局装置毎に定められる参照信号を位相回転したものが配置され、第５ＯＦＤＭシンボルの第６サブキャリアのアンテナ４に、移動局装置毎に定められる参照信号を位相回転したものが配置され、第５ＯＦＤＭシンボルの第９サブキャリアのアンテナ５に、移動局装置毎に定められる参照信号を位相回転したものが配置され、第５ＯＦＤＭシンボルの第１２サブキャリアのアンテナ４に、移動局装置毎に定められる参照信号を位相回転したものが配置され、第６ＯＦＤＭシンボルの第３サブキャリアのアンテナ７に、移動局装置毎に定められる参照信号を位相回転したものが配置され、第６ＯＦＤＭシンボルの第６サブキャリアのアンテナ６に、移動局装置毎に定められる参照信号を位相回転したものが配置され、第６ＯＦＤＭシンボルの第９サブキャリアのアンテナ７に、移動局装置毎に定められる参照信号を位相回転したものが配置され、第６ＯＦＤＭシンボルの第１２サブキャリアのアンテナ６に、移動局装置毎に定められる参照信号を位相回転したものが配置され、第１１ＯＦＤＭシンボルの第３サブキャリアのアンテナ４に、移動局装置毎に定められる参照信号を位相回転したものが配置され、第１１ＯＦＤＭシンボルの第６サブキャリアのアンテナ５に、移動局装置毎に定められる参照信号を位相回転したものが配置され、第１１ＯＦＤＭシンボルの第９サブキャリアのアンテナ４に、移動局装置毎に定められる参照信号を位相回転したものが配置され、第１１ＯＦＤＭシンボルの第１２サブキャリアのアンテナ５に、移動局装置毎に定められる参照信号を位相回転したものが配置され、第１２ＯＦＤＭシンボルの第３サブキャリアのアンテナ６に、移動局装置毎に定められる参照信号を位相回転したものが配置され、第１２ＯＦＤＭシンボルの第６サブキャリアのアンテナ７に、移動局装置毎に定められる参照信号を位相回転したものが配置され、第１２ＯＦＤＭシンボルの第９サブキャリアのアンテナ６に、移動局装置毎に定められる参照信号を位相回転したものが配置され、第１２ＯＦＤＭシンボルの第１２サブキャリアのアンテナ７に、移動局装置毎に定められる参照信号を位相回転したものが配置されている。
【００７０】
（信号配置パターン３４）
第１種リソースブロックに対する移動局装置毎に定められる参照信号の配置の一例を図３８に示す。図３８では、第１種リソースブロックに対して、第３ＯＦＤＭシンボルの第３サブキャリアのアンテナ３に、移動局装置毎に定められる参照信号を位相回転したものが配置され、第３ＯＦＤＭシンボルの第６サブキャリアのアンテナ１に、移動局装置毎に定められる参照信号を位相回転したものが配置され、第３ＯＦＤＭシンボルの第９サブキャリアのアンテナ３に、移動局装置毎に定められる参照信号を位相回転したものが配置され、第３ＯＦＤＭシンボルの第１２サブキャリアのアンテナ１に、移動局装置毎に定められる参照信号を位相回転したものが配置され、第５ＯＦＤＭシンボルの第３サブキャリアのアンテナ７に、移動局装置毎に定められる参照信号を位相回転したものが配置され、第５ＯＦＤＭシンボルの第６サブキャリアのアンテナ５に、移動局装置毎に定められる参照信号を位相回転したものが配置され、第５ＯＦＤＭシンボルの第９サブキャリアのアンテナ７に、移動局装置毎に定められる参照信号を位相回転したものが配置され、第５ＯＦＤＭシンボルの第１２サブキャリアのアンテナ５に、移動局装置毎に定められる参照信号を位相回転したものが配置され、第９ＯＦＤＭシンボルの第３サブキャリアのアンテナ１に、移動局装置毎に定められる参照信号を位相回転したものが配置され、第９ＯＦＤＭシンボルの第６サブキャリアのアンテナ３に、移動局装置毎に定められる参照信号を位相回転したものが配置され、第９ＯＦＤＭシンボルの第９サブキャリアのアンテナ１に、移動局装置毎に定められる参照信号を位相回転したものが配置され、第９ＯＦＤＭシンボルの第１２サブキャリアのアンテナ３に、移動局装置毎に定められる参照信号を位相回転したものが配置され、第１１ＯＦＤＭシンボルの第３サブキャリアのアンテナ５に、移動局装置毎に定められる参照信号を位相回転したものが配置され、第１１ＯＦＤＭシンボルの第６サブキャリアのアンテナ７に、移動局装置毎に定められる参照信号を位相回転したものが配置され、第１１ＯＦＤＭシンボルの第９サブキャリアのアンテナ５に、移動局装置毎に定められる参照信号を位相回転したものが配置され、第１１ＯＦＤＭシンボルの第１２サブキャリアのアンテナ７に、移動局装置毎に定められる参照信号を位相回転したものが配置されている。
【００７１】
（信号配置パターン３５）
第１種リソースブロックに対する移動局装置毎に定められる参照信号の配置の一例を図３９に示す。図３９では、第１種リソースブロックに対して、第５ＯＦＤＭシンボルの第３サブキャリアのアンテナ３に、移動局装置毎に定められる参照信号を位相回転したものが配置され、第５ＯＦＤＭシンボルの第６サブキャリアのアンテナ１に、移動局装置毎に定められる参照信号を位相回転したものが配置され、第５ＯＦＤＭシンボルの第９サブキャリアのアンテナ３に、移動局装置毎に定められる参照信号を位相回転したものが配置され、第５ＯＦＤＭシンボルの第１２サブキャリアのアンテナ１に、移動局装置毎に定められる参照信号を位相回転したものが配置され、第６ＯＦＤＭシンボルの第３サブキャリアのアンテナ７に、移動局装置毎に定められる参照信号を位相回転したものが配置され、第６ＯＦＤＭシンボルの第６サブキャリアのアンテナ５に、移動局装置毎に定められる参照信号を位相回転したものが配置され、第６ＯＦＤＭシンボルの第９サブキャリアのアンテナ７に、移動局装置毎に定められる参照信号を位相回転したものが配置され、第６ＯＦＤＭシンボルの第１２サブキャリアのアンテナ５に、移動局装置毎に定められる参照信号を位相回転したものが配置され、第１１ＯＦＤＭシンボルの第３サブキャリアのアンテナ１に、移動局装置毎に定められる参照信号を位相回転したものが配置され、第１１ＯＦＤＭシンボルの第６サブキャリアのアンテナ３に、移動局装置毎に定められる参照信号を位相回転したものが配置され、第１１ＯＦＤＭシンボルの第９サブキャリアのアンテナ１に、移動局装置毎に定められる参照信号を位相回転したものが配置され、第１１ＯＦＤＭシンボルの第１２サブキャリアのアンテナ３に、移動局装置毎に定められる参照信号を位相回転したものが配置され、第１２ＯＦＤＭシンボルの第３サブキャリアのアンテナ５に、移動局装置毎に定められる参照信号を位相回転したものが配置され、第１２ＯＦＤＭシンボルの第６サブキャリアのアンテナ７に、移動局装置毎に定められる参照信号を位相回転したものが配置され、第１２ＯＦＤＭシンボルの第９サブキャリアのアンテナ５に、移動局装置毎に定められる参照信号を位相回転したものが配置され、第１２ＯＦＤＭシンボルの第１２サブキャリアのアンテナ７に、移動局装置毎に定められる参照信号を位相回転したものが配置されている。
【００７２】
（信号配置パターン３６）
コントロール信号の配置の一例を図４０に示す。図４０では、基地局装置毎に定められる参照信号と移動局装置毎に定められる参照信号とデータ信号とのいずれかが配置されているサブキャリア以外の一部のサブキャリアで、周波数方向に隣接している２サブキャリアのアンテナ０とアンテナ５とに空間周波数ブロックコーディングが適用されたコントロール信号が配置され、基地局装置毎に定められる参照信号と移動局装置毎に定められる参照信号とデータ信号とのいずれかが配置されているサブキャリア以外の一部のサブキャリアで、周波数方向に隣接している２サブキャリアのアンテナ２とアンテナ７とに空間周波数ブロックコーディングが適用されたコントロール信号が配置されている。
【００７３】
（信号配置パターン３７）
コントロール信号の配置の一例を図４１に示す。図４１では、基地局装置毎に定められる参照信号と移動局装置毎に定められる参照信号とデータ信号とのいずれかが配置されているサブキャリア以外の一部のサブキャリアで、周波数方向に隣接している２サブキャリアのアンテナ０とアンテナ４とに空間周波数ブロックコーディングが適用されたコントロール信号が配置され、基地局装置毎に定められる参照信号と移動局装置毎に定められる参照信号とデータ信号とのいずれかが配置されているサブキャリア以外の一部のサブキャリアで、周波数方向に隣接している２サブキャリアのアンテナ２とアンテナ６とに空間周波数ブロックコーディングが適用されたコントロール信号が配置されている。
【００７４】
（信号配置パターン３８）
コントロール信号の配置の一例を図４２に示す。図４２では、基地局装置毎に定められる参照信号と移動局装置毎に定められる参照信号とデータ信号とのいずれかが配置されているサブキャリア以外の一部のサブキャリアで、周波数方向に隣接している２サブキャリアのアンテナ０とアンテナ４とに空間周波数ブロックコーディングが適用されたコントロール信号が配置され、アンテナ２とアンテナ６とに該空間周波数ブロックコーディングが適用されたコントロール信号をそれぞれ位相回転したものが配置され、基地局装置毎に定められる参照信号と移動局装置毎に定められる参照信号とデータ信号とのいずれかが配置されているサブキャリア以外の一部のサブキャリアで、周波数方向に隣接している２サブキャリアのアンテナ１とアンテナ５とに空間周波数ブロックコーディングが適用されたコントロール信号が配置され、アンテナ３とアンテナ７とに該空間周波数ブロックコーディングが適用されたコントロール信号をそれぞれ位相回転したものが配置されている。
【００７５】
（信号配置パターン３９）
コントロール信号の配置の一例を図４３に示す。図４３では、基地局装置毎に定められる参照信号と移動局装置毎に定められる参照信号とデータ信号とのいずれかが配置されているサブキャリア以外の一部のサブキャリアで、周波数方向に隣接している２サブキャリアのアンテナ０とアンテナ２とに空間周波数ブロックコーディングが適用されたコントロール信号が配置され、アンテナ４とアンテナ６とに該空間周波数ブロックコーディングが適用されたコントロール信号をそれぞれ位相回転したものが配置され、基地局装置毎に定められる参照信号と移動局装置毎に定められる参照信号とデータ信号とのいずれかが配置されているサブキャリア以外の一部のサブキャリアで、周波数方向に隣接している２サブキャリアのアンテナ１とアンテナ３とに空間周波数ブロックコーディングが適用されたコントロール信号が配置され、アンテナ５とアンテナ７とに該空間周波数ブロックコーディングが適用されたコントロール信号をそれぞれ位相回転したものが配置されている。
【００７６】
（信号配置パターン４０）
コントロール信号の配置の一例を図４４に示す。図４４では、基地局装置毎に定められる参照信号と移動局装置毎に定められる参照信号とデータ信号とのいずれかが配置されているサブキャリア以外の一部のサブキャリアで、周波数方向に隣接している２サブキャリアのアンテナ０とアンテナ４とに空間周波数ブロックコーディングが適用されたコントロール信号が配置され、アンテナ１とアンテナ５とに該空間周波数ブロックコーディングが適用されたコントロール信号をそれぞれ位相回転したものが配置され、基地局装置毎に定められる参照信号と移動局装置毎に定められる参照信号とデータ信号とのいずれかが配置されているサブキャリア以外の一部のサブキャリアで、周波数方向に隣接している２サブキャリアのアンテナ２とアンテナ６とに空間周波数ブロックコーディングが適用されたコントロール信号が配置され、アンテナ３とアンテナ７とに該空間周波数ブロックコーディングが適用されたコントロール信号をそれぞれ位相回転したものが配置されている。
【００７７】
（信号配置パターン４１）
データ信号の配置の一例を図４５に示す。図４５では、基地局装置毎に定められる参照信号と移動局装置毎に定められる参照信号とコントロール信号とのいずれかが配置されているサブキャリア以外の一部のサブキャリアで、周波数方向に隣接している２サブキャリアのアンテナ０とアンテナ５とに空間周波数ブロックコーディングが適用されたデータ信号が配置され、基地局装置毎に定められる参照信号と移動局装置毎に定められる参照信号とコントロール信号とのいずれかが配置されているサブキャリア以外の一部のサブキャリアで、周波数方向に隣接している２サブキャリアのアンテナ２とアンテナ７とに空間周波数ブロックコーディングが適用されたデータ信号が配置されている。
【００７８】
（信号配置パターン４２）
データ信号の配置の一例を図４６に示す。図４６では、基地局装置毎に定められる参照信号と移動局装置毎に定められる参照信号とコントロール信号とのいずれかが配置されているサブキャリア以外の一部のサブキャリアで、周波数方向に隣接している２サブキャリアのアンテナ０とアンテナ４とに空間周波数ブロックコーディングが適用されたデータ信号が配置され、基地局装置毎に定められる参照信号と移動局装置毎に定められる参照信号とコントロール信号とのいずれかが配置されているサブキャリア以外の一部のサブキャリアで、周波数方向に隣接している２サブキャリアのアンテナ２とアンテナ６とに空間周波数ブロックコーディングが適用されたデータ信号が配置されている。
【００７９】
（信号配置パターン４３）
データ信号の配置の一例を図４７に示す。図４７では、基地局装置毎に定められる参照信号と移動局装置毎に定められる参照信号とコントロール信号とのいずれかが配置されているサブキャリア以外の一部のサブキャリアで、周波数方向に隣接している２サブキャリアのアンテナ０とアンテナ４とに空間周波数ブロックコーディングが適用されたデータ信号が配置され、アンテナ２とアンテナ６とに該空間周波数ブロックコーディングが適用されたデータ信号をそれぞれ位相回転したものが配置され、基地局装置毎に定められる参照信号と移動局装置毎に定められる参照信号とコントロール信号とのいずれかが配置されているサブキャリア以外の一部のサブキャリアで、周波数方向に隣接している２サブキャリアのアンテナ１とアンテナ５とに空間周波数ブロックコーディングが適用されたデータ信号が配置され、アンテナ３とアンテナ７とに該空間周波数ブロックコーディングが適用されたデータ信号をそれぞれ位相回転したものが配置されている。
【００８０】
（信号配置パターン４４）
データ信号の配置の一例を図４８に示す。図４８では、基地局装置毎に定められる参照信号と移動局装置毎に定められる参照信号とコントロール信号とのいずれかが配置されているサブキャリア以外の一部のサブキャリアで、周波数方向に隣接している２サブキャリアのアンテナ０とアンテナ２とに空間周波数ブロックコーディングが適用されたデータ信号が配置され、アンテナ４とアンテナ６とに該空間周波数ブロックコーディングが適用されたデータ信号をそれぞれ位相回転したものが配置され、基地局装置毎に定められる参照信号と移動局装置毎に定められる参照信号とコントロール信号とのいずれかが配置されているサブキャリア以外の一部のサブキャリアで、周波数方向に隣接している２サブキャリアのアンテナ１とアンテナ３とに空間周波数ブロックコーディングが適用されたデータ信号が配置され、アンテナ５とアンテナ７とに該空間周波数ブロックコーディングが適用されたデータ信号をそれぞれ位相回転したものが配置されている。
【００８１】
（信号配置パターン４５）
データ信号の配置の一例を図４９に示す。図４９では、基地局装置毎に定められる参照信号と移動局装置毎に定められる参照信号とコントロール信号とのいずれかが配置されているサブキャリア以外の一部のサブキャリアで、周波数方向に隣接している２サブキャリアのアンテナ０とアンテナ４とに空間周波数ブロックコーディングが適用されたデータ信号が配置され、アンテナ１とアンテナ５とに該空間周波数ブロックコーディングが適用されたデータ信号をそれぞれ位相回転したものが配置され、基地局装置毎に定められる参照信号と移動局装置毎に定められる参照信号とコントロール信号とのいずれかが配置されているサブキャリア以外の一部のサブキャリアで、周波数方向に隣接している２サブキャリアのアンテナ２とアンテナ６とに空間周波数ブロックコーディングが適用されたデータ信号が配置され、アンテナ３とアンテナ７とに該空間周波数ブロックコーディングが適用されたデータ信号をそれぞれ位相回転したものが配置されている。
【００８２】
（信号配置パターン４６）
データ信号の配置の一例を示す。ここでは、基地局装置毎に定められる参照信号と、移動局装置毎に定められる参照信号と、コントロール信号と、データ信号と、のいずれかが配置されているサブキャリア以外の一部のサブキャリア内の一部もしくは全てのアンテナにＭＩＭＯ用のデータ信号が配置されている。
【００８３】
また、信号配置パターン１から信号配置パターン１０までに示した信号配置パターンにおいて、第１サブキャリアに配置される基地局装置毎に定められる参照信号が第６サブキャリアに周波数シフトされ、第２サブキャリアに配置される基地局装置毎に定められる参照信号が第１サブキャリアに周波数シフトされ、第３サブキャリアに配置される基地局装置毎に定められる参照信号が第２サブキャリアに周波数シフトされ、第４サブキャリアに配置される基地局装置毎に定められる参照信号が第３サブキャリアに周波数シフトされ、第５サブキャリアに配置される基地局装置毎に定められる参照信号が第４サブキャリアに周波数シフトされ、第６サブキャリアに配置される基地局装置毎に定められる参照信号が第５サブキャリアに周波数シフトされ、第７サブキャリアに配置される基地局装置毎に定められる参照信号が第１２サブキャリアに周波数シフトされ、第８サブキャリアに配置される基地局装置毎に定められる参照信号が第７サブキャリアに周波数シフトされ、第９サブキャリアに配置される基地局装置毎に定められる参照信号が第８サブキャリアに周波数シフトされ、第１０サブキャリアに配置される基地局装置毎に定められる参照信号が第９サブキャリアに周波数シフトされ、第１１サブキャリアに配置される基地局装置毎に定められる参照信号が第１０サブキャリアに周波数シフトされ、第１２サブキャリアに配置される基地局装置毎に定められる参照信号が第１１サブキャリアに周波数シフトされても良いし、これらの周波数シフトがなされた信号配置パターンに対し、同様の周波数シフトがなされても良い。
【００８４】
また、信号配置パターン１１から信号配置パターン３５までに示した信号配置パターンにおいて、第１サブキャリアに配置される移動局装置毎に定められる参照信号が第６サブキャリアに周波数シフトされ、第２サブキャリアに配置される移動局装置毎に定められる参照信号が第１サブキャリアに周波数シフトされ、第３サブキャリアに配置される移動局装置毎に定められる参照信号が第２サブキャリアに周波数シフトされ、第４サブキャリアに配置される移動局装置毎に定められる参照信号が第３サブキャリアに周波数シフトされ、第５サブキャリアに配置される移動局装置毎に定められる参照信号が第４サブキャリアに周波数シフトされ、第６サブキャリアに配置される移動局装置毎に定められる参照信号が第５サブキャリアに周波数シフトされ、第７サブキャリアに配置される移動局装置毎に定められる参照信号が第１２サブキャリアに周波数シフトされ、第８サブキャリアに配置される移動局装置毎に定められる参照信号が第７サブキャリアに周波数シフトされ、第９サブキャリアに配置される移動局装置毎に定められる参照信号が第８サブキャリアに周波数シフトされ、第１０サブキャリアに配置される移動局装置毎に定められる参照信号が第９サブキャリアに周波数シフトされ、第１１サブキャリアに配置される移動局装置毎に定められる参照信号が第１０サブキャリアに周波数シフトされ、第１２サブキャリアに配置される移動局装置毎に定められる参照信号が第１１サブキャリアに周波数シフトされても良いし、これらの周波数シフトがなされた信号配置パターンに対し、同様の周波数シフトがなされても良い。
【００８５】
また、移動局装置毎に定められる参照信号を基地局装置毎に定められる参照信号としても良い。
【００８６】
また、信号配置パターン１から信号配置パターン４６までに示した信号配置パターンを複数組み合わせたものを信号配置パターンとしても良い。
【００８７】
また、上述の信号配置パターンにおいて、アンテナ０に配置される基地局装置毎に定められる参照信号と移動局装置毎に定められる参照信号とコントロール信号とデータ信号とのいずれかもしくは複数がアンテナ１に配置され、アンテナ１に配置される基地局装置毎に定められる参照信号と移動局装置毎に定められる参照信号とコントロール信号とデータ信号とのいずれかもしくは複数がアンテナ２に配置され、アンテナ２に配置される基地局装置毎に定められる参照信号と移動局装置毎に定められる参照信号とコントロール信号とデータ信号とのいずれかもしくは複数がアンテナ３に配置され、アンテナ３に配置される基地局装置毎に定められる参照信号と移動局装置毎に定められる参照信号とコントロール信号とデータ信号とのいずれかもしくは複数がアンテナ４に配置され、アンテナ４に配置される基地局装置毎に定められる参照信号と移動局装置毎に定められる参照信号とコントロール信号とデータ信号とのいずれかもしくは複数がアンテナ５に配置され、アンテナ５に配置される基地局装置毎に定められる参照信号と移動局装置毎に定められる参照信号とコントロール信号とデータ信号とのいずれかもしくは複数がアンテナ６に配置され、アンテナ６に配置される基地局装置毎に定められる参照信号と移動局装置毎に定められる参照信号とコントロール信号とデータ信号とのいずれかもしくは複数がアンテナ７に配置され、アンテナ７に配置される基地局装置毎に定められる参照信号と移動局装置毎に定められる参照信号とコントロール信号とデータ信号とのいずれかもしくは複数がアンテナ０に配置されても良い。
【００８８】
また、第１種リソースブロックと第２種リソースブロックとは、図５４に示した周波数と時間とで指定されたタイミングで基地局装置から移動局装置に対して複数送信される。
ここで、これらのリソースブロックは、図５４（ａ）に示すように、上述の信号配置パターンと非特許文献１に示される信号配置パターンとのうちのいずれか１つの信号配置パターンに基づいたものでも良いし、図５４（ｂ）に示すように、上述の信号配置パターンと非特許文献１に示される信号配置パターンとのうちの複数の信号配置パターンに基づいたものでも良い。
【００８９】
また、基地局装置は８アンテナを備えるに限定されない。
【００９０】
例えば、基地局装置が７アンテナを備える場合、上述の信号配置パターンに含まれるＴｙｐｅ１の移動局装置毎に定められる参照信号が送信されているアンテナを用いないものとし、基地局装置が６アンテナを備える場合、Ｔｙｐｅ１の移動局装置毎に定められる参照信号が送信されているアンテナとＴｙｐｅ２の移動局装置毎に定められる参照信号が送信されているアンテナとを用いないものとし、基地局装置が５アンテナを備える場合、Ｔｙｐｅ１の移動局装置毎に定められる参照信号が送信されているアンテナとＴｙｐｅ２の移動局装置毎に定められる参照信号が送信されているアンテナとＴｙｐｅ３の移動局装置毎に定められる参照信号が送信されているアンテナとを用いないものとし、基地局装置が４アンテナを備える場合、Ｔｙｐｅ１の移動局装置毎に定められる参照信号が送信されているアンテナとＴｙｐｅ２の移動局装置毎に定められる参照信号が送信されているアンテナとＴｙｐｅ３の移動局装置毎に定められる参照信号が送信されているアンテナとＴｙｐｅ４の移動局装置毎に定められる参照信号が送信されているアンテナとを用いないものとする。
【００９１】
また、本発明における基地局装置は、リソースブロックに対する基地局装置毎に定められる参照信号と移動局装置毎に定められる参照信号とコントロール信号とデータ信号との配置に関する情報に基づいて、リソースブロックに対して、基地局装置毎に定められる参照信号と移動局装置毎に定められる参照信号とコントロール信号とデータ信号とを配置する信号配置部と、基地局装置毎に定められる参照信号と移動局装置毎に定められる参照信号とコントロール信号とデータ信号とが配置されたリソースブロックを移動局装置に送信する送信部と、から構成されている。
【００９２】
また、本発明における移動局装置は、基地局装置から送信されたリソースブロックを受信する受信部と、受信したリソースブロックと信号配置パターンとに基づいて復号化部で必要とする重みを算出する重み制御部と、受信したリソースブロックと信号配置パターンと重み制御部で算出された重みとに基づいて、コントロール信号とデータ信号とを再生する復号化部と、から構成されている。
【００９３】
また、基地局装置の通信方法は、リソースブロックに対する基地局装置毎に定められる参照信号と移動局装置毎に定められる参照信号とコントロール信号とデータ信号との配置に関する情報からなる信号配置パターンに基づいて、リソースブロックに対して、基地局装置毎に定められる参照信号と移動局装置毎に定められる参照信号とコントロール信号とデータ信号とを配置する第１のステップと、基地局装置毎に定められる参照信号と移動局装置毎に定められる参照信号とコントロール信号とデータ信号とが配置されたリソースブロックを基地局装置に送信する第２のステップと、を備えている。
【００９４】
また、移動局装置の通信方法は、基地局装置から送信されたリソースブロックを受信する第１のステップと、受信したリソースブロックと信号配置パターンとに基づいて、復号化部で必要とする重みを算出する第２のステップと、受信したリソースブロックと信号配置パターンと重み制御部で算出された重みとに基づいて、コントロール信号とデータ信号とを再生する第３のステップと、を備えている。
【００９５】
本発明では、下記、１）から３）までを提案する。
１）現在用いられている移動局装置が、ダイバーシティ方式を意識せずに少なくともコントロール信号を復調することが可能であることと、ダイバーシティ効果の改善とを考慮した、信号処理パターン１から信号処理パターン１０までのリソースブロックに対する基地局装置毎に定められる参照信号の配置と信号処理パターン３６から信号処理パターン４０までのコントロール信号の配置。
２）ダイバーシティ効果の改善を考慮した、信号処理パターン４１から信号処理パターン４５までのリソースブロックに対するデータ信号の配置。
３）８ｘ８のＭＩＭＯを実現する場合、基地局装置が備える各アンテナから移動局装置が備える各アンテナまでのチャネル推定のため、アンテナ毎に独立した基地局装置毎に定められる参照信号と移動局装置毎に定められる参照信号とが複数要求される。この場合に必要となる基地局装置毎に定められる参照信号と移動局装置毎に定められる参照信号との数を意識した、リソースブロックに対する信号処理パターン１１から信号処理パターン３５までの移動局装置毎に定められる参照信号の配置。
【００９６】
なお、本発明は、上記信号配置パターンと信号配置パターンに基づく通信方法とを、コンピュータ上で実現するプログラム、該プログラムを記録する記録媒体であっても良い。プログラムは、インターネットなどの伝送媒体によって取得するものでも良い。
【発明の効果】
【００９７】
上記、１）により、現在用いられている移動局装置が、ダイバーシティ方式を意識せずに、少なくともコントロール信号を復調することが可能である。また、８アンテナによるダイバーシティ方式を適用することとなるため、非特許文献１に示されるダイバーシティ方式を適用した場合よりも、ダイバーシティ効果が改善される。
【００９８】
上記、２）により、データ信号に対しても８アンテナによるダイバーシティ方式を適用することとなるため、非特許文献１に示されるダイバーシティ方式を適用した場合よりも、ダイバーシティ効果が改善される。
【００９９】
上記、３）により、８ｘ８のＭＩＭＯ時においてもリソースブロックあたりの基地局装置毎に定められる参照信号と移動局装置毎に定められる参照信号の数を抑えることが可能となる。
【発明を実施するための最良の形態】
【０１００】
以下、図面を用いながら本発明の実施形態について説明する。本発明は第１から第３５までの実施形態について図面を参照しながら説明を行う。
（第１の実施形態）
第１の実施形態について、図５０に示される８アンテナを備える基地局装置（１００ａ）と、図５１に示される１アンテナを備える移動局装置（２００ａ）との通信を例にして説明する。
【０１０１】
はじめに、基地局装置（１００ａ）について説明する。
【０１０２】
図５０に示すように、本実施形態による基地局装置（１００ａ）には、外部から、基地局装置毎に定められる参照信号と移動局装置毎に定められる参照信号とコントロール信号とデータ信号とが入力されている。
【０１０３】
基地局装置（１００ａ）は、符号化部（１０a）と符号化部（１０ｂ）と、信号処理装置（１０ｃ）と信号処理装置（１１ｃ）と信号処理装置（１２ｃ）と信号処理装置（１３ｃ）と信号処理装置（１４ｃ）と信号処理装置（１５ｃ）と信号処理装置（１６ｃ）と信号処理装置（１７ｃ）と、アンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とで構成されている。また、アンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とは物理的に直線上に配置されており、アンテナ（１０ｃ−４）とアンテナ（１１ｃ−４）との距離と、（１１ｃ−４）とアンテナ（１２ｃ−４）との距離と、アンテナ（１２ｃ−４）とアンテナ（１３ｃ−４）との距離と、アンテナ（１３ｃ−４）とアンテナ（１４ｃ−４）との距離と、アンテナ（１４ｃ−４）とアンテナ（１５ｃ−４）との距離と、アンテナ（１５ｃ−４）とアンテナ（１６ｃ−４）との距離と、アンテナ（１６ｃ−４）とアンテナ（１７ｃ−４）との距離との総和が、アンテナ（１７ｃ−４）とアンテナ（１０ｃ−４）との距離に等しいとする。
【０１０４】
基地局装置（１００ａ）に入力されたコントロール信号は、符号化部（１０a）に出力される。
【０１０５】
符号化部（１０a）では、はじめに、入力されたコントロール信号に対して図４０（ａ）に示されるプリコーディングが適用される。
【０１０６】
次に、図４０（ａ）のアンテナ０のプリコーディングが適用されたコントロール信号は信号処理装置（１０ｃ）に出力され、アンテナ１のプリコーディングが適用されたコントロール信号は信号処理装置（１１ｃ）に出力され、アンテナ２のプリコーディングが適用されたコントロール信号は信号処理装置（１２ｃ）に出力され、アンテナ３のプリコーディングが適用されたコントロール信号は信号処理装置（１３ｃ）に出力され、アンテナ４のプリコーディングが適用されたコントロール信号は信号処理装置（１４ｃ）に出力され、アンテナ５のプリコーディングが適用されたコントロール信号は信号処理装置（１５ｃ）に出力され、アンテナ６のプリコーディングが適用されたコントロール信号は信号処理装置（１６ｃ）に出力され、アンテナ７のプリコーディングが適用されたコントロール信号は信号処理装置（１７ｃ）に出力される。
【０１０７】
同様に、基地局装置（１００ａ）に入力されたデータ信号は、符号化部（１０ｂ）に入力される。
【０１０８】
符号化部（１０a）では、はじめに、入力されたデータ信号に対して図４５（ａ）に示されるプリコーディングが適用される。
【０１０９】
次に、図４５（ａ）のアンテナ０のプリコーディングが適用されたデータ信号は信号処理装置（１０ｃ）に出力され、アンテナ１のプリコーディングが適用されたデータ信号は信号処理装置（１１ｃ）に出力され、アンテナ２のプリコーディングが適用されたデータ信号は信号処理装置（１２ｃ）に出力され、アンテナ３のプリコーディングが適用されたデータ信号は信号処理装置（１３ｃ）に出力され、アンテナ４のプリコーディングが適用されたデータ信号は信号処理装置（１４ｃ）に出力され、アンテナ５のプリコーディングが適用されたデータ信号は信号処理装置（１５ｃ）に出力され、アンテナ６のプリコーディングが適用されたデータ信号は信号処理装置（１６ｃ）に出力され、アンテナ７のプリコーディングが適用されたデータ信号は信号処理装置（１７ｃ）に出力される。
【０１１０】
ここで、信号処理装置（１０ｃ）から信号処理装置（１７ｃ）までは同じ構造で良いため、以降は信号処理装置（１０ｃ）に関する説明のみをおこなう。
【０１１１】
信号処理装置（１０ｃ）は、信号配置部（１０ｃ−１）と送信部（１０ｃ−３）とで構成されている。
【０１１２】
はじめに、信号処理装置（１０ｃ）に入力されるプリコーディングが適用されたコントロール信号は、信号配置部（１０ｃ−１）に出力される。
【０１１３】
同様に、信号処理装置（１０ｃ）に入力されるプリコーディングが適用されたデータ信号は、信号配置部（１０ｃ−１）に出力される。
【０１１４】
信号配置部（１０ｃ−１）では、はじめに、リソースブロックに対して、外部から入力される基地局装置毎に定められる参照信号が図５（ｂ）に示される信号配置パターンに基づいて配置され、プリコーディングが適用されたコントロール信号が図４０（ｂ）に示される信号配置パターンに基づいて、基地局装置毎に定められる参照信号とプリコーディングが適用されたデータ信号とが配置されていないサブキャリアに配置され、プリコーディングが適用されたデータ信号が図４５（ｂ）に示される信号配置パターンに基づいて、基地局装置毎に定められる参照信号とコントロール信号とが配置されていないサブキャリアに配置される。
【０１１５】
次に、この基地局装置毎に定められる参照信号と、プリコーディングが適用されたコントロール信号と、プリコーディングが適用されたデータ信号と、が配置されたリソースブロックが送信部（１０ｃ−３）に出力される。
【０１１６】
送信部（１０ｃ−３）では、リソースブロックがアンテナ（１０ｃ−４）を介して、移動局装置（２００ａ）に送信される。このことは、信号処理装置（１０ｃ）では、リソースブロックがアンテナ（１０ｃ−４）を介して移動局装置（２００ａ）に送信されることと同義である。
【０１１７】
同様に、信号処理装置（１１ｃ）では、リソースブロックがアンテナ（１１ｃ−４）を介して移動局装置（２００ａ）に送信され、信号処理装置（１２ｃ）では、リソースブロックがアンテナ（１２ｃ−４）を介して移動局装置（２００ａ）に送信され、信号処理装置（１３ｃ）では、リソースブロックがアンテナ（１３ｃ−４）を介して移動局装置（２００ａ）に送信され、信号処理装置（１４ｃ）では、リソースブロックがアンテナ（１４ｃ−４）を介して移動局装置（２００ａ）に送信され、信号処理装置（１５ｃ）では、リソースブロックがアンテナ（１５ｃ−４）を介して移動局装置（２００ａ）に送信され、信号処理装置（１６ｃ）では、リソースブロックがアンテナ（１６ｃ−４）を介して移動局装置（２００ａ）に送信され、信号処理装置（１７ｃ）では、リソースブロックがアンテナ（１７ｃ−４）を介して移動局装置（２００ａ）に送信される。
【０１１８】
次に、図５１を参照して、移動局装置（２００ａ）について説明する。
【０１１９】
図５１に示すように、本実施形態による移動局装置（２００ａ）は、アンテナ（２０ａ−１）と受信部（２０ａ−２）と重み制御部（２０ｂ）と復号化部（２０ａ−３）とを有している。
【０１２０】
受信部（２０ａ−２）では、基地局装置（１００ａ）が備えるアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）とから送信されたリソースブロックが、移動局装置（２００ａ）が備えるアンテナ（２０ａ−１）を介して受信され、受信されたリソースブロックが、重み制御部（２０ｂ）と復号化部（２０ａ−３）とに出力される。
【０１２１】
重み制御部（２０ｂ）では、はじめに、基地局装置（１００ａ）と共有している図５に示される信号配置パターンに基づいて、入力されたリソースブロックに配置される基地局装置毎に定められる参照信号が取得される。
【０１２２】
次に、取得された基地局装置毎に定められる参照信号に基づいて、基地局装置（１００ａ）のアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）と移動局装置間（２００ａ）のアンテナ（２０ａ−１）との間のチャネル推定を行い、復号化部（２０ａ−３）で適用される重みが算出される。
【０１２３】
復号化部（２０ａ−３）では、はじめに、基地局装置（１００ａ）と共有する図４０に示される信号配置パターンに基づいて、入力されたリソースブロックに配置されているコントロール信号が取得される。
【０１２４】
次に、取得されたコントロール信号は重み制御部（２０ｂ）から出力される重みに基づいて復号される。
【０１２５】
同様に、基地局装置（１００ａ）と共有する図４５に示される信号配置パターンに基づいて、入力されたリソースブロックに配置されているデータ信号が取得される。
【０１２６】
次に、取得されたデータ信号が重み制御部（２０ｂ）から出力される重みに基づいて復号される。
【０１２７】
ここで、上記の信号配置パターンに関する考え方として、以下のａ）からｅ）までの注意事項が挙げられ、以下のすべての実施形態において共通の認識である。
ａ）第１種リソースブロックまたは第２種リソースブロックあたりの、基地局装置毎に定められる参照信号と移動局装置毎に定められる参照信号の数が多すぎない
ｂ）基地局装置毎に定められる参照信号と移動局装置毎に定められる参照信号とコントロール信号とデータ信号との電力調整に関する現在の仕様を適用しやすい
ｃ）チャネル推定精度が高い
ｄ）移動局装置は少なくとも、現在の仕様に基づく信号配置パターンを備える基地局装置と、提案する信号配置パターンを備える将来の基地局装置とを意識することなく、コントロール信号を受信することができる
ｅ）移動局装置は、現在の仕様に基づく信号配置パターンを備える基地局装置からのコントロール信号とデータ信号とを受信するより、提案する信号配置パターンを備える基地局装置からのコントロール信号とデータ信号とを受信する方がスループットを改善することができる。
【０１２８】
第１の実施形態では、８アンテナを備える基地局装置において、図５に示される信号配置パターン（第１種リソースブロック（Ｎｏｒｍａｌ  ＣＰ時のリソースブロック）に対する基地局装置毎に定められる参照信号の配置）に基づいて、Ｎｏｒｍａｌ  ＣＰ時のリソースブロックに対し、基地局装置毎に定められる参照信号を配置し、図４０に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、図４５に示される信号配置パターン（データ信号は、基地局装置毎に定められる参照信号と移動局装置毎に定められる参照信号とコントロール信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、データ信号を配置する。
【０１２９】
第１の実施形態では、サブキャリア内のコントロール信号とデータ信号とを送信するアンテナ間の距離が大きいため、アンテナ相関の影響を低減することが可能となる。よって、ダイバーシティ効果を改善することができるという特徴がある。
【０１３０】
（第２の実施形態）
第２の実施形態では、第１の実施形態と同一の基地局装置（１００ａ）と移動局装置（２００ａ）とを用いて通信がおこなわれることを想定する。
【０１３１】
次に、本発明の第２の実施形態では、８アンテナを備える基地局装置において、図６に示される信号配置パターン（第１種リソースブロック（Ｎｏｒｍａｌ  ＣＰ時のリソースブロック）に対する基地局装置毎に定められる参照信号の配置）に基づいて、Ｎｏｒｍａｌ  ＣＰ時のリソースブロックに対し、基地局装置毎に定められる参照信号を配置し、図４１に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、図４６に示される信号配置パターン（データ信号は、基地局装置毎に定められる参照信号と移動局装置毎に定められる参照信号とコントロール信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、データ信号を配置する。
【０１３２】
第２の実施形態では、第１の実施形態と比較し、コントロール信号およびデータ信号を送信するアンテナを異なるものとしていることに特徴がある。これにより、アンテナ０とアンテナ２とアンテナ４とアンテナ６とを用いた信号配置パターンと同様のアンテナ１とアンテナ３とアンテナ５とアンテナ７とを用いた信号配置パターンに基づいて、リソースブロックに対する基地局装置毎に定められる参照信号と移動局装置毎に定められる参照信号とコントロール信号とデータ信号とを配置することができる。
【０１３３】
（第３の実施形態）
第３の実施形態では、第１の実施形態と同一の基地局装置（１００ａ）と移動局装置（２００ａ）とを用いて通信がおこなわれることを想定する。
【０１３４】
第３の実施形態では、８アンテナを備える基地局装置において、図７に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図４０に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、図４５に示される信号配置パターンに基づいて（データ信号は、基地局装置毎に定められる参照信号と移動局装置毎に定められる参照信号とコントロール信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）、Ｅｘｔｅｎｄｅｄ  ＣＰ時のリソースブロックに対し、データ信号を配置する。
【０１３５】
本実施形態における構成の特徴と効果とは、第１の実施形態と同様であるが、Ｅｘｔｅｎｄｅｄ  ＣＰ時のリソースブロックを対象としている点が異なる。
【０１３６】
（第４の実施形態）
第４の実施形態では、第１の実施形態と同一の基地局装置（１００ａ）と移動局装置（２００ａ）とを用いて通信が行われることを想定している。
【０１３７】
第４の実施形態では、８アンテナを備える基地局装置において、図８に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図４１に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、図４６に示される信号配置パターン（データ信号は、基地局装置毎に定められる参照信号と移動局装置毎に定められる参照信号とコントロール信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、データ信号を配置する。
【０１３８】
本実施形態における構成上の特徴と効果とは、第２の実施形態と同様であるが、Ｅｘｔｅｎｄｅｄ  ＣＰ時のリソースブロックを対象としている点が異なる。
【０１３９】
（第５の実施形態）
第５の実施形態では、第１の実施形態と同一の基地局装置（１００ａ）と移動局装置（２００ａ）とを用いて通信が行われることを想定している。
【０１４０】
第５の実施形態では、８アンテナを備える基地局装置において、図９に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図４２に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、図４７に示される信号配置パターン（データ信号は、基地局装置毎に定められる参照信号と移動局装置毎に定められる参照信号とコントロール信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、データ信号を配置する。
【０１４１】
第１の実施形態から第４の実施形態までは、サブキャリア内の２アンテナを用いていたが、本第５の実施形態では、サブキャリア内の４アンテナを用いてコントロール信号とデータ信号とを送信することを特徴とする。これにより、第１の実施形態の場合と比較し、チャネル相関の影響は大きくなることが予測されるが、ダイバーシティ効果はさらに改善される。
【０１４２】
（第６の実施形態）
第６の実施形態では、第１の実施形態と同一の基地局装置（１００ａ）と移動局装置（２００ａ）とを用いて通信が行われることを想定している。
【０１４３】
第６の実施形態では、８アンテナを備える基地局装置において、図１０に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図４３に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、図４８に示される信号配置パターン（データ信号は、基地局装置毎に定められる参照信号と移動局装置毎に定められる参照信号とコントロール信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、データ信号を配置する。
【０１４４】
第６の実施形態では、第５の実施形態と比較し、コントロール信号およびデータ信号を送信するアンテナを異なるものとしているため、チャネル相関が強い場合にダイバーシティ効果が改善されるという特徴がある。
【０１４５】
（第７の実施形態）
第７の実施形態では、第１の実施形態と同一の基地局装置（１００ａ）と移動局装置（２００ａ）とを用いて通信が行われることを想定している。
【０１４６】
第７の実施形態では、８アンテナを備える基地局装置において、図１１に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図４４に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、図４９に示される信号配置パターン（データ信号は、基地局装置毎に定められる参照信号と移動局装置毎に定められる参照信号とコントロール信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、データ信号を配置する。
【０１４７】
第７の実施形態では、第５の実施形態および第６の実施形態と比較し、コントロール信号およびデータ信号を送信するアンテナを異なるものとしているため、空間周波数ブロックコーディングによるダイバーシティ効果が改善されるという特徴がある。
【０１４８】
（第８の実施形態）
第８の実施形態では、第１の実施形態と同一の基地局装置（１００ａ）と移動局装置（２００ａ）とを用いて通信がおこなわれることを想定する。
【０１４９】
第８の実施形態では、８アンテナを備える基地局装置において、図１２に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図４２に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、図４７に示される信号配置パターン（データ信号は、基地局装置毎に定められる参照信号と移動局装置毎に定められる参照信号とコントロール信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、データ信号を配置する。
【０１５０】
本実施形態における構成上の特徴と効果とは、第５の実施形態と同様であるが、Ｅｘｔｅｎｄｅｄ  ＣＰ時のリソースブロックを対象としている点が異なる。
【０１５１】
（第９の実施形態）
第９の実施形態では、第１の実施形態と同一の基地局装置（１００ａ）と移動局装置（２００ａ）を用いて通信が行われることを想定している。
【０１５２】
第９の実施形態では、８アンテナを備える基地局装置において、図１３に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図４３に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、図４８に示される信号配置パターン（データ信号は、基地局装置毎に定められる参照信号と移動局装置毎に定められる参照信号とコントロール信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、データ信号を配置する。
【０１５３】
本実施形態における構成上の特徴と効果とは、第６の実施形態と同様であるが、Ｅｘｔｅｎｄｅｄ  ＣＰ時のリソースブロックを対象としている点が異なる。
【０１５４】
（第１０の実施形態）
第１０の実施形態では、第１の実施形態と同一の基地局装置（１００ａ）と移動局装置（２００ａ）を用いて通信がおこなわれることを想定している。
【０１５５】
第１０の実施形態では、８アンテナを備える基地局装置において、図１４に示される信号配置パターン（第２種リソースブロック（Ｅｘｔｅｎｄｅｄ  ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図４４に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、図４９に示される信号配置パターン（データ信号は、基地局装置毎に定められる参照信号と移動局装置毎に定められる参照信号とコントロール信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、データ信号を配置する。
【０１５６】
本実施形態における構成上の特徴と効果とは、第７の実施形態と同様であるが、Ｅｘｔｅｎｄｅｄ  ＣＰ時のリソースブロックを対象としている点が異なる。
【０１５７】
（第１１の実施形態）
第１１の実施形態では、図５２に示される８アンテナを備える基地局装置（３００ａ）と、図５３に示される８アンテナを備える移動局装置（４００ａ）との通信について説明する。
【０１５８】
はじめに、基地局装置（３００ａ）について説明する。
【０１５９】
基地局装置（３００ａ）には外部から基地局装置毎に定められる参照信号と移動局装置毎に定められる参照信号とコントロール信号とデータ信号０とデータ信号１とデータ信号２とデータ信号３とデータ信号４とデータ信号５とデータ信号６とデータ信号７とが入力されている。
【０１６０】
基地局装置（３００ａ）は、符号化部（３０a）と、信号処理装置（３０ｃ）と信号処理装置（３１ｃ）と信号処理装置（３２ｃ）と信号処理装置（３３ｃ）と信号処理装置（３４ｃ）と信号処理装置（３５ｃ）と信号処理装置（３６ｃ）と信号処理装置（３７ｃ）と、アンテナ（３０ｃ−４）とアンテナ（３１ｃ−４）とアンテナ（３２ｃ−４）とアンテナ（３３ｃ−４）とアンテナ（３４ｃ−４）とアンテナ（３５ｃ−４）とアンテナ（３６ｃ−４）とアンテナ（３７ｃ−４）とで構成されている。また、アンテナ（３０ｃ−４）とアンテナ（３１ｃ−４）とアンテナ（３２ｃ−４）とアンテナ（３３ｃ−４）とアンテナ（３４ｃ−４）とアンテナ（３５ｃ−４）とアンテナ（３６ｃ−４）とアンテナ（３７ｃ−４）とは物理的に直線上に配置されており、アンテナ（３０ｃ−４）とアンテナ（３１ｃ−４）との距離と、（３１ｃ−４）とアンテナ（３２ｃ−４）との距離と、アンテナ（３２ｃ−４）とアンテナ（３３ｃ−４）との距離と、アンテナ（３３ｃ−４）とアンテナ（３４ｃ−４）との距離と、アンテナ（３４ｃ−４）とアンテナ（３５ｃ−４）との距離と、アンテナ（３５ｃ−４）とアンテナ（３６ｃ−４）との距離と、アンテナ（３６ｃ−４）とアンテナ（３７ｃ−４）との距離との総和が、アンテナ（３７ｃ−４）とアンテナ（３０ｃ−４）との距離に等しいとする。
【０１６１】
基地局装置（３００ａ）に入力されたコントロール信号は符号化部（３０a）に出力される。
【０１６２】
符号化部（３０a）では、はじめに、入力されたコントロール信号に対して図４０（ａ）に示されるプリコーディングが適用される。
【０１６３】
次に、図４０（ａ）のアンテナ０の信号は信号処理装置（３０ｃ）に出力され、アンテナ１のプリコーディングが適用されたコントロール信号は信号処理装置（３１ｃ）に出力され、アンテナ２のプリコーディングが適用されたコントロール信号は信号処理装置（３２ｃ）に出力され、アンテナ３のプリコーディングが適用されたコントロール信号は信号処理装置（３３ｃ）に出力され、アンテナ４のプリコーディングが適用されたコントロール信号は信号処理装置（３４ｃ）に出力され、アンテナ５のプリコーディングが適用されたコントロール信号は信号処理装置（３５ｃ）に出力され、アンテナ６のプリコーディングが適用されたコントロール信号は信号処理装置（３６ｃ）に出力され、アンテナ７のプリコーディングが適用されたコントロール信号は信号処理装置（３７ｃ）に出力される。
【０１６４】
基地局装置（３００ａ）に入力されたデータ信号０は信号処理装置（３０ｃ）に出力され、データ信号１は信号処理装置（３１ｃ）に出力され、データ信号２は信号処理装置（３２ｃ）に出力され、データ信号３は信号処理装置（３３ｃ）に出力され、データ信号４は信号処理装置（３４ｃ）に出力され、データ信号５は信号処理装置（３５ｃ）に出力され、データ信号６は信号処理装置（３６ｃ）に出力され、データ信号７は信号処理装置（３７ｃ）に出力される。
【０１６５】
ここで、信号処理装置（３０ｃ）と信号処理装置（３１ｃ）と信号処理装置（３２ｃ）と信号処理装置（３３ｃ）と信号処理装置（３４ｃ）と信号処理装置（３５ｃ）と信号処理装置（３６ｃ）と信号処理装置（３７ｃ）とは同一の構造のため、以降は、信号処理装置（３０ｃ）に関する説明のみをおこなう。
【０１６６】
信号処理装置（３０ｃ）は、信号配置部（３０ｃ−１）と送信部（３０ｃ−３）とで構成されている。
【０１６７】
はじめに、信号処理装置（３０ｃ）に入力される、プリコーディングが適用されたコントロール信号は、信号配置部（３０ｃ−１）に出力される。
【０１６８】
同様に、信号処理装置（３０ｃ）に入力される、データ信号０は、信号配置部（３０ｃ−１）に出力される。
【０１６９】
信号配置部（３０ｃ−１）では、はじめに、リソースブロックに対して、外部から入力される基地局装置毎に定められる参照信号が図５に示される信号配置パターンに基づいて配置され、外部から入力される移動局装置毎に定められる参照信号が図１５に示される信号配置パターンに基づいて配置され、プリコーディングが適用されたコントロール信号が図４０に示される信号配置パターンに基づいて、基地局装置毎に定められる参照信号と移動局装置毎に定められる参照信号とデータ信号０とが配置されていないサブキャリアに配置され、データ信号０が基地局装置毎に定められる参照信号と移動局装置毎に定められる参照信号とコントロール信号とが配置されていないサブキャリアに配置される。
【０１７０】
次に、この基地局装置毎に定められる参照信号と移動局装置毎に定められる参照信号と、プリコーディングが適用されたコントロール信号と、データ信号とが配置されたリソースブロックが送信部（３０ｃ−３）に出力される。
【０１７１】
送信部（３０ｃ−３）では、リソースブロックがアンテナ（３０ｃ−４）を介して、移動局装置（４００ａ）に送信される。このことは、信号処理装置（３０ｃ）では、リソースブロックがアンテナ（３０ｃ−４）を介して移動局装置（４００ａ）に送信されることと同義である。
【０１７２】
同様に、信号処理装置（３１ｃ）では、リソースブロックがアンテナ（３１ｃ−４）を介して移動局装置（４００ａ）に送信され、信号処理装置（３２ｃ）では、リソースブロックがアンテナ（３２ｃ−４）を介して移動局装置（４００ａ）に送信され、信号処理装置（３３ｃ）では、リソースブロックがアンテナ（３３ｃ−４）を介して移動局装置（４００ａ）に送信され、信号処理装置（３４ｃ）では、リソースブロックがアンテナ（３４ｃ−４）を介して移動局装置（４００ａ）に送信され、信号処理装置（３５ｃ）では、リソースブロックがアンテナ（３５ｃ−４）を介して移動局装置（４００ａ）に送信され、信号処理装置（３６ｃ）では、リソースブロックがアンテナ（３６ｃ−４）を介して移動局装置（４００ａ）に送信され、信号処理装置（３７ｃ）では、リソースブロックがアンテナ（３７ｃ−４）を介して移動局装置（４００ａ）に送信される。
【０１７３】
次に、移動局装置（４００ａ）について説明する。
【０１７４】
移動局装置（４００ａ）は、アンテナ（４０ａ−１）とアンテナ（４１ａ−１）とアンテナ（４２ａ−１）とアンテナ（４３ａ−１）とアンテナ（４４ａ−１）とアンテナ（４５ａ−１）とアンテナ（４６ａ−１）とアンテナ（４７ａ−１）と、受信部（４０ａ−２）と受信部（４１ａ−２）と受信部（４２ａ−２）と受信部（４３ａ−２）と受信部（４４ａ−２）と受信部（４５ａ−２）と受信部（４６ａ−２）と受信部（４７ａ−２）と、重み制御部（４０ｂ）と、復号化部（４０ａ−３）とで構成されている。
【０１７５】
受信部（４０ａ−２）では、基地局装置（３００ａ）が備えるアンテナ（３０ｃ−４）とアンテナ（３１ｃ−４）とアンテナ（３２ｃ−４）とアンテナ（３３ｃ−４）とアンテナ（３４ｃ−４）とアンテナ（３５ｃ−４）とアンテナ（３６ｃ−４）とアンテナ（３７ｃ−４）とから送信されたリソースブロックが、移動局装置（４００ａ）が備えるアンテナ（４０ａ−１）とアンテナ（４１ａ−１）とアンテナ（４２ａ−１）とアンテナ（４３ａ−１）とアンテナ（４４ａ−１）とアンテナ（４５ａ−１）とアンテナ（４６ａ−１）とアンテナ（４７ａ−１）とを介して受信され、受信されたリソースブロックが、重み制御部（４０ｂ）と復号化部（４０ａ−３）とに出力される。
【０１７６】
重み制御部（４０ｂ）でははじめに、基地局装置（４００ａ）と共有している図５に示される信号配置パターンに基づいて、入力されたリソースブロックに配置される基地局装置毎に定められる参照信号が取得され、図１５に示される信号配置パターンに基づいて、入力されたリソースブロックに配置される移動局装置毎に定められる参照信号が取得される。
【０１７７】
次に、取得された基地局装置毎に定められる参照信号と移動居装置毎に定められる参照信号とに基づいて、基地局装置（３００ａ）のアンテナ（１０ｃ−４）とアンテナ（１１ｃ−４）とアンテナ（１２ｃ−４）とアンテナ（１３ｃ−４）とアンテナ（１４ｃ−４）とアンテナ（１５ｃ−４）とアンテナ（１６ｃ−４）とアンテナ（１７ｃ−４）と移動局装置間（４００ａ）のアンテナ（４０ａ−１）とアンテナ（４１ａ−１）とアンテナ（４２ａ−１）とアンテナ（４３ａ−１）とアンテナ（４４ａ−１）とアンテナ（４５ａ−１）とアンテナ（４６ａ−１）とアンテナ（４７ａ−１）との間のチャネル推定をおこない、復号化部（４０ａ−３）で適用される重みが算出される。
【０１７８】
復号化部（４０ａ−３）でははじめに、基地局装置（３００ａ）と共有する図４０に示される信号配置パターンに基づいて、入力されたリソースブロックに配置されているコントロール信号が取得される。
【０１７９】
次に、取得されたコントロール信号は重み制御部（４０ｂ）から出力される重みに基づいて復号される。同様に、入力されたリソースブロックに配置されているデータ信号が取得され、取得されたデータ信号が重み制御部（４０ｂ）から出力される重みに基づいて復号される。
【０１８０】
第１１の実施形態では、８アンテナを備える基地局装置において、図５に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図１５に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４０に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、基地局装置毎に定められる参照信号と移動局装置毎に定められる参照信号とコントロール信号とが配置されていないサブキャリアに対して、８ｘ８のＭＩＭＯ用のデータ信号を配置する。
【０１８１】
第１１の実施形態では、コントロール信号は第１の実施形態と同一のダイバーシティ効果を得ることが可能である。また、データ信号は８ｘ８のＭＩＭＯによる通信が可能であり、さらに基地局装置毎に定められる参照信号と移動局装置毎に定められる参照信号の数を抑えることが可能であるという点を特徴とする。
【０１８２】
（第１２の実施形態）
第１２の実施形態では、第１１の実施形態と同一の基地局装置（３００ａ）と移動局装置（４００ａ）とを用いて通信がおこなわれることを想定する。
【０１８３】
第１２の実施形態では、８アンテナを備える基地局装置において、図５に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図１６に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４０に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０１８４】
第１２の実施形態では、第１１の実施形態における移動局装置毎に定められる参照信号を時間軸方向に１ＯＦＤＭシンボルずらすことを特徴とする。これにより、第３ＯＦＤＭシンボルに配置されるコントロール信号の量を増加させることが可能である。
【０１８５】
（第１３の実施形態)
第１３の実施形態では、第１１の実施形態と同一の基地局装置（３００ａ）と移動局装置（４００ａ）とを用いて通信が行われることを想定する。
【０１８６】
第１３の実施形態では、８アンテナを備える基地局装置において、図５に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図１７に示される信号配置パターン（第１種リソースブロック(Ｎｏｒｍａｌ  ＣＰ時のリソースブロック)に対する基地局装置毎に定められる参照信号の配置）に基づいて、Ｎｏｒｍａｌ  ＣＰ時のリソースブロックに対し、移動局装置毎に定められる参照信号を配置し、図４０に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０１８７】
第１３の実施形態では、第１２の実施形態における移動局装置毎に定められる参照信号を時間軸方向に１ＯＦＤＭシンボルずらすことを特徴とする。これにより、第３ＯＦＤＭシンボルと第４ＯＦＤＭシンボルとに配置されるコントロール信号の量を増加させることが可能である。
【０１８８】
（第１４の実施形態)
第１４の実施形態では、第１１の実施形態と同一の基地局装置（３００ａ）と移動局装置（４００ａ）とを用いて通信が行われることを想定している。
【０１８９】
第１４の実施形態では、８アンテナを備える基地局装置において、図６に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図１８に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４１に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０１９０】
第１４の実施形態では、コントロール信号は第２の実施形態と同一のダイバーシティ効果を得ることが可能である。また、第１１の実施形態と同様、データ信号は８ｘ８のＭＩＭＯによる通信が可能であり、さらに基地局装置毎に定められる参照信号と移動局装置毎に定められる参照信号の数を抑えることが可能であるという点を特徴とする。
【０１９１】
（第１５の実施形態)
第１５の実施形態では、第１１の実施形態と同一の基地局装置（３００ａ）と移動局装置（４００ａ）を用いて通信が行われることを想定している。
【０１９２】
第１５の実施形態では、８アンテナを備える基地局装置において、図６に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図１９に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４１に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０１９３】
第１５の実施形態では、第１４の実施形態における移動局装置毎に定められる参照信号を時間軸方向に１ＯＦＤＭシンボルずらすことを特徴とする。これにより、第３ＯＦＤＭシンボルに配置されるコントロール信号の量を増加させることが可能である。
【０１９４】
（第１６の実施形態)
第１６の実施形態では、第１１の実施形態と同一の基地局装置（３００ａ）と移動局装置（４００ａ）を用いて通信がおこなわれることを想定する。
【０１９５】
第１６の実施形態では、８アンテナを備える基地局装置において、図６に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図２０に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４１に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０１９６】
第１６の実施形態では、第１５の実施形態における移動局装置毎に定められる参照信号を時間軸方向に１ＯＦＤＭシンボルずらすことを特徴とする。これにより、第３ＯＦＤＭシンボルと第４ＯＦＤＭシンボルとに配置されるコントロール信号の量を増加させることが可能である。
【０１９７】
（第１７の実施形態)
第１７の実施形態では、第１１の実施形態と同一の基地局装置（３００ａ）と移動局装置（４００ａ）を用いて通信が行われることを想定している。
【０１９８】
第１７の実施形態では、８アンテナを備える基地局装置において、図７に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図２１に示される信号配置パターン（第２種リソースブロック(Ｅｘｔｅｎｄｅｄ ＣＰ時のリソースブロック)に対する移動局装置毎に定められる参照信号の配置）に基づいて、Ｅｘｔｅｎｄｅｄ  ＣＰ時のリソースブロックに対し、移動局装置毎に定められる参照信号を配置し、図４０に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、Ｅｘｔｅｎｄｅｄ  ＣＰ時のリソースブロックに対し、８ｘ８のＭＩＭＯ用のデータ信号を配置する。
【０１９９】
第１７の実施形態では、コントロール信号は第３の実施形態と同一のダイバーシティ効果を得ることが可能である。また、第１１の実施形態と同様、データ信号は８ｘ８のＭＩＭＯによる通信が可能であり、さらに基地局装置毎に定められる参照信号と移動局装置毎に定められる参照信号の数を抑えることが可能であるという点を特徴とする。
【０２００】
（第１８の実施形態)
第１８の実施形態では、第１１の実施形態と同一の基地局装置（３００ａ）と移動局装置（４００ａ）を用いて通信がおこなわれることを想定する。
【０２０１】
第１８の実施形態では、８アンテナを備える基地局装置において、図７に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図２２に示される信号配置パターン（第２種リソースブロック(Ｅｘｔｅｎｄｅｄ ＣＰ時のリソースブロック)に対する移動局装置毎に定められる参照信号の配置）に基づいて、Ｅｘｔｅｎｄｅｄ  ＣＰ時のリソースブロックに対し、移動局装置毎に定められる参照信号を配置し、図４０に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、Ｅｘｔｅｎｄｅｄ  ＣＰ時のリソースブロックに対し、８ｘ８のＭＩＭＯ用のデータ信号を配置する。
【０２０２】
第１８の実施形態では、第１７の実施形態における移動局装置毎に定められる参照信号を時間軸方向に１ＯＦＤＭシンボルずらすことを特徴とする。これにより、第３ＯＦＤＭシンボルに配置されるコントロール信号の量を増加させることが可能である。
【０２０３】
（第１９の実施形態)
第１９の実施形態では、第１１の実施形態と同一の基地局装置（３００ａ）と移動局装置（４００ａ）を用いて通信が行われることを想定している。
【０２０４】
第１９の実施形態では、８アンテナを備える基地局装置において、図８に示される信号配置パターン（第２種リソースブロック(Ｅｘｔｅｎｄｅｄ ＣＰ時のリソースブロックに対する基地局装置毎に定められる参照信号の配置)に基づいて、Ｅｘｔｅｎｄｅｄ  ＣＰ時のリソースブロックに対し、基地局装置毎に定められる参照信号を配置し、図２３に示される信号配置パターン（第２種リソースブロック(Ｅｘｔｅｎｄｅｄ ＣＰ時のリソースブロック)に対する移動局装置毎に定められる参照信号の配置）に基づいて、Ｅｘｔｅｎｄｅｄ  ＣＰ時のリソースブロックに対し、移動局装置毎に定められる参照信号を配置し、図４１に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、Ｅｘｔｅｎｄｅｄ  ＣＰ時のリソースブロックに対し、８ｘ８のＭＩＭＯ用のデータ信号を配置する。
【０２０５】
第１９の実施形態では、コントロール信号は第４の実施形態と同一のダイバーシティ効果を得ることが可能である。また、第１１の実施形態と同様、データ信号は８ｘ８のＭＩＭＯによる通信が可能であり、さらに基地局装置毎に定められる参照信号と移動局装置毎に定められる参照信号の数を抑えることが可能であるという点を特徴とする。
【０２０６】
（第２０の実施形態)
第２０の実施形態では、第１１の実施形態と同一の基地局装置（３００ａ）と移動局装置（４００ａ）を用いて通信がおこなわれることを想定する。
【０２０７】
第２０の実施形態では、８アンテナを備える基地局装置において、図８に示される信号配置パターン（第２種リソースブロック(Ｅｘｔｅｎｄｅｄ ＣＰ時のリソースブロックに対する基地局装置毎に定められる参照信号の配置)に基づいて、Ｅｘｔｅｎｄｅｄ  ＣＰ時のリソースブロックに対し、基地局装置毎に定められる参照信号を配置し、図２４に示される信号配置パターン（第２種リソースブロック(Ｅｘｔｅｎｄｅｄ ＣＰ時のリソースブロック)に対する移動局装置毎に定められる参照信号の配置）に基づいて、Ｅｘｔｅｎｄｅｄ  ＣＰ時のリソースブロックに対し、移動局装置毎に定められる参照信号を配置し、図４１に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、Ｅｘｔｅｎｄｅｄ  ＣＰ時のリソースブロックに対し、８ｘ８のＭＩＭＯ用のデータ信号を配置する。
【０２０８】
第２０の実施形態では、第１９の実施形態における移動局装置毎に定められる参照信号を時間軸方向に１ＯＦＤＭシンボルずらすことを特徴とする。これにより、第３ＯＦＤＭシンボルに配置されるコントロール信号の量を増加させることが可能である。
【０２０９】
（第２１の実施形態)
第２１の実施形態では、第１１の実施形態と同一の基地局装置（３００ａ）と移動局装置（４００ａ）を用いて通信が行われることを想定している。
【０２１０】
第２１の実施形態では、８アンテナを備える基地局装置において、図９に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図２５に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４２に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０２１１】
第２１の実施形態では、コントロール信号は第５の実施形態と同一のダイバーシティ効果を得ることが可能である。また、第１１の実施形態と同様、データ信号は８ｘ８のＭＩＭＯによる通信が可能であり、さらに基地局装置毎に定められる参照信号と移動局装置毎に定められる参照信号の数を抑えることが可能であるという点を特徴とする。
【０２１２】
（第２２の実施形態)
第２２の実施形態では、第１１の実施形態と同一の基地局装置（３００ａ）と移動局装置（４００ａ）を用いて通信が行われることを想定している。
【０２１３】
第２２の実施形態では、８アンテナを備える基地局装置において、図９に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図２６に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４２に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０２１４】
第２２の実施形態では、第２１の実施形態における移動局装置毎に定められる参照信号を時間軸方向に１ＯＦＤＭシンボルずらすことを特徴とする。これにより、第３ＯＦＤＭシンボルに配置されるコントロール信号の量を増加させることが可能である。
【０２１５】
（第２３の実施形態)
第２３の実施形態では、第１１の実施形態と同一の基地局装置（３００ａ）と移動局装置（４００ａ）を用いて通信が行われることを想定している。
【０２１６】
第２３の実施形態では、８アンテナを備える基地局装置において、図９に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図２７に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４２に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０２１７】
第２３の実施形態では、第２２の実施形態における移動局装置毎に定められる参照信号を時間軸方向に１ＯＦＤＭシンボルずらすことを特徴とする。これにより、第３ＯＦＤＭシンボルと第４ＯＦＤＭシンボルとに配置されるコントロール信号の量を増加させることが可能である。
【０２１８】
（第２４の実施形態)
第２４の実施形態では、第１１の実施形態と同一の基地局装置（３００ａ）と移動局装置（４００ａ）を用いて通信が行われることを想定している。
【０２１９】
第２４の実施形態では、８アンテナを備える基地局装置において、図１０に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図２８に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４３に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０２２０】
第２４の実施形態では、コントロール信号は第６の実施形態と同一のダイバーシティ効果を得ることが可能である。また、第１１の実施形態と同様、データ信号は８ｘ８のＭＩＭＯによる通信が可能であり、さらに基地局装置毎に定められる参照信号と移動局装置毎に定められる参照信号の数を抑えることが可能であるという点を特徴とする。
【０２２１】
（第２５の実施形態)
第２５の実施形態では、第１１の実施形態と同一の基地局装置（３００ａ）と移動局装置（４００ａ）を用いて通信が行われることを想定している。
【０２２２】
第２５の実施形態では、８アンテナを備える基地局装置において、図１０に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図２９に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４３に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０２２３】
第２５の実施形態では、第２４の実施形態における移動局装置毎に定められる参照信号を時間軸方向に１ＯＦＤＭシンボルずらすことを特徴とする。これにより、第３ＯＦＤＭシンボルに配置されるコントロール信号の量を増加させることが可能である。
【０２２４】
（第２６の実施形態)
第２６の実施形態では、第１１の実施形態と同一の基地局装置（３００ａ）と移動局装置（４００ａ）を用いて通信がおこなわれることを想定する。
【０２２５】
第２６の実施形態では、８アンテナを備える基地局装置において、図１０に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図３０に示される信号配置パターン（第１種リソースブロック(Ｎｏｒｍａｌ ＣＰN時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４３に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０２２６】
第２６の実施形態では、第２５の実施形態における移動局装置毎に定められる参照信号を時間軸方向に１ＯＦＤＭシンボルずらすことを特徴とする。これにより、第３ＯＦＤＭシンボルと第４ＯＦＤＭシンボルとに配置されるコントロール信号の量を増加させることが可能である。
【０２２７】
（第２７の実施形態)
第２７の実施形態では、第１１の実施形態と同一の基地局装置（３００ａ）と移動局装置（４００ａ）を用いて通信が行われることを想定している。
【０２２８】
第２７の実施形態では、８アンテナを備える基地局装置において、図１１に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図３１に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４４に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０２２９】
第２７の実施形態では、コントロール信号は第７の実施形態と同一のダイバーシティ効果を得ることが可能である。また、第１１の実施形態と同様、データ信号は８ｘ８のＭＩＭＯによる通信が可能であり、さらに基地局装置毎に定められる参照信号と移動局装置毎に定められる参照信号の数を抑えることが可能であるという点を特徴とする。
【０２３０】
（第２８の実施形態)
第２８の実施形態では、第１１の実施形態と同一の基地局装置（３００ａ）と移動局装置（４００ａ）を用いて通信が行われることを想定している。
【０２３１】
第２８の実施形態では、８アンテナを備える基地局装置において、図１１に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図３２に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４４に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０２３２】
第２８の実施形態では、第２７の実施形態における移動局装置毎に定められる参照信号を時間軸方向に１ＯＦＤＭシンボルずらすことを特徴とする。これにより、第３ＯＦＤＭシンボルに配置されるコントロール信号の量を増加させることが可能である。
【０２３３】
（第２９の実施形態)
第２９の実施形態では、第１１の実施形態と同一の基地局装置（３００ａ）と移動局装置（４００ａ）とを用いて通信が行われることを想定している。
【０２３４】
第２９の実施形態では、８アンテナを備える基地局装置において、図１１に示される信号配置パターン（第１種リソースブロック(Ｎｏｒｍａｌ ＣＰ時のリソースブロック)に対する基地局装置毎に定められる参照信号の配置）に基づいて、Ｎｏｒｍａｌ  ＣＰ時のリソースブロックに対し、基地局装置毎に定められる参照信号を配置し、図３３に示される信号配置パターン（第１種リソースブロック(Ｎｏｒｍａｌ ＣＰ時のリソースブロック)に対する移動局装置毎に定められる参照信号の配置）に基づいて、Ｎｏｒｍａｌ  ＣＰ時のリソースブロックに対し、移動局装置毎に定められる参照信号を配置し、図４４に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｎｏｒｍａｌ  ＣＰ時のリソースブロックに対し、コントロール信号を配置し、Ｎｏｒｍａｌ  ＣＰ時のリソースブロックに対し、８ｘ８のＭＩＭＯ用のデータ信号を配置する。
【０２３５】
第２９の実施形態では、第２８の実施形態における移動局装置毎に定められる参照信号を時間軸方向に１ＯＦＤＭシンボルずらすことを特徴とする。これにより、第３ＯＦＤＭシンボルと第４ＯＦＤＭシンボルとに配置されるコントロール信号の量を増加させることが可能である。
【０２３６】
（第３０の実施形態)
第３０の実施形態では、第１１の実施形態と同一の基地局装置（３００ａ）と移動局装置（４００ａ）とを用いて通信を行うことを想定している。
【０２３７】
第３０の実施形態では、８アンテナを備える基地局装置において、図１２に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図３４に示される信号配置パターン（第２種リソースブロック(Ｅｘｔｅｎｄｅｄ ＣＰ時のリソースブロック)に対する移動局装置毎に定められる参照信号の配置）に基づいて、Ｅｘｔｅｎｄｅｄ  ＣＰ時のリソースブロックに対し、移動局装置毎に定められる参照信号を配置し、図４２に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、Ｅｘｔｅｎｄｅｄ  ＣＰ時のリソースブロックに対し、８ｘ８のＭＩＭＯ用のデータ信号を配置する。
【０２３８】
第３０の実施形態では、コントロール信号は第８の実施形態と同一のダイバーシティ効果を得ることが可能である。また、第１１の実施形態と同様、データ信号は８ｘ８のＭＩＭＯによる通信が可能であり、さらに基地局装置毎に定められる参照信号と移動局装置毎に定められる参照信号の数を抑えることが可能であるという点を特徴とする。
【０２３９】
（第３１の実施形態)
第３１の実施形態では、第１１の実施形態と同一の基地局装置（３００ａ）と移動局装置（４００ａ）を用いて通信を行うことを想定している。
【０２４０】
第３１の実施形態では、８アンテナを備える基地局装置において、図１２に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図３５に示される信号配置パターン（第２種リソースブロック(Ｅｘｔｅｎｄｅｄ ＣＰ時のリソースブロック)に対する移動局装置毎に定められる参照信号の配置）に基づいて、Ｅｘｔｅｎｄｅｄ  ＣＰ時のリソースブロックに対し、移動局装置毎に定められる参照信号を配置し、図４２に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、Ｅｘｔｅｎｄｅｄ  ＣＰ時のリソースブロックに対し、８ｘ８のＭＩＭＯ用のデータ信号を配置する。
【０２４１】
第３１の実施形態では、第３０の実施形態における移動局装置毎に定められる参照信号を時間軸方向に１ＯＦＤＭシンボルずらすことを特徴とする。これにより、第３ＯＦＤＭシンボルに配置されるコントロール信号の量を増加させることが可能である。
【０２４２】
（第３２の実施形態)
第３２の実施形態では、第１１の実施形態と同一の基地局装置（３００ａ）と移動局装置（４００ａ）を用いて通信を行うことを想定している。
【０２４３】
第３２の実施形態では、８アンテナを備える基地局装置において、図１３に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図３６に示される信号配置パターン（第２種リソースブロック(Ｅｘｔｅｎｄｅｄ ＣＰ時のリソースブロック)に対する移動局装置毎に定められる参照信号の配置）に基づいて、Ｅｘｔｅｎｄｅｄ  ＣＰ時のリソースブロックに対し、移動局装置毎に定められる参照信号を配置し、図４３に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、Ｅｘｔｅｎｄｅｄ  ＣＰ時のリソースブロックに対し、８ｘ８のＭＩＭＯ用のデータ信号を配置する。
【０２４４】
第３２の実施形態では、コントロール信号は第９の実施形態と同一のダイバーシティ効果を得ることが可能である。また、第１１の実施形態と同様、データ信号は８ｘ８のＭＩＭＯによる通信が可能であり、さらに基地局装置毎に定められる参照信号と移動局装置毎に定められる参照信号の数を抑えることが可能であるという点を特徴とする。
【０２４５】
（第３３の実施形態)
第３３の実施形態では、第１１の実施形態と同一の基地局装置（３００ａ）と移動局装置（４００ａ）を用いて通信を行うことを想定している。
【０２４６】
第３３の実施形態では、８アンテナを備える基地局装置において、図１３に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図３７に示される信号配置パターン（第２種リソースブロック(Ｅｘｔｅｎｄｅｄ ＣＰ時のリソースブロック)に対する移動局装置毎に定められる参照信号の配置）に基づいて、Ｅｘｔｅｎｄｅｄ  ＣＰ時のリソースブロックに対し、移動局装置毎に定められる参照信号を配置し、図４３に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、Ｅｘｔｅｎｄｅｄ  ＣＰ時のリソースブロックに対し、８ｘ８のＭＩＭＯ用のデータ信号を配置する。
【０２４７】
第３３の実施形態では、第３２の実施形態における移動局装置毎に定められる参照信号を時間軸方向に１ＯＦＤＭシンボルずらすことを特徴とする。これにより、第３ＯＦＤＭシンボルに配置されるコントロール信号の量を増加させることが可能である。
【０２４８】
（第３４の実施形態)
第３４の実施形態では、第１１の実施形態と同一の基地局装置（３００ａ）と移動局装置（４００ａ）を用いて通信を行うことを想定している。
【０２４９】
第３４の実施形態では、８アンテナを備える基地局装置において、図１４に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図３８に示される信号配置パターン（第２種リソースブロック(Ｅｘｔｅｎｄｅｄ ＣＰ時のリソースブロック)に対する移動局装置毎に定められる参照信号の配置）に基づいて、Ｅｘｔｅｎｄｅｄ  ＣＰ時のリソースブロックに対し、移動局装置毎に定められる参照信号を配置し、図４４に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、Ｅｘｔｅｎｄｅｄ  ＣＰ時のリソースブロックに対し、８ｘ８のＭＩＭＯ用のデータ信号を配置する。
【０２５０】
第３４の実施形態では、コントロール信号は第１０の実施形態と同一のダイバーシティ効果を得ることが可能である。また、第１１の実施形態と同様、データ信号は８ｘ８のＭＩＭＯによる通信が可能であり、さらに基地局装置毎に定められる参照信号と移動局装置毎に定められる参照信号の数を抑えることが可能であるという点を特徴とする。
【０２５１】
（第３５の実施形態)
第３５の実施形態では、第１１の実施形態と同一の基地局装置（３００ａ）と移動局装置（４００ａ）を用いて通信を行うことを想定している。
【０２５２】
第３５の実施形態では、８アンテナを備える基地局装置において、図１４に示される信号配置パターン（第２種リソースブロック(Ｅｘｔｅｎｄｅｄ ＣＰ時のリソースブロック)に対する基地局装置毎に定められる参照信号の配置）に基づいて、Ｅｘｔｅｎｄｅｄ  ＣＰ時のリソースブロックに対し、基地局装置毎に定められる参照信号を配置し、図３９に示される信号配置パターン（第２種リソースブロック(Ｅｘｔｅｎｄｅｄ ＣＰ時のリソースブロック)に対する移動局装置毎に定められる参照信号の配置）に基づいて、Ｅｘｔｅｎｄｅｄ  ＣＰ時のリソースブロックに対し、移動局装置毎に定められる参照信号を配置し、図４４に示される信号配置パターン（コントロール信号は、基地局装置毎に定められる参照信号と移動局装置毎に定められる参照信号とデータ信号とが配置されているサブキャリア以外の一部のサブキャリアで、周波数方向に隣接している４サブキャリアに、Ｔｙｐｅ１、Ｔｙｐｅ２、Ｔｙｐｅ３、Ｔｙｐｅ４の順で配置される。）に基づいて、Ｅｘｔｅｎｄｅｄ  ＣＰ時のリソースブロックに対し、コントロール信号を配置し、Ｅｘｔｅｎｄｅｄ  ＣＰ時のリソースブロックに対し、８ｘ８のＭＩＭＯ用のデータ信号を配置する。
【０２５３】
第３５の実施形態では、第３４の実施形態における移動局装置毎に定められる参照信号を時間軸方向に１ＯＦＤＭシンボルずらすことを特徴とする。これにより、第３ＯＦＤＭシンボルに配置されるコントロール信号の量を増加させることが可能である。
【０２５４】
また、本発明の第１の実施形態から第３５の実施形態までに示される基地局装置毎に定められる参照信号は、１回の周波数シフトを、第１サブキャリアに配置される基地局装置毎に定められる参照信号が第６サブキャリアに周波数シフトされ、第２サブキャリアに配置される基地局装置毎に定められる参照信号が第１サブキャリアに周波数シフトされ、第３サブキャリアに配置されている基地局装置毎に定められる参照信号が第２サブキャリアに周波数シフトされ、第４サブキャリアに配置されている基地局装置毎に定められる参照信号が第３サブキャリアに周波数シフトされ、第５サブキャリアに配置されている基地局装置毎に定められる参照信号が第４サブキャリアに周波数シフトされ、第６サブキャリアに配置されている基地局装置毎に定められる参照信号が第５サブキャリアに周波数シフトされ、第７サブキャリアに配置されている基地局装置毎に定められる参照信号が第１２サブキャリアに周波数シフトされ、第８サブキャリアに配置されている基地局装置毎に定められる参照信号が第７サブキャリアに周波数シフトされ、第９サブキャリアに配置されている基地局装置毎に定められる参照信号が第８サブキャリアに周波数シフトされ、第１０サブキャリアに配置されている基地局装置毎に定められる参照信号が第９サブキャリアに周波数シフトされ、第１１サブキャリアに配置されている基地局装置毎に定められる参照信号が第１０サブキャリアに周波数シフトされ、第１２サブキャリアに配置されている基地局装置毎に定められる参照信号が第１１サブキャリアに周波数シフトされることと定義し、任意の回数の周波数シフトをおこなうことが可能である。
【０２５５】
また、本発明の第１の実施形態から第３５の実施形態までに示される移動局装置毎に定められる参照信号は、１回の周波数シフトを、第１サブキャリアに配置される移動局装置毎に定められる参照信号が第６サブキャリアに周波数シフトされ、第２サブキャリアに配置される移動局装置毎に定められる参照信号が第１サブキャリアに周波数シフトされ、第３サブキャリアに配置されている移動局装置毎に定められる参照信号が第２サブキャリアに周波数シフトされ、第４サブキャリアに配置されている移動局装置毎に定められる参照信号が第３サブキャリアに周波数シフトされ、第５サブキャリアに配置されている移動局装置毎に定められる参照信号が第４サブキャリアに周波数シフトされ、第６サブキャリアに配置されている移動局装置毎に定められる参照信号が第５サブキャリアに周波数シフトされ、第７サブキャリアに配置されている移動局装置毎に定められる参照信号が第１２サブキャリアに周波数シフトされ、第８サブキャリアに配置されている移動局装置毎に定められる参照信号が第７サブキャリアに周波数シフトされ、第９サブキャリアに配置されている移動局装置毎に定められる参照信号が第８サブキャリアに周波数シフトされ、第１０サブキャリアに配置されている移動局装置毎に定められる参照信号が第９サブキャリアに周波数シフトされ、第１１サブキャリアに配置されている移動局装置毎に定められる参照信号が第１０サブキャリアに周波数シフトされ、第１２サブキャリアに配置されている移動局装置毎に定められる参照信号が第１１サブキャリアに周波数シフトされることと定義し、任意の回数の周波数シフトをおこなうことが可能である。
【０２５６】
また、本発明の第１１の実施形態から第３５の実施形態では、基地局装置と移動局装置とが共に８アンテナを備える例について説明したが、基地局装置が備えるアンテナの数と移動局装置が備えるアンテナの数とは、これに限定されない。
【０２５７】
例えば、基地局装置が７アンテナを備える場合、Ｔｙｐｅ１の移動局装置毎に定められる参照信号が送信されているアンテナを用いないものとし、基地局装置が６アンテナを備える場合、Ｔｙｐｅ１の移動局装置毎に定められる参照信号が送信されているアンテナとＴｙｐｅ２の移動局装置毎に定められる参照信号が送信されているアンテナとを用いないものとし、基地局装置が５アンテナを備える場合、Ｔｙｐｅ１の移動局装置毎に定められる参照信号が送信されているアンテナとＴｙｐｅ２の移動局装置毎に定められる参照信号が送信されているアンテナとＴｙｐｅ３の移動局装置毎に定められる参照信号が送信されているアンテナとを用いないものとし、基地局装置が４アンテナを備える場合、Ｔｙｐｅ１の移動局装置毎に定められる参照信号が送信されているアンテナとＴｙｐｅ２の移動局装置毎に定められる参照信号が送信されているアンテナとＴｙｐｅ３の移動局装置毎に定められる参照信号が送信されているアンテナとＴｙｐｅ４の移動局装置毎に定められる参照信号が送信されているアンテナとを用いないものとする。
【０２５８】
また、本発明の第１の実施形態から第３５の実施形態までに示される移動局装置毎に定められる参照信号を基地局装置毎に定められる参照信号としても良い。
【０２５９】
また、本発明の第１の実施形態から第３５の実施形態までに示される信号配置パターンにおいて、アンテナ０に配置される基地局装置毎に定められる参照信号と移動局装置毎に定められる参照信号とコントロール信号とデータ信号とのいずれかもしくは複数がアンテナ１に配置され、アンテナ１に配置される基地局装置毎に定められる参照信号と移動局装置毎に定められる参照信号とコントロール信号とデータ信号とのいずれかもしくは複数がアンテナ２に配置され、アンテナ２に配置される基地局装置毎に定められる参照信号と移動局装置毎に定められる参照信号とコントロール信号とデータ信号とのいずれかもしくは複数がアンテナ３に配置され、アンテナ３に配置される基地局装置毎に定められる参照信号と移動局装置毎に定められる参照信号とコントロール信号とデータ信号とのいずれかもしくは複数がアンテナ４に配置され、アンテナ４に配置される基地局装置毎に定められる参照信号と移動局装置毎に定められる参照信号とコントロール信号とデータ信号とのいずれかもしくは複数がアンテナ５に配置され、アンテナ５に配置される基地局装置毎に定められる参照信号と移動局装置毎に定められる参照信号とコントロール信号とデータ信号とのいずれかもしくは複数がアンテナ６に配置され、アンテナ６に配置される基地局装置毎に定められる参照信号と移動局装置毎に定められる参照信号とコントロール信号とデータ信号とのいずれかもしくは複数がアンテナ７に配置され、アンテナ７に配置される基地局装置毎に定められる参照信号と移動局装置毎に定められる参照信号とコントロール信号とデータ信号とのいずれかもしくは複数がアンテナ０に配置されても良い。
【０２６０】
また、第１種リソースブロック（Ｎｏｒｍａｌ  ＣＰ時のリソースブロック）と第２種リソースブロック（Ｅｘｔｅｎｄｅｄ  ＣＰ時のリソースブロック）とは、図５４に示した周波数と時間とで指定されたタイミングで基地局装置から移動局装置に対して複数送信される。
【０２６１】
ここで、これらのリソースブロックは、図５４（ａ）に示すように、本発明の第１の実施形態から第３５の実施形態までに示した信号配置パターンと非特許文献１に示される信号配置パターンとのうちのいずれか１つの信号配置パターンに基づいたものでも良いし、図５４（ｂ）に示すように、本発明の第１の実施形態から第３５の実施形態までに示した信号配置パターンと非特許文献１に示される信号配置パターンとのうちの複数の信号配置パターンに基づいたものでも良い。
【０２６２】
また、本発明の第１の実施形態から第３５の実施形態までで用いられる信号配置パターン中のθ１とθ２とはアンテナ毎に異なるものとし、ｋはサブキャリア毎に異なる値としても良いし、プリコーディング毎に異なるものとしても良いし、固定値としても良い。
【０２６３】
また、本発明の第１の実施形態から第３５の実施形態までには、複数の信号配置パターンが示されている。但し、各実施形態で示した信号配置パターンは一例であり、これらに類似した信号配置パターンも特許請求の範囲に記載した範囲において本発明の権利範囲に含まれるものである。
【０２６４】
また、本実施形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【０２６５】
また、本実施形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【０２６６】
また、「コンピュータシステム」は、ＷＷＷシステムを利用している場合であれば、ホームページ提供環境（あるいは表示環境）も含むものとする。
【０２６７】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また前記プログラムは、前述した機能の一部を実現するためのものであっても良く、さらに前述した機能をコンピュータシステムにすでに記録されているプログラムとの組み合わせで実現できるものであっても良い。
【産業上の利用可能性】
【０２６８】
本発明は、通信装置に利用可能である。
【図面の簡単な説明】
【０２６９】
【図１】非特許文献１に記載の第1のリソースブロック（Ｎｏｒｍａｌ  ＣＰ時のリソースブロック）に対する基地局装置毎に定められる参照信号配置を示す図である。
【図２】非特許文献１に記載の第２リソースブロック（Ｅｘｔｅｎｄｅｄ  ＣＰ時のリソースブロック）に対する基地局装置毎に定められる参照信号配置を示す図である。
【図３】非特許文献３に記載のダイバーシティ方式とリソースブロックへの配置を示す図である。
【図４】非特許文献５に記載の８アンテナを備える基地局装置における基地局装置毎に定められる参照信号の配置例を示す図である。
【図５】第１の実施形態等に記載の第１種リソースブロック（Ｎｏｒｍａｌ  ＣＰ時のリソースブロック）に対する基地局装置毎に定められる参照信号の配置の一例を示す図である。
【図６】第２の実施形態等に記載の第１種リソースブロック（Ｎｏｒｍａｌ  ＣＰ時のリソースブロック）に対する基地局装置毎に定められる参照信号の配置の一例を示す図である。
【図７】第３の実施形態等に記載の第２種リソースブロック（Ｅｘｔｅｎｄｅｄ  ＣＰ時のリソースブロック）に対する基地局装置毎に定められる参照信号の配置の一例を示す図である。
【図８】第４の実施形態等に記載の第２種リソースブロック（Ｅｘｔｅｎｄｅｄ  ＣＰ時のリソースブロック）に対する基地局装置毎に定められる参照信号の配置の一例を示す図である。
【図９】第５の実施形態等に記載の第１種リソースブロック（Ｎｏｒｍａｌ  ＣＰ時のリソースブロック）に対する基地局装置毎に定められる参照信号の配置の一例を示す図である。
【図１０】第６の実施形態等に記載の第１種リソースブロック（Ｎｏｒｍａｌ  ＣＰ時のリソースブロック）に対する基地局装置毎に定められる参照信号の配置の一例を示す図である。
【図１１】第７の実施形態等に記載の第1種リソースブロック（Ｎｏｒｍａｌ  ＣＰ時のリソースブロック）に対する基地局装置毎に定められる参照信号の配置の一例を示す図である。
【図１２】第８の実施形態等に記載の第２種リソースブロック（Ｅｘｔｅｎｄｅｄ  ＣＰ時のリソースブロック）に対する基地局装置毎に定められる参照信号の配置の一例を示す図である。
【図１３】第９の実施形態等に記載の第２種リソースブロック（Ｅｘｔｅｎｄｅｄ  ＣＰ時のリソースブロック）に対する基地局装置毎に定められる参照信号の配置の一例を示す図である。
【図１４】第１０の実施形態等に記載の第２種リソースブロック（Ｅｘｔｅｎｄｅｄ  ＣＰ時のリソースブロック）に対する基地局装置毎に定められる参照信号の配置の一例を示す図である。
【図１５】第１１の実施形態等に記載の第１種リソースブロック（Ｎｏｒｍａｌ  ＣＰ時のリソースブロック）に対する移動局装置毎に定められる参照信号の配置の一例を示す図である。
【図１６】第１２の実施形態等に記載の第１種リソースブロック（Ｎｏｒｍａｌ  ＣＰ時のリソースブロック）に対する移動局装置毎に定められる参照信号の配置の一例を示す図である。
【図１７】第１３の実施形態等に記載の第１種リソースブロック（Ｎｏｒｍａｌ  ＣＰ時のリソースブロック）に対する移動局装置毎に定められる参照信号の配置の一例を示す図である。
【図１８】第１４の実施形態等に記載の第１種リソースブロック（Ｎｏｒｍａｌ  ＣＰ時のリソースブロック）に対する移動局装置毎に定められる参照信号配置の一例を示す図である。
【図１９】第１５の実施形態等に記載の第１種リソースブロック（Ｎｏｒｍａｌ  ＣＰ時のリソースブロック）に対する移動局装置毎に定められる参照信号の配置の一例を示す図である。
【図２０】第１６の実施形態等に記載の第１種リソースブロック（Ｎｏｒｍａｌ  ＣＰ時のリソースブロック）に対する移動局装置毎に定められる参照信号の配置の一例を示す図である。
【図２１】第１７の実施形態等に記載の第２種リソースブロック（Ｅｘｔｅｎｄｅｄ  ＣＰ時のリソースブロック）に対する移動局装置毎に定められる参照信号の配置の一例を示す図である。
【図２２】第１８の実施形態等に記載の第２種リソースブロック（Ｅｘｔｅｎｄｅｄ  ＣＰ時のリソースブロック）に対する移動局装置毎に定められる参照信号の配置の一例を示す図である。
【図２３】第１９の実施形態等に記載の第２種リソースブロック（Ｅｘｔｅｎｄｅｄ  ＣＰ時のリソースブロック）に対する移動局装置毎に定められる参照信号の配置の一例を示す図である。
【図２４】第２０の実施形態等に記載の第２種リソースブロック（Ｅｘｔｅｎｄｅｄ  ＣＰ時のリソースブロック）に対する移動局装置毎に定められる参照信号の配置の一例を示す図である。
【図２５】第２１の実施形態等に記載の第１種リソースブロック（Ｎｏｒｍａｌ  ＣＰ時のリソースブロック）に対する移動局装置毎に定められる参照信号の配置の一例を示す図である。
【図２６】第２２の実施形態等に記載の第１種リソースブロック（Ｎｏｒｍａｌ  ＣＰ時のリソースブロック）に対する移動局装置毎に定められる参照信号の配置の一例を示す図である。
【図２７】第２３の実施形態等に記載の第１種リソースブロック（Ｎｏｒｍａｌ  ＣＰ時のリソースブロック）に対する移動局装置毎に定められる参照信号の配置の一例を示す図である。
【図２８】第２４の実施形態等に記載の第１種リソースブロック（Ｎｏｒｍａｌ  ＣＰ時のリソースブロック）に対する移動局装置毎に定められる参照信号の配置の一例を示す図である。
【図２９】第２５の実施形態等に記載の第１種リソースブロック（Ｎｏｒｍａｌ  ＣＰ時のリソースブロック）に対する移動局装置毎に定められる参照信号の配置の一例を示す図である。
【図３０】第２６の実施形態等に記載の第１種リソースブロック（Ｎｏｒｍａｌ  ＣＰ時のリソースブロック）に対する移動局装置毎に定められる参照信号の配置の一例を示す図である。
【図３１】第２７の実施形態等に記載の第１種リソースブロック（Ｎｏｒｍａｌ  ＣＰ時のリソースブロック）に対する移動局装置毎に定められる参照信号の配置の一例を示す図である。
【図３２】第２８の実施形態等に記載の第１種リソースブロック（Ｎｏｒｍａｌ  ＣＰ時のリソースブロック）対する移動局装置毎に定められる参照信号の配置の一例を示す図である。
【図３３】第２９の実施形態等に記載の第１種リソースブロック（Ｎｏｒｍａｌ  ＣＰ時のリソースブロック）に対する移動局装置毎に定められる参照信号の配置の一例を示す図である。
【図３４】第３０の実施形態等に記載の第２種リソースブロック（Ｅｘｔｅｎｄｅｄ  ＣＰ時のリソースブロック）に対する移動局装置毎に定められる参照信号の配置の一例を示す図である。
【図３５】第３１の実施形態等に記載の第２種リソースブロック（Ｅｘｔｅｎｄｅｄ  ＣＰ時のリソースブロック）に対する移動局装置毎に定められる参照信号の配置の一例を示す図である。
【図３６】第３２の実施形態等に記載の第２種リソースブロック（Ｅｘｔｅｎｄｅｄ  ＣＰ時のリソースブロック）に対する移動局装置毎に定められる参照信号の配置の一例を示す図である。
【図３７】第３３の実施形態等に記載の第２種リソースブロック（Ｅｘｔｅｎｄｅｄ  ＣＰ時のリソースブロック）に対する移動局装置毎に定められる参照信号の配置の一例を示す図である。
【図３８】第３４の実施形態等に記載の第２種リソースブロック（Ｅｘｔｅｎｄｅｄ  ＣＰ時のリソースブロック）に対する移動局装置毎に定められる参照信号の配置の一例を示す図である。
【図３９】第３５の実施形態等に記載の第２種リソースブロック（Ｅｘｔｅｎｄｅｄ  ＣＰ時のリソースブロック）に対する移動局装置毎に定められる参照信号の配置の一例を示す図である。
【図４０】第１の実施形態等に記載のコントロール信号の配置の一例を示す図である。
【図４１】第２の実施形態等に記載のコントロール信号の配置の一例を示す図である。
【図４２】第５の実施形態等に記載のコントロール信号の配置の一例を示す図である。
【図４３】第６の実施形態等に記載のコントロール信号の配置の一例を示す図である。
【図４４】第７の実施形態等に記載のコントロール信号の配置の一例を示す図である。
【図４５】第１の実施形態等に記載のデータ信号の配置の一例を示す図である。
【図４６】第２の実施形態等に記載のデータ信号の配置の一例を示す図である。
【図４７】第５の実施形態等に記載のデータ信号の配置の一例を示す図である。
【図４８】第６の実施形態等に記載のデータ信号の配置の一例を示す図である。
【図４９】第７の実施形態等に記載のデータ信号の配置の一例を示す図である。
【図５０】第１の実施形態による８アンテナを備える基地局装置を示す図である。
【図５１】第１の実施形態による１アンテナを備える移動局装置を示す図である。
【図５２】第１１の実施形態による８アンテナを備える基地局装置を示す図である。
【図５３】第１１の実施形態による８アンテナを備える移動局装置を示す図である。
【図５４】第１種リソースブロック（Ｎｏｒｍａｌ  ＣＰ時のリソースブロック）と第２種リソースブロック（Ｅｘｔｅｎｄｅｄ  ＣＰ時のリソースブロック）とを周波数と時間とで指定されたタイミングで送信する手法を示した図である。
【符号の説明】
【０２７０】
（１００ａ）…基地局装置、（１０a）、（１０ｂ）…符号化部、（１０ｃ）〜（１７ｃ）…信号処理装置、（１０ｃ−１）〜（１７ｃ−１）…信号配置部、（１０ｃ−３）〜（１７ｃ−３）…送信部、（１０ｃ−４）〜（１７ｃ−４）…アンテナ、（２００ａ）…移動局装置、（２０ａ−１）…アンテナ、（２０ａ−２）…受信部、（２０ｂ）…重み制御部、（２０ａ−３）…復号化部、（３００ａ）…基地局装置、（３０ａ）…符号化部、（３０ｃ）〜（３７ｃ）…信号処理装置、（３０ｃ−１）〜（３７ｃ−１）…信号配置部、（３０ｃ−３）〜（３７ｃ−３）…送信部、（３０ｃ−４）〜（３７ｃ−４）…アンテナ、（４００ａ）…移動局装置、（４０ａ−１）〜（４７ａ−１）…アンテナ、（４０ａ−２）〜（４７ａ−２）…受信部、（４０ｂ）…重み制御部、（４０ａ−３）…復号化部。
【図１】
2010157837.tif 000003
【図２】
2010157837.tif 000004
【図３】
2010157837.tif 000005
【図４】
2010157837.tif 000006
【図５】
2010157837.tif 000007
【図６】
2010157837.tif 000008
【図７】
2010157837.tif 000009
【図８】
2010157837.tif 000010
【図９】
2010157837.tif 000011
【図１０】
2010157837.tif 000012
【図１１】
2010157837.tif 000013
【図１２】
2010157837.tif 000014
【図１３】
2010157837.tif 000015
【図１４】
2010157837.tif 000016
【図１５】
2010157837.tif 000017
【図１６】
2010157837.tif 000018
【図１７】
2010157837.tif 000019
【図１８】
2010157837.tif 000020
【図１９】
2010157837.tif 000021
【図２０】
2010157837.tif 000022
【図２１】
2010157837.tif 000023
【図２２】
2010157837.tif 000024
【図２３】
2010157837.tif 000025
【図２４】
2010157837.tif 000026
【図２５】
2010157837.tif 000027
【図２６】
2010157837.tif 000028
【図２７】
2010157837.tif 000029
【図２８】
2010157837.tif 000030
【図２９】
2010157837.tif 000031
【図３０】
2010157837.tif 000032
【図３１】
2010157837.tif 000033
【図３２】
2010157837.tif 000034
【図３３】
2010157837.tif 000035
【図３４】
2010157837.tif 000036
【図３５】
2010157837.tif 000037
【図３６】
2010157837.tif 000038
【図３７】
2010157837.tif 000039
【図３８】
2010157837.tif 000040
【図３９】
2010157837.tif 000041
【図４０】
2010157837.tif 000042
【図４１】
2010157837.tif 000043
【図４２】
2010157837.tif 000044
【図４３】
2010157837.tif 000045
【図４４】
2010157837.tif 000046
【図４５】
2010157837.tif 000047
【図４６】
2010157837.tif 000048
【図４７】
2010157837.tif 000049
【図４８】
2010157837.tif 000050
【図４９】
2010157837.tif 000051
【図５０】
2010157837.tif 000052
【図５１】
2010157837.tif 000053
【図５２】
2010157837.tif 000054
【図５３】
2010157837.tif 000055
【図５４】
2010157837.tif 000056